(57)【要約】  本開示は、データ伝送方法、端末および基地局を提供する。当該データ伝送方法において、端末は、同一のサブフレームで処理される第１ＴＴＩ長による伝送のデータおよび／または第２ＴＴＩ長による伝送のデータを、当該端末から報告される能力または予め取り決められたルールに基づいて確定する。当該データは、共有チャネルおよび／または制御チャネルを含む。第１ＴＴＩ長は、当該第２ＴＴＩ長より小さい。【選択図】  図１
2019519979.tif 000002
【特許請求の範囲】
【請求項１】
端末が、共有チャネルおよび／または制御チャネルを含んで同一のサブフレームで処理されるデータであって、第１ＴＴＩ長による伝送のデータおよび／または前記第１ＴＴＩ長より大きい第２ＴＴＩ長による伝送のデータを、前記端末から報告される能力または予め取り決められたルールに基づいて確定することを含むデータ伝送方法。
【請求項２】
前記端末が、同一のサブフレームで処理されるデータであって、第１ＴＴＩ長による伝送のデータおよび／または第２ＴＴＩ長による伝送のデータを、前記端末から報告される能力に基づいて確定することは、具体的に、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１と、
前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定する方式２と、
前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定する方式３と、
のうちの少なくとも１つを含む請求項１に記載のデータ伝送方法。
【請求項３】
前記端末が、前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定することは、具体的に、
前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、前記端末が、現在のサブフレームで第１ＴＴＩ長による伝送のデータと第２ＴＴＩ長による伝送のデータを同時に処理し、または、前記端末によって同一のサブフレームで処理される第１ＴＴＩ長による伝送のデータおよび／または第２ＴＴＩ長による伝送のデータを前記方式１または前記方式２に基づいて確定すること、
前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、前記端末が、構成シグナリングまたは所定のルールに基づいて、前記第１ＴＴＩ長による伝送のデータまたは前記第２ＴＴＩ長による伝送のデータを選択的に処理することを含み、および／または、
前記端末から報告される能力によって、同一のサブフレームで第１ＴＴＩ長による伝送の制御チャネルと第２ＴＴＩ長による伝送の制御チャネルの同時検出が前記端末にサポートされると指示される場合、前記端末が、現在のサブフレームで前記第１ＴＴＩ長による伝送の制御チャネルと第２ＴＴＩ長による伝送の制御チャネルを同時に検出すること、
前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、前記端末が、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出することを含む請求項２に記載のデータ伝送方法。
【請求項４】
前記端末から報告される能力であって、同一のサブフレームで第１ＴＴＩ長による伝送のデータと第２ＴＴＩ長による伝送のデータの同時処理をサポートするかを指示する能力は、具体的に、
アップリンク伝送とダウンリンク伝送について、前記能力は、一括または独立に報告され、
および／または、
キャリアアグリゲーションをサポートする端末について、前記能力は、全ての集約搬送波に対し一括で報告されるか、集約搬送波毎に独立に報告されることを含む請求項２に記載のデータ伝送方法。
【請求項５】
前記端末が、前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定することは、具体的に、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、前記端末が、現在のサブフレームで前記第１ＴＴＩ長による伝送のデータと前記第２ＴＴＩ長による伝送のデータを同時に処理すること、
それ以外の場合、前記端末が、構成シグナリングまたは所定のルールに基づいて、前記第１ＴＴＩ長による伝送のデータと前記第２ＴＴＩ長による伝送のデータのうちの一部データを選択的に処理することを含む請求項２に記載のデータ伝送方法。
【請求項６】
前記端末から報告される能力であって、同一のサブフレームで同時処理可能な伝送ブロックの数上限値またはＴＴＩの数上限値を指示する能力は、具体的に、
アップリンク伝送とダウンリンク伝送について、前記能力は、一括または独立に報告されることを含む請求項２に記載のデータ伝送方法。
【請求項７】
前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、
キャリアアグリゲーションが前記端末にサポートされない場合、前記端末が、同一のサブフレームで第１ＴＴＩ長による伝送のデータと第２ＴＴＩ長による伝送のデータの同時処理をサポートしないと確定すること、
現在のサブフレームで第１ＴＴＩ長による伝送のデータと第２ＴＴＩ長による伝送のデータが同時にスケジューリングされるのであれば、前記端末が、構成シグナリングまたは所定のルールに基づいて、前記第１ＴＴＩ長による伝送のデータまたは前記第２ＴＴＩ長による伝送のデータを選択的に処理することを含む請求項２に記載のデータ伝送方法。
【請求項８】
前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、
アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理すること、
前記端末が、前記第１ＴＴＩ長による伝送のデータの処理前に、前記第２ＴＴＩ長による伝送のデータの符号化を完成していない場合、現在のサブフレームで前記第１ＴＴＩ長による伝送のデータと前記第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理することを含む請求項２に記載のデータ伝送方法。
【請求項９】
前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、
キャリアアグリゲーションが前記端末にサポートされないものの、ＭＩＭＯがサポートされるのであれば、前記端末から報告されるＭＩＭＯ能力に基づいて、サポートされる伝送ブロック総数を取得すること、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、前記端末が、現在のサブフレームで前記第１ＴＴＩ長による伝送のデータと前記第２ＴＴＩ長による伝送のデータを同時に処理すること、
それ以外の場合、前記端末が、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理する方式Ａ、および／または、
アップリンク伝送で、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理し、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理する方式Ｂを含む請求項２に記載のデータ伝送方法。
【請求項１０】
前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、
キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定すること、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、前記端末が、現在のサブフレームで前記第１ＴＴＩ長による伝送のデータと前記第２ＴＴＩ長による伝送のデータを同時に処理すること、
それ以外の場合、前記端末が、構成シグナリングまたは所定のルールに基づいて、前記第１ＴＴＩ長による伝送のデータと前記第２ＴＴＩ長による伝送のデータのうちの一部データを選択的に処理する方式Ａ、および／または、
アップリンク伝送で、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理し、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理し、または、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータと前記第２ＴＴＩ長による伝送のデータのうちの一部データを選択的に処理する方式Ｂを含む請求項２に記載のデータ伝送方法。
【請求項１１】
前記端末が、同一のサブフレームで処理されるデータであって、第１ＴＴＩ長による伝送のデータおよび／または第２ＴＴＩ長による伝送のデータを、予め取り決められたルールに基づいて確定することは、具体的に、
アップリンク伝送で、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理するが、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理すること、または、
アップリンク伝送で、搬送波毎に、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで、当該搬送波で前記第１ＴＴＩ長による伝送のデータと前記第２ＴＴＩ長による伝送のデータを同時に処理するが、前記第１ＴＴＩ長による伝送のデータの処理前に、前記第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送がサポートされないと確定するとともに、構成シグナリングまたは所定のルールに基づいて、当該搬送波での前記第１ＴＴＩ長による伝送のデータまたは前記第２ＴＴＩ長による伝送のデータを選択的に処理すること、
または、
アップリンクおよび／またはダウンリンク伝送で、同一の搬送波の同一のサブフレームで第１ＴＴＩ長による伝送のデータと第２ＴＴＩ長による伝送のデータの同時処理がサポートされないと確定し、現在のサブフレームで、同一の搬送波で第１ＴＴＩ長による伝送のデータと第２ＴＴＩ長による伝送のデータが同時にスケジューリングされると、前記端末が、構成シグナリングまたは所定のルールに基づいて、当該搬送波での前記第１ＴＴＩ長による伝送のデータまたは前記第２ＴＴＩ長による伝送のデータを選択的に処理すること、
または、
アップリンクおよび／またはダウンリンク伝送で、同一のサブフレームで第１ＴＴＩ長による伝送のデータと第２ＴＴＩ長による伝送のデータの同時処理がサポートされないと確定し、現在のサブフレームで第１ＴＴＩ長による伝送のデータと第２ＴＴＩ長による伝送のデータが同時に存在すると、前記端末が、構成シグナリングまたは所定のルールに基づいて、前記第１ＴＴＩ長による伝送のデータまたは前記第２ＴＴＩ長による伝送のデータを選択的に処理すること、
または、
同一の搬送波の同一のサブフレームで第１ＴＴＩ長による伝送の制御チャネルと第２ＴＴＩ長による伝送の制御チャネルの同時検出がサポートされないと確定し、前記端末が、現在のサブフレームで、現在の搬送波で構成シグナリングまたは所定のルールに基づいて、前記第１ＴＴＩ長による伝送の制御チャネルまたは前記第２ＴＴＩ長による伝送の制御チャネルを選択的に検出すること、
または、
同一のサブフレームで第１ＴＴＩ長による伝送の制御チャネルと第２ＴＴＩ長による伝送の制御チャネルの同時検出がサポートされないと確定し、前記端末が、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出すること、
または、
同一の搬送波の同一のサブフレームで第１ＴＴＩ長による伝送の制御チャネルと第２ＴＴＩ長による伝送の制御チャネルの同時検出がサポートされると確定し、前記端末が、現在のサブフレームで、現在の搬送波で前記第１ＴＴＩ長による伝送の制御チャネルと前記第２ＴＴＩ長による伝送の制御チャネルを同時に検出すること、
または、
同一のサブフレームで第１ＴＴＩ長による伝送の制御チャネルと第２ＴＴＩ長による伝送の制御チャネルの同時検出がサポートされると確定し、前記端末が、現在のサブフレームで前記第１ＴＴＩ長による伝送の制御チャネルと前記第２ＴＴＩ長による伝送の制御チャネルを同時に検出することを含む請求項１に記載のデータ伝送方法。
【請求項１２】
前記端末が、第１ＴＴＩ長による伝送のデータまたは第２ＴＴＩ長による伝送のデータを、構成シグナリングまたは所定のルールに基づいて選択的に処理することは、具体的に、
前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示すること、または、
前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決めること、または、
前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決めること、または、
前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの受信および／または処理を中止し、前記第１ＴＴＩ長による伝送のデータを受信および／または処理すると取り決めること、または、
前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決めること、または、
前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決めることを含む請求項３、７〜１１のいずれか一項に記載のデータ伝送方法。
【請求項１３】
前記端末が、構成シグナリングまたは所定のルールに基づいて、前記第１ＴＴＩ長による伝送のデータと前記第２ＴＴＩ長による伝送のデータのうちの一部データを選択的に処理することは、具体的に、
前記構成シグナリングは、第１ＴＴＩ長による伝送のデータと第２ＴＴＩ長による伝送のデータのうちの１つを選択的に処理することを前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択すること、
または、前記構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、
または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択すること、
または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択すること、
または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、
または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択することを含む請求項５または１０に記載のデータ伝送方法。
【請求項１４】
前記端末が、前記第１ＴＴＩ長による伝送の制御チャネルまたは前記第２ＴＴＩ長による伝送の制御チャネルを、構成シグナリングまたは所定のルールに基づいて選択的に検出することは、具体的に、
前記構成シグナリングは、第１ＴＴＩ長による伝送の制御チャネルと第２ＴＴＩ長による伝送の制御チャネルのうちの１つを選択的に検出することを前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択することを前記端末に指示すること、または、
前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決めること、または、
前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、
前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めること、または、
前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、
前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めることを含む請求項３または１１に記載のデータ伝送方法。
【請求項１５】
同一の搬送波の同一のサブフレームの異なる周波数領域リソースで、前記第１ＴＴＩ長による伝送のデータと前記第２ＴＴＩ長による伝送のデータを送信または受信すること、または、
同一の搬送波の同一のサブフレームで前記第１ＴＴＩ長による伝送のデータと前記第２ＴＴＩ長による伝送のデータに用いられる周波数領域リソースがオーバーラップすると、ダウンリンク伝送について、前記端末が、基地局によってオーバーラップ部分で前記第１ＴＴＩ長による伝送のデータで前記第２ＴＴＩ長による伝送のデータを上書きすると確定し、アップリンク伝送について、オーバーラップ部分で前記第１ＴＴＩ長による伝送のデータで前記第２ＴＴＩ長による伝送のデータを上書きすること、または、
アップリンク伝送について、同一の搬送波の同一のサブフレームで、第２ＴＴＩ長による伝送のデータのうち、第１ＴＴＩ長による伝送のデータに対応するシンボル上のデータを穿孔することをさらに含む請求項１に記載のデータ伝送方法。
【請求項１６】
前記第１ＴＴＩ長は、１ｍｓより小さく、前記第２ＴＴＩ長は、１ｍｓに等しく、および／または、
時間領域で開始位置が揃えたり時間領域でオーバーラップしたりする複数の前記第１ＴＴＩのＴＴＩ長は、同一であってもよく異なってもよい請求項１に記載のデータ伝送方法。
【請求項１７】
基地局が、端末から報告される能力または予め取り決められたルールに基づいて、共有チャネルおよび／または制御チャネルを含んで前記端末によって同一のサブフレームで処理されるデータであって、第１ＴＴＩ長による伝送のデータおよび／または前記第１ＴＴＩ長より大きい第２ＴＴＩ長による伝送のデータを確定することを含むデータ伝送方法。
【請求項１８】
前記基地局が、端末から報告される能力に基づいて、前記端末によって同一のサブフレームで処理される第１ＴＴＩ長による伝送のデータおよび／または第２ＴＴＩ長による伝送のデータを確定することは、具体的に、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１と、
前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定する方式２と、
前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定する方式３と、
のうちの少なくとも１つを含む請求項１７に記載のデータ伝送方法。
【請求項１９】
前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定することは、具体的に、
前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、前記端末が現在のサブフレームで前記第１ＴＴＩ長による伝送のデータと前記第２ＴＴＩ長による伝送のデータを同時に処理すると確定し、または、前記端末によって同一のサブフレームで処理される第１ＴＴＩ長による伝送のデータおよび／または第２ＴＴＩ長による伝送のデータを、前記端末が前記方式１または前記方式２に基づいて確定すると確定すること、
前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定すること、および／または、
前記端末から報告される能力によって、同一のサブフレームで第１ＴＴＩ長による伝送の制御チャネルと第２ＴＴＩ長による伝送の制御チャネルの同時検出が前記端末にサポートされると指示される場合、前記端末が現在のサブフレームで前記第１ＴＴＩ長による伝送の制御チャネルと第２ＴＴＩ長による伝送の制御チャネルを同時に検出すると確定すること、
前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、前記端末が現在のサブフレームで構成シグナリングまたは所定のルールに基づいて前記第１ＴＴＩ長による伝送の制御チャネルまたは前記第２ＴＴＩ長による伝送の制御チャネルを選択的に検出すると確定することを含む請求項１８に記載のデータ伝送方法。
【請求項２０】
前記端末から報告される能力であって、同一のサブフレームで第１ＴＴＩ長による伝送のデータと第２ＴＴＩ長による伝送のデータの同時処理をサポートするかを指示する能力は、具体的に、
アップリンク伝送とダウンリンク伝送について、前記能力は、一括または独立に報告され、および／または、
キャリアアグリゲーションをサポートする端末について、前記能力は、全ての集約搬送波に対し一括で報告されるか、集約搬送波毎に独立に報告されることを含む請求項１８に記載のデータ伝送方法。
【請求項２１】
前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定することは、具体的に、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、前記端末が現在のサブフレームで前記第１ＴＴＩ長による伝送のデータと前記第２ＴＴＩ長による伝送のデータを同時に処理すると確定すること、
それ以外の場合に、前記端末が構成シグナリングまたは所定のルールに基づいて前記第１ＴＴＩ長による伝送のデータと前記第２ＴＴＩ長による伝送のデータのうちの一部データを選択的に処理すると確定することを含む請求項１８に記載のデータ伝送方法。
【請求項２２】
前記端末から報告される能力であって、同一のサブフレームで同時処理可能な伝送ブロックの数上限値またはＴＴＩの数上限値を指示する能力は、具体的に、
アップリンク伝送とダウンリンク伝送について、前記能力は、一括または独立に報告されることを含む請求項１８に記載のデータ伝送方法。
【請求項２３】
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、
キャリアアグリゲーションが前記端末にサポートされない場合、同一のサブフレームで第１ＴＴＩ長による伝送のデータと第２ＴＴＩ長による伝送のデータの同時処理が前記端末にサポートされないと確定すること、
現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定することを含む請求項１８に記載のデータ伝送方法。
【請求項２４】
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、
アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理すると確定すること、
前記端末が、前記第１ＴＴＩ長による伝送のデータの処理前に、前記第２ＴＴＩ長による伝送のデータの符号化を完成していないのであれば、現在のサブフレームで前記第１ＴＴＩ長による伝送のデータと前記第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することを含む請求項１８に記載のデータ伝送方法。
【請求項２５】
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、
キャリアアグリゲーションが前記端末にサポートされないものの、ＭＩＭＯがサポートされるのであれば、前記端末から報告されるＭＩＭＯ能力に基づいて、サポートされる伝送ブロック総数を取得すること、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、前記端末が現在のサブフレームで前記第１ＴＴＩ長による伝送のデータと前記第２ＴＴＩ長による伝送のデータを同時に処理すると確定すること、
それ以外の場合に、現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定する方式Ａ、および／または、
アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定する方式Ｂを含む請求項１８に記載のデータ伝送方法。
【請求項２６】
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、
キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定すること、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、前記端末が現在のサブフレームで前記第１ＴＴＩ長による伝送のデータと前記第２ＴＴＩ長による伝送のデータを同時に処理すると確定すること、
それ以外の場合に、前記端末が構成シグナリングまたは所定のルールに基づいて前記第１ＴＴＩ長による伝送のデータと前記第２ＴＴＩ長による伝送のデータのうちの一部データを選択的に処理すると確定する方式Ａ、および／または、
アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定し、または、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータと前記第２ＴＴＩ長による伝送のデータのうち一部データを選択的に処理すると確定する方式Ｂを含む請求項１８に記載のデータ伝送方法。
【請求項２７】
同一のサブフレームで処理されるデータであって、第１ＴＴＩ長による伝送のデータおよび／または第２ＴＴＩ長による伝送のデータを、予め取り決められたルールに基づいて確定することは、具体的に、
アップリンク伝送で、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定すること、
または、
アップリンク伝送で、搬送波毎に、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで当該搬送波で前記第１ＴＴＩ長による伝送のデータと前記第２ＴＴＩ長による伝送のデータを同時に処理すると確定し、前記第１ＴＴＩ長による伝送のデータの処理前に、前記第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて当該搬送波での前記第１ＴＴＩ長による伝送のデータまたは前記第２ＴＴＩ長による伝送のデータを選択的に処理すると確定すること、
または、
アップリンクおよび／またはダウンリンク伝送で、同一の搬送波の同一のサブフレームで第１ＴＴＩ長による伝送のデータと第２ＴＴＩ長による伝送のデータの同時処理がサポートされないと確定し、現在のサブフレームで、同一の搬送波で第１ＴＴＩ長による伝送のデータと第２ＴＴＩ長による伝送のデータが同時にスケジューリングされると、前記端末が構成シグナリングまたは所定のルールに基づいて、当該搬送波での前記第１ＴＴＩ長による伝送のデータまたは前記第２ＴＴＩ長による伝送のデータを選択的に処理すると確定すること、
または、
アップリンクおよび／またはダウンリンク伝送で、同一のサブフレームで第１ＴＴＩ長による伝送のデータと第２ＴＴＩ長による伝送のデータの同時処理がサポートされないと確定し、現在のサブフレームで第１ＴＴＩ長による伝送のデータと第２ＴＴＩ長による伝送のデータが同時に存在すると、前記端末が構成シグナリングまたは所定のルールに基づいて、前記第１ＴＴＩ長による伝送のデータまたは前記第２ＴＴＩ長による伝送のデータを選択的に処理すること、
または、
同一の搬送波の同一のサブフレームで第１ＴＴＩ長による伝送の制御チャネルと第２ＴＴＩ長による伝送の制御チャネルの同時検出が前記端末にサポートされないと確定し、前記端末が、現在のサブフレームで、現在の搬送波で構成シグナリングまたは所定のルールに基づいて、前記第１ＴＴＩ長による伝送の制御チャネルまたは前記第２ＴＴＩ長による伝送の制御チャネルを選択的に検出すること、
または、
同一のサブフレームで第１ＴＴＩ長による伝送の制御チャネルと第２ＴＴＩ長による伝送の制御チャネルの同時検出が前記端末にサポートされないと確定し、前記端末が、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出すること、
または、
同一の搬送波の同一のサブフレームで第１ＴＴＩ長による伝送の制御チャネルと第２ＴＴＩ長による伝送の制御チャネルの同時検出が前記端末にサポートされると確定し、前記端末が、現在のサブフレームで、現在の搬送波で前記第１ＴＴＩ長による伝送の制御チャネルと前記第２ＴＴＩ長による伝送の制御チャネルを同時に検出すること、
または、
同一のサブフレームで第１ＴＴＩ長による伝送の制御チャネルと第２ＴＴＩ長による伝送の制御チャネルの同時検出が前記端末にサポートされると確定し、前記端末が、現在のサブフレームで前記第１ＴＴＩ長による伝送の制御チャネルと前記第２ＴＴＩ長による伝送の制御チャネルを同時に検出することを含む請求項１７に記載のデータ伝送方法。
【請求項２８】
前記端末が、第１ＴＴＩ長による伝送のデータまたは第２ＴＴＩ長による伝送のデータを、構成シグナリングまたは所定のルールに基づいて選択的に処理することは、具体的に、
前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示すること、または、
前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決めること、または、
前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決めること、または、
前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで前記第２ＴＴＩ長による伝送のデータの受信および／または処理を中止し、前記第１ＴＴＩ長による伝送のデータを受信および／または処理すると取り決めること、または、
前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決めること、または、
前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決めることを含む請求項１９、２３〜２７のいずれか一項に記載のデータ伝送方法。
【請求項２９】
前記端末が、構成シグナリングまたは所定のルールに基づいて、前記第１ＴＴＩ長による伝送のデータと前記第２ＴＴＩ長による伝送のデータのうちの一部データを選択的に処理することは、具体的に、
前記構成シグナリングは、第１ＴＴＩ長による伝送のデータと第２ＴＴＩ長による伝送のデータのうちの１つを選択的に処理すると前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理すると前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択すること、
または、前記構成シグナリングは、Ａ１個の第１ＴＴＩ長による伝送のデータおよび／またはＡ２個の第２ＴＴＩ長による伝送のデータを選択すると指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、
または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択すること、
または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択すること、
または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、
または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択することを含む請求項２１または２６に記載のデータ伝送方法。
【請求項３０】
前記端末が、前記第１ＴＴＩ長による伝送の制御チャネルまたは前記第２ＴＴＩ長による伝送の制御チャネルを、構成シグナリングまたは所定のルールに基づいて選択的に検出することは、具体的に、
前記構成シグナリングは、第１ＴＴＩ長による伝送の制御チャネルと第２ＴＴＩ長による伝送の制御チャネルのうちの１つを選択的に検出すると前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると前記端末に指示すること、または、
前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決めること、または、
前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、
前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めること、または、
前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、
前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めることを含む請求項１９または２７に記載のデータ伝送方法。
【請求項３１】
同一の搬送波の同一のサブフレームの異なる周波数領域リソースで、前記第１ＴＴＩ長による伝送のデータと前記第２ＴＴＩ長による伝送のデータの前記端末による送信または受信をスケジューリングすること、または、
同一の搬送波の同一のサブフレームで前記第１ＴＴＩ長による伝送のデータと前記第２ＴＴＩ長による伝送のデータに用いられる周波数領域リソースがオーバーラップするとスケジューリングすると、ダウンリンク伝送について、前記基地局が、オーバーラップ部分で前記第１ＴＴＩ長による伝送のデータで前記第２ＴＴＩ長による伝送のデータを上書きし、アップリンク伝送について、前記基地局が、前記端末によってオーバーラップ部分で前記第１ＴＴＩ長による伝送のデータで前記第２ＴＴＩ長による伝送のデータを上書きすると確定すること、または、
アップリンク伝送について、前記端末が同一の搬送波の同一のサブフレームで、第２ＴＴＩ長による伝送のデータのうち、第１ＴＴＩ長による伝送のデータに対応するシンボル上のデータを穿孔すると確定することをさらに含む請求項１７に記載のデータ伝送方法。
【請求項３２】
前記第１ＴＴＩ長は、１ｍｓより小さく、前記第２ＴＴＩ長は、１ｍｓに等しく、および／または、
時間領域で開始位置が揃えたり時間領域でオーバーラップしたりする複数の前記第１ＴＴＩのＴＴＩ長は、同一であってもよく異なってもよい請求項１７に記載のデータ伝送方法。
【請求項３３】
端末であって、
共有チャネルおよび／または制御チャネルを含んで同一のサブフレームで処理されるデータであって、第１ＴＴＩ長による伝送のデータおよび／または前記第１ＴＴＩ長より大きい第２ＴＴＩ長による伝送のデータを、前記端末から報告される能力または予め取り決められたルールに基づいて確定することに用いられる第１確定モジュールを含む端末。
【請求項３４】
前記第１確定モジュールは、具体的に、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することに用いられる第１確定サブモジュール、および／または、
前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定することに用いられる第２確定サブモジュール、および／または、
前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定することに用いられる第３確定サブモジュールを含む請求項３３に記載の端末。
【請求項３５】
前記第３確定サブモジュールは、具体的に、
前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、現在のサブフレームで第１ＴＴＩ長による伝送のデータと第２ＴＴＩ長による伝送のデータを同時に処理し、または、前記端末によって同一のサブフレームで処理される第１ＴＴＩ長による伝送のデータおよび／または第２ＴＴＩ長による伝送のデータを、前記第２確定サブモジュールまたは第３確定サブモジュールを用いて確定することに用いられる第１処理ユニットと、
前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、および／または、
前記端末から報告される能力によって、同一のサブフレームで第１ＴＴＩ長による伝送の制御チャネルと第２ＴＴＩ長による伝送の制御チャネルの同時検出が前記端末にサポートされると指示される場合、現在のサブフレームで前記第１ＴＴＩ長による伝送の制御チャネルと第２ＴＴＩ長による伝送の制御チャネルを同時に検出することに用いられる第１５処理ユニットと、
前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出することに用いられる第１６処理ユニットを含む請求項３４に記載の端末。
【請求項３６】
前記端末から報告される能力であって、同一のサブフレームで第１ＴＴＩ長による伝送のデータと第２ＴＴＩ長による伝送のデータの同時処理をサポートするかを指示する能力は、具体的に、
アップリンク伝送とダウンリンク伝送について、前記能力は、一括または独立に報告され、および／または、
キャリアアグリゲーションをサポートする端末について、前記能力は、全ての集約搬送波に対し一括で報告されるか、集約搬送波毎に独立に報告されることを含む請求項３４に記載の端末。
【請求項３７】
前記第２確定サブモジュールは、具体的に、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、現在のサブフレームで前記第１ＴＴＩ長による伝送のデータと前記第２ＴＴＩ長による伝送のデータを同時に処理することに用いられる第３処理ユニットと、
それ以外の場合に、構成シグナリングまたは所定のルールに基づいて、前記第１ＴＴＩ長による伝送のデータと前記第２ＴＴＩ長による伝送のデータのうちの一部データを選択的に処理することに用いられる第２処理ユニットを含む請求項３４に記載の端末。
【請求項３８】
前記端末から報告される能力であって、同一のサブフレームで同時処理可能な伝送ブロックの数上限値またはＴＴＩの数上限値を指示する能力は、具体的に、
アップリンク伝送とダウンリンク伝送について、前記能力は、一括または独立に報告されることを含む請求項３４に記載の端末。
【請求項３９】
前記第１確定サブモジュールは、具体的に、
キャリアアグリゲーションが前記端末にサポートされない場合、同一のサブフレームで第１ＴＴＩ長による伝送のデータと第２ＴＴＩ長による伝送のデータの同時処理をサポートしないと確定することに用いられる第１確定ユニットと、
現在のサブフレームで第１ＴＴＩ長による伝送のデータと第２ＴＴＩ長による伝送のデータが同時にスケジューリングされるのであれば、構成シグナリングまたは所定のルールに基づいて、前記第１ＴＴＩ長による伝送のデータまたは前記第２ＴＴＩ長による伝送のデータを選択的に処理することに用いられる第２処理ユニットを含む請求項３４に記載の端末。
【請求項４０】
前記第１確定サブモジュールは、具体的に、
アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理することに用いられる第４処理ユニットと、
前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理することに用いられる第２処理ユニットを含む請求項３４に記載の端末。
【請求項４１】
前記第１確定サブモジュールは、具体的に、
キャリアアグリゲーションが前記端末にサポートされないものの、ＭＩＭＯがサポートされるのであれば、前記端末から報告されるＭＩＭＯ能力に基づいて、サポートされる伝送ブロック総数を取得することに用いられる第１取得ユニットと、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、現在のサブフレームで前記第１ＴＴＩ長による伝送のデータと前記第２ＴＴＩ長による伝送のデータを同時に処理することに用いられる第５処理ユニットと、
それ以外の場合に、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理する方式Ａ、および／または、
アップリンク伝送で、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理し、
前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理する方式Ｂに用いられる第２処理ユニットを含む請求項３４に記載の端末。
【請求項４２】
前記第１確定サブモジュールは、具体的に、
キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定することに用いられる第２確定ユニット、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、現在のサブフレームで前記第１ＴＴＩ長による伝送のデータと前記第２ＴＴＩ長による伝送のデータを同時に処理することに用いられる第６処理ユニット、
それ以外の場合に、構成シグナリングまたは所定のルールに基づいて、前記第１ＴＴＩ長による伝送のデータと前記第２ＴＴＩ長による伝送のデータのうちの一部データを選択的に処理する方式Ａ、および／または、
アップリンク伝送で、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理し、
前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理し、または、
前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータと前記第２ＴＴＩ長による伝送のデータのうちの一部データを選択的に処理する方式Ｂに用いられる第２処理ユニットを含む請求項３４に記載の端末。
【請求項４３】
前記第１確定モジュールは、具体的に、
アップリンク伝送で、現在のサブフレームで第１ＴＴＩ長による伝送のデータと第２ＴＴＩ長による伝送のデータが同時にスケジューリングされるのであれば、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理することに用いられる第７処理ユニットと、
前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、
または、
アップリンク伝送で、搬送波毎に、現在のサブフレームで第１ＴＴＩ長による伝送のデータと第２ＴＴＩ長による伝送のデータが同時にスケジューリングされるのであれば、前記第１ＴＴＩ長による伝送のデータの処理前に、前記第２ＴＴＩ長による伝送のデータの符号化が完成された場合、現在のサブフレームで、当該搬送波で前記第１ＴＴＩ長による伝送のデータと前記第２ＴＴＩ長による伝送のデータを同時に処理することに用いられる第８処理ユニットと、
前記第１ＴＴＩ長による伝送のデータの処理前に、前記第２ＴＴＩ長による伝送のデータの符号化が完成されていない場合、当該搬送波では、現在のサブフレームで第１ＴＴＩ長による伝送のデータと第２ＴＴＩ長による伝送のデータの同時伝送がサポートされないと確定するとともに、構成シグナリングまたは所定のルールに基づいて、当該搬送波での前記第１ＴＴＩ長による伝送のデータまたは前記第２ＴＴＩ長による伝送のデータを選択的に処理することに用いられる第２処理ユニットを含み、
または、
アップリンクおよび／またはダウンリンク伝送で、同一の搬送波の同一のサブフレームで第１ＴＴＩ長による伝送のデータと第２ＴＴＩ長による伝送のデータの同時処理がサポートされないと確定することに用いられる第９処理ユニットと、
現在のサブフレームで、同一の搬送波で第１ＴＴＩ長による伝送のデータと第２ＴＴＩ長による伝送のデータが同時にスケジューリングされると、構成シグナリングまたは所定のルールに基づいて、当該搬送波での前記第１ＴＴＩ長による伝送のデータまたは前記第２ＴＴＩ長による伝送のデータを選択的に処理することに用いられる第２処理ユニットを含み、
または、
アップリンクおよび／またはダウンリンク伝送で、同一のサブフレームで第１ＴＴＩ長による伝送のデータと第２ＴＴＩ長による伝送のデータの同時処理がサポートされないと確定することに用いられる第１０処理ユニットと、
現在のサブフレームで第１ＴＴＩ長による伝送のデータと第２ＴＴＩ長による伝送のデータが同時に存在すると、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、
または、
同一の搬送波の同一のサブフレームで第１ＴＴＩ長による伝送の制御チャネルと第２ＴＴＩ長による伝送の制御チャネルの同時検出がサポートされないと確定することに用いられる第１１処理ユニットと、
現在のサブフレームで、現在の搬送波で構成シグナリングまたは所定のルールに基づいて、前記第１ＴＴＩ長による伝送の制御チャネルまたは前記第２ＴＴＩ長による伝送の制御チャネルを選択的に検出することに用いられる第１６処理ユニットを含み、
または、
同一のサブフレームで第１ＴＴＩ長による伝送の制御チャネルと第２ＴＴＩ長による伝送の制御チャネルの同時検出がサポートされないと確定することに用いられる第１２処理ユニットと、
現在のサブフレームで、構成シグナリングまたは所定のルールに基づいて、前記第１ＴＴＩ長による伝送の制御チャネルまたは前記第２ＴＴＩ長による伝送の制御チャネルを選択的に検出することに用いられる第１６処理ユニットを含み、
または、
同一の搬送波の同一のサブフレームで第１ＴＴＩ長による伝送の制御チャネルと第２ＴＴＩ長による伝送の制御チャネルの同時検出がサポートされると確定することに用いられる第１３処理ユニットと、
現在のサブフレームで、現在の搬送波で前記第１ＴＴＩ長による伝送の制御チャネルと前記第２ＴＴＩ長による伝送の制御チャネルを同時に検出することに用いられる第１６処理ユニットを含み、
または、
同一のサブフレームで第１ＴＴＩ長による伝送の制御チャネルと第２ＴＴＩ長による伝送の制御チャネルの同時検出がサポートされると確定することに用いられる第１４処理ユニットと、
現在のサブフレームで前記第１ＴＴＩ長による伝送の制御チャネルと前記第２ＴＴＩ長による伝送の制御チャネルを同時に検出することに用いられる第１６処理ユニットを含む請求項３３に記載の端末。
【請求項４４】
前記第２処理ユニットにおいて、具体的に、
前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示し、または、
前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決め、または、
前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決め、または、
前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの受信および／または処理を中止し、前記第１ＴＴＩ長による伝送のデータを受信および／または処理すると取り決め、または、
前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決め、または、
前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決める請求項３５、３９〜４３のいずれか一項に記載の端末。
【請求項４５】
前記第２処理ユニットにおいて、具体的に、
前記構成シグナリングは、第１ＴＴＩ長による伝送のデータと第２ＴＴＩ長による伝送のデータのうちの１つを選択的に処理することを前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択し、
または、前記構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、
または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択し、
または、前記所定のルールは、前記端末が第１ＴＴＩ長による伝送のデータと第２ＴＴＩ長による伝送のデータのうちの１つを選択的に処理することを取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択し、
または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、
または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択する請求項３７または４２に記載の端末。
【請求項４６】
前記第１６処理ユニットにおいて、具体的に、
前記構成シグナリングは、第１ＴＴＩ長による伝送の制御チャネルと第２ＴＴＩ長による伝送の制御チャネルのうちの１つを選択的に検出することを前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択することを前記端末に指示し、または、
前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決め、または、
前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、
前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決め、または、
前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、
前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決める請求項３５または４３に記載の端末。
【請求項４７】
同一の搬送波の同一のサブフレームの異なる周波数領域リソースで、前記第１ＴＴＩ長による伝送のデータと前記第２ＴＴＩ長による伝送のデータを送信または受信することに用いられる第１処理モジュールをさらに含み、または、
同一の搬送波の同一のサブフレームで前記第１ＴＴＩ長による伝送のデータと前記第２ＴＴＩ長による伝送のデータに用いられる周波数領域リソースがオーバーラップすると、ダウンリンク伝送について、基地局によってオーバーラップ部分で前記第１ＴＴＩ長による伝送のデータで前記第２ＴＴＩ長による伝送のデータを上書きすると確定し、アップリンク伝送について、オーバーラップ部分で前記第１ＴＴＩ長による伝送のデータで前記第２ＴＴＩ長による伝送のデータを上書きすることに用いられる前記第１処理モジュールをさらに含み、または、
アップリンク伝送について、同一の搬送波の同一のサブフレームで、第２ＴＴＩ長による伝送のデータのうち、第１ＴＴＩ長による伝送のデータに対応するシンボル上のデータを穿孔することに用いられる前記第１処理モジュールをさらに含む請求項３３に記載の端末。
【請求項４８】
前記第１ＴＴＩ長は、１ｍｓより小さく、前記第２ＴＴＩ長は、１ｍｓに等しく、および／または、
時間領域で開始位置が揃えたり時間領域でオーバーラップしたりする複数の前記第１ＴＴＩのＴＴＩ長は、同一であってもよく異なってもよい請求項３３に記載の端末。
【請求項４９】
端末から報告される能力または予め取り決められたルールに基づいて、共有チャネルおよび／または制御チャネルを含んで前記端末によって同一のサブフレームで処理されるデータであって、第１ＴＴＩ長による伝送のデータおよび／または前記第１ＴＴＩ長より大きい第２ＴＴＩ長による伝送のデータを確定することに用いられる第２確定モジュールを含む基地局。
【請求項５０】
前記第２確定モジュールは、具体的に、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することに用いられる第４確定サブモジュール、および／または、
前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定することに用いられる第５確定サブモジュール、および／または、
前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定することに用いられる第６確定サブモジュールを含む請求項４９に記載の基地局。
【請求項５１】
前記第６確定サブモジュールは、具体的に、
前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、現在のサブフレームで前記第１ＴＴＩ長による伝送のデータと前記第２ＴＴＩ長による伝送のデータが前記端末によって同時に処理されると確定し、または、前記端末によって同一のサブフレームで処理される第１ＴＴＩ長による伝送のデータおよび／または第２ＴＴＩ長による伝送のデータを、第５確定サブモジュールまたは第６確定サブモジュールで確定すると確定することに用いられる第３確定ユニットと、
前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含み、および／または、
前記端末から報告される能力によって、同一のサブフレームで第１ＴＴＩ長による伝送の制御チャネルと第２ＴＴＩ長による伝送の制御チャネルの同時検出が前記端末にサポートされると指示される場合、前記端末が現在のサブフレームで前記第１ＴＴＩ長による伝送の制御チャネルと第２ＴＴＩ長による伝送の制御チャネルを同時に検出すると確定することに用いられる第１９確定ユニットと、
前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、前記端末が現在のサブフレームで構成シグナリングまたは所定のルールに基づいて前記第１ＴＴＩ長による伝送の制御チャネルまたは前記第２ＴＴＩ長による伝送の制御チャネルを選択的に検出すると確定することに用いられる第２０確定ユニットを含む請求項５０に記載の基地局。
【請求項５２】
前記端末から報告される能力であって、同一のサブフレームで第１ＴＴＩ長による伝送のデータと第２ＴＴＩ長による伝送のデータの同時処理をサポートするかを指示する能力は、具体的に、
アップリンク伝送とダウンリンク伝送について、前記能力は、一括または独立に報告され、および／または、
キャリアアグリゲーションをサポートする端末について、前記能力は、全ての集約搬送波に対し一括で報告されるか、集約搬送波毎に独立に報告されることを含む請求項５０に記載の基地局。
【請求項５３】
前記第５確定サブモジュールは、具体的に、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、前記端末が現在のサブフレームで前記第１ＴＴＩ長による伝送のデータと前記第２ＴＴＩ長による伝送のデータを同時に処理すると確定することに用いられる第５確定ユニットと、
それ以外の場合に、前記端末が構成シグナリングまたは所定のルールに基づいて前記第１ＴＴＩ長による伝送のデータと前記第２ＴＴＩ長による伝送のデータのうちの一部データを選択的に処理すると確定することに用いられる第４確定ユニットを含む請求項５０に記載の基地局。
【請求項５４】
前記端末から報告される能力であって、同一のサブフレームで同時処理可能な伝送ブロックの数上限値またはＴＴＩの数上限値を指示する能力は、具体的に、
アップリンク伝送とダウンリンク伝送について、前記能力は、一括または独立に報告されることを含む請求項５０に記載の基地局。
【請求項５５】
前記第４確定サブモジュールは、具体的に、
キャリアアグリゲーションが前記端末にサポートされない場合、同一のサブフレームで第１ＴＴＩ長による伝送のデータと第２ＴＴＩ長による伝送のデータの同時処理が前記端末にサポートされないと確定することに用いられる第６確定ユニットと、
現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含む請求項５０に記載の基地局。
【請求項５６】
前記第４確定サブモジュールは、具体的に、
アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理すると確定することに用いられる第７確定ユニットと、
前記端末が、前記第１ＴＴＩ長による伝送のデータの処理前に、前記第２ＴＴＩ長による伝送のデータの符号化を完成していないのであれば、現在のサブフレームで前記第１ＴＴＩ長による伝送のデータと前記第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含む請求項５０に記載の基地局。
【請求項５７】
前記第４確定サブモジュールは、具体的に、
キャリアアグリゲーションが前記端末にサポートされないものの、ＭＩＭＯがサポートされるのであれば、前記端末から報告されるＭＩＭＯ能力に基づいて、サポートされる伝送ブロック総数を取得することに用いられる第２取得ユニットと、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、前記端末が現在のサブフレームで前記第１ＴＴＩ長による伝送のデータと前記第２ＴＴＩ長による伝送のデータを同時に処理すると確定することに用いられる第８確定ユニットと、
それ以外の場合に、現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定する方式Ａ、および／または、
アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定する方式Ｂに用いられる第４確定ユニットを含む請求項５０に記載の基地局。
【請求項５８】
前記第４確定サブモジュールは、具体的に、
キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定することに用いられる第９確定ユニットと、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、前記端末が現在のサブフレームで前記第１ＴＴＩ長による伝送のデータと前記第２ＴＴＩ長による伝送のデータを同時に処理すると確定することに用いられる第１０確定ユニットと、
それ以外の場合に、前記端末が構成シグナリングまたは所定のルールに基づいて前記第１ＴＴＩ長による伝送のデータと前記第２ＴＴＩ長による伝送のデータのうちの一部データを選択的に処理すると確定する方式Ａ、および／または、
アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定し、または、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータと前記第２ＴＴＩ長による伝送のデータのうち一部データを選択的に処理すると確定する方式Ｂに用いられる第４確定ユニットを含む請求項５０に記載の基地局。
【請求項５９】
前記第２確定モジュールは、具体的に、
アップリンク伝送で、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定することに用いられる第１１確定ユニットと、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含み、
または、
アップリンク伝送で、搬送波毎に、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで当該搬送波で前記第１ＴＴＩ長による伝送のデータと前記第２ＴＴＩ長による伝送のデータを同時に処理すると確定することに用いられる第１２確定ユニットと、
前記端末が、前記第１ＴＴＩ長による伝送のデータの処理前に、前記第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて当該搬送波での前記第１ＴＴＩ長による伝送のデータまたは前記第２ＴＴＩ長による伝送のデータを選択的に処理すると確定することに用いられる第４確定ユニットを含み、
または、
アップリンクおよび／またはダウンリンク伝送で、同一の搬送波の同一のサブフレームで第１ＴＴＩ長による伝送のデータと第２ＴＴＩ長による伝送のデータの同時処理が前記端末にサポートされないと確定することに用いられる第１３確定ユニットと、
現在のサブフレームで、同一の搬送波で第１ＴＴＩ長による伝送のデータと第２ＴＴＩ長による伝送のデータが同時にスケジューリングされると、前記端末が構成シグナリングまたは所定のルールに基づいて当該搬送波での前記第１ＴＴＩ長による伝送のデータまたは前記第２ＴＴＩ長による伝送のデータを選択的に処理すると確定することに用いられる第４確定ユニットを含み、
または、
アップリンクおよび／またはダウンリンク伝送で、同一のサブフレームで第１ＴＴＩ長による伝送のデータと第２ＴＴＩ長による伝送のデータの同時処理が前記端末にサポートされないと確定ことに用いられる第１４確定ユニットと、
現在のサブフレームで第１ＴＴＩ長による伝送のデータと第２ＴＴＩ長による伝送のデータが同時に存在すると、前記端末が構成シグナリングまたは所定のルールに基づいて、前記第１ＴＴＩ長による伝送のデータまたは前記第２ＴＴＩ長による伝送のデータを選択的に処理すると確定することに用いられる第４確定ユニットを含み、
または、
同一の搬送波の同一のサブフレームで第１ＴＴＩ長による伝送の制御チャネルと第２ＴＴＩ長による伝送の制御チャネルの同時検出が前記端末にサポートされないと確定することに用いられる第１５確定ユニットと、
前記端末が現在のサブフレームで現在の搬送波で、構成シグナリングまたは所定のルールに基づいて、前記第１ＴＴＩ長による伝送の制御チャネルまたは前記第２ＴＴＩ長による伝送の制御チャネルを選択的に検出すると確定することに用いられる第２０確定ユニットを含み、
または、
同一のサブフレームで第１ＴＴＩ長による伝送の制御チャネルと第２ＴＴＩ長による伝送の制御チャネルの同時検出が前記端末にサポートされないと確定することに用いられる第１６確定ユニットと、
前記端末が現在のサブフレームで、構成シグナリングまたは所定のルールに基づいて、前記第１ＴＴＩ長による伝送の制御チャネルまたは前記第２ＴＴＩ長による伝送の制御チャネルを選択的に検出すると確定することに用いられる第２０確定ユニットを含み、
または、
同一の搬送波の同一のサブフレームで第１ＴＴＩ長による伝送の制御チャネルと第２ＴＴＩ長による伝送の制御チャネルの同時検出が前記端末にサポートされると確定することに用いられる第１７確定ユニットと、
前記端末が現在のサブフレームで現在の搬送波で、前記第１ＴＴＩ長による伝送の制御チャネルと前記第２ＴＴＩ長による伝送の制御チャネルを同時に検出すると確定することに用いられる第２０確定ユニットを含み、
または、
同一のサブフレームで第１ＴＴＩ長による伝送の制御チャネルと第２ＴＴＩ長による伝送の制御チャネルの同時検出が前記端末にサポートされると確定することに用いられる第１８確定ユニットと、
前記端末が現在のサブフレームで前記第１ＴＴＩ長による伝送の制御チャネルと前記第２ＴＴＩ長による伝送の制御チャネルを同時に検出すると確定することに用いられる第２０確定ユニットを含む請求項４９に記載の基地局。
【請求項６０】
前記第４確定ユニットにおいて、具体的に、
前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示し、または、
前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決め、または、
前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決め、または、
前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで前記第２ＴＴＩ長による伝送のデータの受信および／または処理を中止し、前記第１ＴＴＩ長による伝送のデータを受信および／または処理すると取り決め、または、
前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決め、または、
前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決める請求項５１、５５〜５９のいずれか一項に記載の基地局。
【請求項６１】
前記第４確定ユニットにおいて、具体的に、
前記構成シグナリングは、第１ＴＴＩ長による伝送のデータと第２ＴＴＩ長による伝送のデータのうちの１つを選択的に処理することを前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択し、
または、前記構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、
または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択し、
または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択し、
または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、
または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択する請求項５３または５８に記載の基地局。
【請求項６２】
前記第２０確定ユニットにおいて、具体的に、
前記構成シグナリングは、第１ＴＴＩ長による伝送の制御チャネルと第２ＴＴＩ長による伝送の制御チャネルのうちの１つを選択的に検出すると前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると前記端末に指示し、または、
前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決め、または、
前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、
前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決め、または、
前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、
前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決める請求項５１または５９に記載の基地局。
【請求項６３】
同一の搬送波の同一のサブフレームの異なる周波数領域リソースで、前記第１ＴＴＩ長による伝送のデータと前記第２ＴＴＩ長による伝送のデータの前記端末による送信または受信をスケジューリングすることに用いられる第２処理モジュールをさらに含み、または、
同一の搬送波の同一のサブフレームで前記第１ＴＴＩ長による伝送のデータと前記第２ＴＴＩ長による伝送のデータに用いられる周波数領域リソースがオーバーラップするとスケジューリングすると、ダウンリンク伝送について、オーバーラップ部分で前記第１ＴＴＩ長による伝送のデータで前記第２ＴＴＩ長による伝送のデータを上書きし、アップリンク伝送について、前記端末によってオーバーラップ部分で前記第１ＴＴＩ長による伝送のデータで前記第２ＴＴＩ長による伝送のデータを上書きすることに用いられる前記第２処理モジュールをさらに含み、または、
アップリンク伝送について、前記端末が同一の搬送波の同一のサブフレームで、第２ＴＴＩ長による伝送のデータのうち、第１ＴＴＩ長による伝送のデータに対応するシンボル上のデータを穿孔すると確定することに用いられる前記第２処理モジュールをさらに含む請求項４９に記載の基地局。
【請求項６４】
前記第１ＴＴＩ長は、１ｍｓより小さく、前記第２ＴＴＩ長は、１ｍｓに等しく、および／または、
時間領域で開始位置が揃えたり時間領域でオーバーラップしたりする複数の前記第１ＴＴＩのＴＴＩ長は、同一であってもよく異なってもよい請求項４９に記載の基地局。
【請求項６５】
プロセッサと、
バスインタフェースを介して前記プロセッサに接続され、前記プロセッサによる操作実行に用いられるプログラムとデータを格納することに用いられるメモリとを含む端末であって、
前記プロセッサは、前記メモリに格納されているプログラムとデータを呼び出して実行すると、請求項１〜１６のいずれか一項に記載の方法を実現する端末。
【請求項６６】
プロセッサと、
バスインタフェースを介して前記プロセッサに接続され、前記プロセッサによる操作実行に用いられるプログラムとデータを格納することに用いられるメモリとを含む基地局であって、
前記プロセッサは、前記メモリに格納されているプログラムとデータを呼び出して実行すると、請求項１７〜３２のいずれか一項に記載の方法を実現する基地局。
【発明の詳細な説明】
【技術分野】
【０００１】
本願は、２０１６年５月１３日に中国特許庁に提出された中国特許出願２０１６１０３２０１８６．８の優先権を主張し、その全ての内容が援用によりここに取り込まれる。
【０００２】
本開示は、通信技術分野に係り、特にデータ伝送方法、端末および基地局に係る。
【背景技術】
【０００３】
移動通信サービスのニーズの発展と変化に伴い、ＩＴＵなど複数の組織では、将来の移動通信システムについて、より高いユーザプレーンの遅延性能要求を定義している。ユーザの遅延性能を短縮させる主要方法の１つは、伝送時間間隔（Ｔｒａｎｓｍｉｓｓｉｏｎ  Ｔｉｍｅ  Ｉｎｔｅｒｖａｌ（ＴＴＩ））長を低下させることである。将来の移動通信システムにおいて、短縮ＴＴＩと従来ＴＴＩの長さのデータ伝送が同時に存在しうる一方、具体的なデータ伝送手段は、まだ定められていない。
【０００４】
従来ＴＴＩとは、ＬＴＥシステムで定義されている１つのサブフレームであり、すなわち長さ１ｍｓのＴＴＩである。短縮ＴＴＩとは、伝送の長さが１ｍｓより小さいＴＴＩである。現在確定しているのは、短縮ＴＴＩ伝送をサポートするアップリンクチャネルに少なくともｓ−ＰＵＣＣＨ（Ｓｈｏｒｔ  Ｐｈｙｓｉｃａｌ  Ｕｐｌｉｎｋ  Ｃｏｎｔｒｏｌ  ＣＨａｎｎｅｌ）とｓ−ＰＵＳＣＨ（Ｓｈｏｒｔ  Ｐｈｙｓｉｃａｌ  Ｕｐｌｉｎｋ  Ｓｈａｒｅｄ  ＣＨａｎｎｅｌ）が含まれ、短縮ＴＴＩによる伝送をサポートするダウンリンクチャネルに少なくともｓ−ＰＤＣＣＨ（Ｓｈｏｒｔ  Ｐｈｙｓｉｃａｌ  Ｄｏｗｎｌｉｎｋ  Ｃｏｎｔｒｏｌ  ＣＨａｎｎｅｌ）とｓ−ＰＤＳＣＨ（Ｓｈｏｒｔ  Ｐｈｙｓｉｃａｌ  Ｄｏｗｎｌｉｎｋ  Ｓｈａｒｅｄ  ＣＨａｎｎｅｌ）が含まれる。
【０００５】
従来技術のデータ伝送について、ダウンリンクにおいて、１つの端末は、１つのサブフレームで、１つの搬送波で１ＴＢ（Ｔｒａｎｓｐｏｒｔ  Ｂｌｏｃｋ）伝送または２ＴＢ伝送である１つのデータ伝送しか受信できず、１つのサブフレームで、１つの搬送波で１ＴＢまたは２ＴＢ伝送である１つのデータ伝送しか送信できない。
【０００６】
進化していく通信システムにおいて、システムのリソース区分上、短縮ＴＴＩと従来ＴＴＩ伝送は、ＴＤＭ（Ｔｉｍｅ  Ｄｉｖｉｓｉｏｎ  Ｍｕｌｔｉｐｌｅｘｉｎｇ）、ＦＤＭ（Ｆｒｅｑｕｅｎｃｙ  Ｄｉｖｉｓｉｏｎ  Ｍｕｌｔｉｐｌｅｘｉｎｇ）およびＴＤＭ＋ＦＤＭ方式でシステムのスペクトルリソースに分布する。同一の端末に対し、どのように短縮ＴＴＩ伝送と従来ＴＴＩ伝送を処理するかは、まだ明確に提案されていない。
【発明の概要】
【発明が解決しようとする課題】
【０００７】
本開示の目的は、同一の端末が異なる長さのＴＴＩ伝送のデータを正しく処理できないという従来技術の問題を解決するためのデータ伝送方法、端末および基地局を提供することである。
【課題を解決するための手段】
【０００８】
上記技術問題を解決するために、本開示の実施例によるデータ伝送方法は、端末が、共有チャネルおよび／または制御チャネルを含んで同一のサブフレームで処理されるデータであって、第１ＴＴＩ長による伝送のデータおよび／または前記第１ＴＴＩ長より大きい第２ＴＴＩ長による伝送のデータを、前記端末から報告される能力または予め取り決められたルールに基づいて確定することを含む。
【０００９】
選択可能に、前記端末が、同一のサブフレームで処理されるデータであって、第１ＴＴＩ長による伝送のデータおよび／または第２ＴＴＩ長による伝送のデータを、前記端末から報告される能力に基づいて確定することは、具体的に、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１と、前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定する方式２と、前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定する方式３と、のうちの少なくとも１つを含む。
【００１０】
選択可能に、前記端末が、前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定することは、具体的に、前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、前記端末が、現在のサブフレームで第１ＴＴＩ長による伝送のデータと第２ＴＴＩ長による伝送のデータを同時に処理し、または、前記端末によって同一のサブフレームで処理される第１ＴＴＩ長による伝送のデータおよび／または第２ＴＴＩ長による伝送のデータを前記方式１または前記方式２に基づいて確定すること、前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、前記端末が、構成シグナリングまたは所定のルールに基づいて、前記第１ＴＴＩ長による伝送のデータまたは前記第２ＴＴＩ長による伝送のデータを選択的に処理することを含み、および／または、前記端末から報告される能力によって、同一のサブフレームで第１ＴＴＩ長による伝送の制御チャネルと第２ＴＴＩ長による伝送の制御チャネルの同時検出が前記端末にサポートされると指示される場合、前記端末が、現在のサブフレームで前記第１ＴＴＩ長による伝送の制御チャネルと第２ＴＴＩ長による伝送の制御チャネルを同時に検出すること、前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、前記端末が、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出することを含む。
【００１１】
選択可能に、前記端末から報告される能力であって、同一のサブフレームで第１ＴＴＩ長による伝送のデータと第２ＴＴＩ長による伝送のデータの同時処理をサポートするかを指示する能力は、具体的に、アップリンク伝送とダウンリンク伝送について、前記能力は、一括または独立に報告され、および／または、キャリアアグリゲーションをサポートする端末について、前記能力は、全ての集約搬送波に対し一括で報告されるか、集約搬送波毎に独立に報告されることを含む。
【００１２】
選択可能に、前記端末が、前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定することは、具体的に、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、前記端末が、現在のサブフレームで前記第１ＴＴＩ長による伝送のデータと前記第２ＴＴＩ長による伝送のデータを同時に処理すること、それ以外の場合、前記端末が、構成シグナリングまたは所定のルールに基づいて、前記第１ＴＴＩ長による伝送のデータと前記第２ＴＴＩ長による伝送のデータのうちの一部データを選択的に処理することを含む。
【００１３】
選択可能に、前記端末から報告される能力であって、同一のサブフレームで同時処理可能な伝送ブロックの数上限値またはＴＴＩの数上限値を指示する能力は、具体的に、アップリンク伝送とダウンリンク伝送について、前記能力は、一括または独立に報告されることを含む。
【００１４】
選択可能に、前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、キャリアアグリゲーションが前記端末にサポートされない場合、前記端末が、同一のサブフレームで第１ＴＴＩ長による伝送のデータと第２ＴＴＩ長による伝送のデータの同時処理をサポートしないと確定すること、現在のサブフレームで第１ＴＴＩ長による伝送のデータと第２ＴＴＩ長による伝送のデータが同時にスケジューリングされるのであれば、前記端末が、構成シグナリングまたは所定のルールに基づいて、前記第１ＴＴＩ長による伝送のデータまたは前記第２ＴＴＩ長による伝送のデータを選択的に処理することを含む。
【００１５】
選択可能に、前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理すること、前記端末が、前記第１ＴＴＩ長による伝送のデータの処理前に、前記第２ＴＴＩ長による伝送のデータの符号化を完成していない場合、現在のサブフレームで前記第１ＴＴＩ長による伝送のデータと前記第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理することを含む。
【００１６】
選択可能に、前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、キャリアアグリゲーションが前記端末にサポートされないものの、ＭＩＭＯがサポートされるのであれば、前記端末から報告されるＭＩＭＯ能力に基づいて、サポートされる伝送ブロック総数を取得すること、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、前記端末が、現在のサブフレームで前記第１ＴＴＩ長による伝送のデータと前記第２ＴＴＩ長による伝送のデータを同時に処理すること、それ以外の場合、前記端末が、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理する方式Ａ、および／または、アップリンク伝送で、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理し、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理する方式Ｂを含む。
【００１７】
選択可能に、前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定すること、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、前記端末が、現在のサブフレームで前記第１ＴＴＩ長による伝送のデータと前記第２ＴＴＩ長による伝送のデータを同時に処理すること、それ以外の場合、前記端末が、構成シグナリングまたは所定のルールに基づいて、前記第１ＴＴＩ長による伝送のデータと前記第２ＴＴＩ長による伝送のデータのうちの一部データを選択的に処理する方式Ａ、および／または、アップリンク伝送で、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理し、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理し、または、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータと前記第２ＴＴＩ長による伝送のデータのうちの一部データを選択的に処理する方式Ｂを含む。
【００１８】
選択可能に、前記端末が、同一のサブフレームで処理されるデータであって、第１ＴＴＩ長による伝送のデータおよび／または第２ＴＴＩ長による伝送のデータを、予め取り決められたルールに基づいて確定することは、具体的に、アップリンク伝送で、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理するが、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理すること、または、アップリンク伝送で、搬送波毎に、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで、当該搬送波で前記第１ＴＴＩ長による伝送のデータと前記第２ＴＴＩ長による伝送のデータを同時に処理するが、前記第１ＴＴＩ長による伝送のデータの処理前に、前記第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送がサポートされないと確定するとともに、構成シグナリングまたは所定のルールに基づいて、当該搬送波での前記第１ＴＴＩ長による伝送のデータまたは前記第２ＴＴＩ長による伝送のデータを選択的に処理すること、または、アップリンクおよび／またはダウンリンク伝送で、同一の搬送波の同一のサブフレームで第１ＴＴＩ長による伝送のデータと第２ＴＴＩ長による伝送のデータの同時処理がサポートされないと確定し、現在のサブフレームで、同一の搬送波で第１ＴＴＩ長による伝送のデータと第２ＴＴＩ長による伝送のデータが同時にスケジューリングされると、前記端末が、構成シグナリングまたは所定のルールに基づいて、当該搬送波での前記第１ＴＴＩ長による伝送のデータまたは前記第２ＴＴＩ長による伝送のデータを選択的に処理すること、または、アップリンクおよび／またはダウンリンク伝送で、同一のサブフレームで第１ＴＴＩ長による伝送のデータと第２ＴＴＩ長による伝送のデータの同時処理がサポートされないと確定し、現在のサブフレームで第１ＴＴＩ長による伝送のデータと第２ＴＴＩ長による伝送のデータが同時に存在すると、前記端末が、構成シグナリングまたは所定のルールに基づいて、前記第１ＴＴＩ長による伝送のデータまたは前記第２ＴＴＩ長による伝送のデータを選択的に処理すること、または、同一の搬送波の同一のサブフレームで第１ＴＴＩ長による伝送の制御チャネルと第２ＴＴＩ長による伝送の制御チャネルの同時検出がサポートされないと確定し、前記端末が、現在のサブフレームで、現在の搬送波で構成シグナリングまたは所定のルールに基づいて、前記第１ＴＴＩ長による伝送の制御チャネルまたは前記第２ＴＴＩ長による伝送の制御チャネルを選択的に検出すること、または、同一のサブフレームで第１ＴＴＩ長による伝送の制御チャネルと第２ＴＴＩ長による伝送の制御チャネルの同時検出がサポートされないと確定し、前記端末が、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出すること、または、同一の搬送波の同一のサブフレームで第１ＴＴＩ長による伝送の制御チャネルと第２ＴＴＩ長による伝送の制御チャネルの同時検出がサポートされると確定し、前記端末が、現在のサブフレームで、現在の搬送波で前記第１ＴＴＩ長による伝送の制御チャネルと前記第２ＴＴＩ長による伝送の制御チャネルを同時に検出すること、または、同一のサブフレームで第１ＴＴＩ長による伝送の制御チャネルと第２ＴＴＩ長による伝送の制御チャネルの同時検出がサポートされると確定し、前記端末が、現在のサブフレームで前記第１ＴＴＩ長による伝送の制御チャネルと前記第２ＴＴＩ長による伝送の制御チャネルを同時に検出することを含む。
【００１９】
選択可能に、前記端末が、第１ＴＴＩ長による伝送のデータまたは第２ＴＴＩ長による伝送のデータを、構成シグナリングまたは所定のルールに基づいて選択的に処理することは、具体的に、前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示すること、または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決めること、または、前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決めること、または、前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの受信および／または処理を中止し、前記第１ＴＴＩ長による伝送のデータを受信および／または処理すると取り決めること、または、前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決めること、または、前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決めることを含む。
【００２０】
選択可能に、前記端末が、構成シグナリングまたは所定のルールに基づいて、前記第１ＴＴＩ長による伝送のデータと前記第２ＴＴＩ長による伝送のデータのうちの一部データを選択的に処理することは、具体的に、前記構成シグナリングは、第１ＴＴＩ長による伝送のデータと第２ＴＴＩ長による伝送のデータのうちの１つを選択的に処理することを前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択すること、または、前記構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択すること、または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択すること、または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択することを含む。
【００２１】
選択可能に、前記端末が、前記第１ＴＴＩ長による伝送の制御チャネルまたは前記第２ＴＴＩ長による伝送の制御チャネルを、構成シグナリングまたは所定のルールに基づいて選択的に検出することは、具体的に、前記構成シグナリングは、第１ＴＴＩ長による伝送の制御チャネルと第２ＴＴＩ長による伝送の制御チャネルのうちの１つを選択的に検出することを前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択することを前記端末に指示すること、または、前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決めること、または、前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めること、または、前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めることを含む。
【００２２】
選択可能に、前記方法において、同一の搬送波の同一のサブフレームの異なる周波数領域リソースで、前記第１ＴＴＩ長による伝送のデータと前記第２ＴＴＩ長による伝送のデータを送信または受信すること、または、同一の搬送波の同一のサブフレームで前記第１ＴＴＩ長による伝送のデータと前記第２ＴＴＩ長による伝送のデータに用いられる周波数領域リソースがオーバーラップすると、ダウンリンク伝送について、前記端末が、基地局によってオーバーラップ部分で前記第１ＴＴＩ長による伝送のデータで前記第２ＴＴＩ長による伝送のデータを上書きすると確定し、アップリンク伝送について、オーバーラップ部分で前記第１ＴＴＩ長による伝送のデータで前記第２ＴＴＩ長による伝送のデータを上書きすること、または、アップリンク伝送について、同一の搬送波の同一のサブフレームで、第２ＴＴＩ長による伝送のデータのうち、第１ＴＴＩ長による伝送のデータに対応するシンボル上のデータを穿孔することをさらに含む。
【００２３】
選択可能に、前記第１ＴＴＩ長は、１ｍｓより小さく、前記第２ＴＴＩ長は、１ｍｓに等しく、および／または、時間領域で開始位置が揃えたり時間領域でオーバーラップしたりする複数の前記第１ＴＴＩのＴＴＩ長は、同一であってもよく異なってもよい。
【００２４】
本開示の実施例によるデータ伝送方法において、基地局が、端末から報告される能力または予め取り決められたルールに基づいて、共有チャネルおよび／または制御チャネルを含んで前記端末によって同一のサブフレームで処理されるデータであって、第１ＴＴＩ長による伝送のデータおよび／または前記第１ＴＴＩ長より大きい第２ＴＴＩ長による伝送のデータを確定することを含む。
【００２５】
選択可能に、前記基地局が、端末から報告される能力に基づいて、前記端末によって同一のサブフレームで処理される第１ＴＴＩ長による伝送のデータおよび／または第２ＴＴＩ長による伝送のデータを確定することは、具体的に、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１と、前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定する方式２と、前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定する方式３と、のうちの少なくとも１つを含む。
【００２６】
選択可能に、前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定することは、具体的に、前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、前記端末が現在のサブフレームで前記第１ＴＴＩ長による伝送のデータと前記第２ＴＴＩ長による伝送のデータを同時に処理すると確定し、または、前記端末によって同一のサブフレームで処理される第１ＴＴＩ長による伝送のデータおよび／または第２ＴＴＩ長による伝送のデータを、前記端末が前記方式１または前記方式２に基づいて確定すると確定すること、前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定すること、および／または、前記端末から報告される能力によって、同一のサブフレームで第１ＴＴＩ長による伝送の制御チャネルと第２ＴＴＩ長による伝送の制御チャネルの同時検出が前記端末にサポートされると指示される場合、前記端末が現在のサブフレームで前記第１ＴＴＩ長による伝送の制御チャネルと第２ＴＴＩ長による伝送の制御チャネルを同時に検出すると確定すること、前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、前記端末が現在のサブフレームで構成シグナリングまたは所定のルールに基づいて前記第１ＴＴＩ長による伝送の制御チャネルまたは前記第２ＴＴＩ長による伝送の制御チャネルを選択的に検出すると確定することを含む。
【００２７】
選択可能に、前記端末から報告される能力であって、同一のサブフレームで第１ＴＴＩ長による伝送のデータと第２ＴＴＩ長による伝送のデータの同時処理をサポートするかを指示する能力は、具体的に、アップリンク伝送とダウンリンク伝送について、前記能力は、一括または独立に報告され、および／または、キャリアアグリゲーションをサポートする端末について、前記能力は、全ての集約搬送波に対し一括で報告されるか、集約搬送波毎に独立に報告されることを含む。
【００２８】
選択可能に、前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定することは、具体的に、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、前記端末が現在のサブフレームで前記第１ＴＴＩ長による伝送のデータと前記第２ＴＴＩ長による伝送のデータを同時に処理すると確定すること、それ以外の場合に、前記端末が構成シグナリングまたは所定のルールに基づいて前記第１ＴＴＩ長による伝送のデータと前記第２ＴＴＩ長による伝送のデータのうちの一部データを選択的に処理すると確定することを含む。
【００２９】
選択可能に、前記端末から報告される能力であって、同一のサブフレームで同時処理可能な伝送ブロックの数上限値またはＴＴＩの数上限値を指示する能力は、具体的に、アップリンク伝送とダウンリンク伝送について、前記能力は、一括または独立に報告されることを含む。
【００３０】
選択可能に、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、キャリアアグリゲーションが前記端末にサポートされない場合、同一のサブフレームで第１ＴＴＩ長による伝送のデータと第２ＴＴＩ長による伝送のデータの同時処理が前記端末にサポートされないと確定すること、現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定することを含む。
【００３１】
選択可能に、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理すると確定すること、前記端末が、前記第１ＴＴＩ長による伝送のデータの処理前に、前記第２ＴＴＩ長による伝送のデータの符号化を完成していないのであれば、現在のサブフレームで前記第１ＴＴＩ長による伝送のデータと前記第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することを含む。
【００３２】
選択可能に、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、キャリアアグリゲーションが前記端末にサポートされないものの、ＭＩＭＯがサポートされるのであれば、前記端末から報告されるＭＩＭＯ能力に基づいて、サポートされる伝送ブロック総数を取得すること、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、前記端末が現在のサブフレームで前記第１ＴＴＩ長による伝送のデータと前記第２ＴＴＩ長による伝送のデータを同時に処理すると確定すること、それ以外の場合に、現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定する方式Ａ、および／または、アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定する方式Ｂを含む。
【００３３】
選択可能に、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することは、具体的に、キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定すること、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、前記端末が現在のサブフレームで前記第１ＴＴＩ長による伝送のデータと前記第２ＴＴＩ長による伝送のデータを同時に処理すると確定すること、それ以外の場合に、前記端末が構成シグナリングまたは所定のルールに基づいて前記第１ＴＴＩ長による伝送のデータと前記第２ＴＴＩ長による伝送のデータのうちの一部データを選択的に処理すると確定する方式Ａ、および／または、アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定し、または、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータと前記第２ＴＴＩ長による伝送のデータのうち一部データを選択的に処理すると確定する方式Ｂを含む。
【００３４】
選択可能に、同一のサブフレームで処理されるデータであって、第１ＴＴＩ長による伝送のデータおよび／または第２ＴＴＩ長による伝送のデータを、予め取り決められたルールに基づいて確定することは、具体的に、アップリンク伝送で、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定すること、または、アップリンク伝送で、搬送波毎に、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで当該搬送波で前記第１ＴＴＩ長による伝送のデータと前記第２ＴＴＩ長による伝送のデータを同時に処理すると確定し、前記第１ＴＴＩ長による伝送のデータの処理前に、前記第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて当該搬送波での前記第１ＴＴＩ長による伝送のデータまたは前記第２ＴＴＩ長による伝送のデータを選択的に処理すると確定すること、または、アップリンクおよび／またはダウンリンク伝送で、同一の搬送波の同一のサブフレームで第１ＴＴＩ長による伝送のデータと第２ＴＴＩ長による伝送のデータの同時処理がサポートされないと確定し、現在のサブフレームで、同一の搬送波で第１ＴＴＩ長による伝送のデータと第２ＴＴＩ長による伝送のデータが同時にスケジューリングされると、前記端末が構成シグナリングまたは所定のルールに基づいて、当該搬送波での前記第１ＴＴＩ長による伝送のデータまたは前記第２ＴＴＩ長による伝送のデータを選択的に処理すると確定すること、または、アップリンクおよび／またはダウンリンク伝送で、同一のサブフレームで第１ＴＴＩ長による伝送のデータと第２ＴＴＩ長による伝送のデータの同時処理がサポートされないと確定し、現在のサブフレームで第１ＴＴＩ長による伝送のデータと第２ＴＴＩ長による伝送のデータが同時に存在すると、前記端末が構成シグナリングまたは所定のルールに基づいて、前記第１ＴＴＩ長による伝送のデータまたは前記第２ＴＴＩ長による伝送のデータを選択的に処理すること、または、同一の搬送波の同一のサブフレームで第１ＴＴＩ長による伝送の制御チャネルと第２ＴＴＩ長による伝送の制御チャネルの同時検出が前記端末にサポートされないと確定し、前記端末が、現在のサブフレームで、現在の搬送波で構成シグナリングまたは所定のルールに基づいて、前記第１ＴＴＩ長による伝送の制御チャネルまたは前記第２ＴＴＩ長による伝送の制御チャネルを選択的に検出すること、または、同一のサブフレームで第１ＴＴＩ長による伝送の制御チャネルと第２ＴＴＩ長による伝送の制御チャネルの同時検出が前記端末にサポートされないと確定し、前記端末が、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出すること、または、同一の搬送波の同一のサブフレームで第１ＴＴＩ長による伝送の制御チャネルと第２ＴＴＩ長による伝送の制御チャネルの同時検出が前記端末にサポートされると確定し、前記端末が、現在のサブフレームで、現在の搬送波で前記第１ＴＴＩ長による伝送の制御チャネルと前記第２ＴＴＩ長による伝送の制御チャネルを同時に検出すること、または、同一のサブフレームで第１ＴＴＩ長による伝送の制御チャネルと第２ＴＴＩ長による伝送の制御チャネルの同時検出が前記端末にサポートされると確定し、前記端末が、現在のサブフレームで前記第１ＴＴＩ長による伝送の制御チャネルと前記第２ＴＴＩ長による伝送の制御チャネルを同時に検出することを含む。
【００３５】
選択可能に、前記端末が、第１ＴＴＩ長による伝送のデータまたは第２ＴＴＩ長による伝送のデータを、構成シグナリングまたは所定のルールに基づいて選択的に処理することは、具体的に、前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示すること、または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決めること、または、前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決めること、または、前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで前記第２ＴＴＩ長による伝送のデータの受信および／または処理を中止し、前記第１ＴＴＩ長による伝送のデータを受信および／または処理すると取り決めること、または、前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決めること、または、前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決めることを含む。
【００３６】
選択可能に、前記端末が、構成シグナリングまたは所定のルールに基づいて、前記第１ＴＴＩ長による伝送のデータと前記第２ＴＴＩ長による伝送のデータのうちの一部データを選択的に処理することは、具体的に、前記構成シグナリングは、第１ＴＴＩ長による伝送のデータと第２ＴＴＩ長による伝送のデータのうちの１つを選択的に処理すると前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理すると前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択すること、または、前記構成シグナリングは、Ａ１個の第１ＴＴＩ長による伝送のデータおよび／またはＡ２個の第２ＴＴＩ長による伝送のデータを選択すると指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択すること、または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択すること、または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択することを含む。
【００３７】
選択可能に、前記端末が、前記第１ＴＴＩ長による伝送の制御チャネルまたは前記第２ＴＴＩ長による伝送の制御チャネルを、構成シグナリングまたは所定のルールに基づいて選択的に検出することは、具体的に、前記構成シグナリングは、第１ＴＴＩ長による伝送の制御チャネルと第２ＴＴＩ長による伝送の制御チャネルのうちの１つを選択的に検出すると前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると前記端末に指示すること、または、前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決めること、または、前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めること、または、前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めることを含む。
【００３８】
選択可能に、前記方法において、同一の搬送波の同一のサブフレームの異なる周波数領域リソースで、前記第１ＴＴＩ長による伝送のデータと前記第２ＴＴＩ長による伝送のデータの前記端末による送信または受信をスケジューリングすること、または、同一の搬送波の同一のサブフレームで前記第１ＴＴＩ長による伝送のデータと前記第２ＴＴＩ長による伝送のデータに用いられる周波数領域リソースがオーバーラップするとスケジューリングすると、ダウンリンク伝送について、前記基地局が、オーバーラップ部分で前記第１ＴＴＩ長による伝送のデータで前記第２ＴＴＩ長による伝送のデータを上書きし、アップリンク伝送について、前記基地局が、前記端末によってオーバーラップ部分で前記第１ＴＴＩ長による伝送のデータで前記第２ＴＴＩ長による伝送のデータを上書きすると確定すること、または、アップリンク伝送について、前記端末が同一の搬送波の同一のサブフレームで、第２ＴＴＩ長による伝送のデータのうち、第１ＴＴＩ長による伝送のデータに対応するシンボル上のデータを穿孔すると確定することをさらに含む。
【００３９】
選択可能に、前記第１ＴＴＩ長は、１ｍｓより小さく、前記第２ＴＴＩ長は、１ｍｓに等しく、および／または、時間領域で開始位置が揃えたり時間領域でオーバーラップしたりする複数の前記第１ＴＴＩのＴＴＩ長は、同一であってもよく異なってもよい。
【００４０】
本開示の実施例による端末は、共有チャネルおよび／または制御チャネルを含んで同一のサブフレームで処理されるデータであって、第１ＴＴＩ長による伝送のデータおよび／または前記第１ＴＴＩ長より大きい第２ＴＴＩ長による伝送のデータを、前記端末から報告される能力または予め取り決められたルールに基づいて確定することに用いられる第１確定モジュールを含む。
【００４１】
選択可能に、前記第１確定モジュールは、具体的に、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することに用いられる第１確定サブモジュール、および／または、前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定することに用いられる第２確定サブモジュール、および／または、前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定することに用いられる第３確定サブモジュールを含む。
【００４２】
選択可能に、前記第３確定サブモジュールは、具体的に、前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、現在のサブフレームで第１ＴＴＩ長による伝送のデータと第２ＴＴＩ長による伝送のデータを同時に処理し、または、前記端末によって同一のサブフレームで処理される第１ＴＴＩ長による伝送のデータおよび／または第２ＴＴＩ長による伝送のデータを、前記第２確定サブモジュールまたは第３確定サブモジュールを用いて確定することに用いられる第１処理ユニットと、前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、および／または、前記端末から報告される能力によって、同一のサブフレームで第１ＴＴＩ長による伝送の制御チャネルと第２ＴＴＩ長による伝送の制御チャネルの同時検出が前記端末にサポートされると指示される場合、現在のサブフレームで前記第１ＴＴＩ長による伝送の制御チャネルと第２ＴＴＩ長による伝送の制御チャネルを同時に検出することに用いられる第１５処理ユニットと、前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出することに用いられる第１６処理ユニットを含む。
【００４３】
選択可能に、前記端末から報告される能力であって、同一のサブフレームで第１ＴＴＩ長による伝送のデータと第２ＴＴＩ長による伝送のデータの同時処理をサポートするかを指示する能力は、具体的に、アップリンク伝送とダウンリンク伝送について、前記能力は、一括または独立に報告され、および／または、キャリアアグリゲーションをサポートする端末について、前記能力は、全ての集約搬送波に対し一括で報告されるか、集約搬送波毎に独立に報告されることを含む。
【００４４】
選択可能に、前記第２確定サブモジュールは、具体的に、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、現在のサブフレームで前記第１ＴＴＩ長による伝送のデータと前記第２ＴＴＩ長による伝送のデータを同時に処理することに用いられる第３処理ユニットと、それ以外の場合に、構成シグナリングまたは所定のルールに基づいて、前記第１ＴＴＩ長による伝送のデータと前記第２ＴＴＩ長による伝送のデータのうちの一部データを選択的に処理することに用いられる第２処理ユニットを含む。
【００４５】
選択可能に、前記端末から報告される能力であって、同一のサブフレームで同時処理可能な伝送ブロックの数上限値またはＴＴＩの数上限値を指示する能力は、具体的に、アップリンク伝送とダウンリンク伝送について、前記能力は、一括または独立に報告されることを含む。
【００４６】
選択可能に、前記第１確定サブモジュールは、具体的に、キャリアアグリゲーションが前記端末にサポートされない場合、同一のサブフレームで第１ＴＴＩ長による伝送のデータと第２ＴＴＩ長による伝送のデータの同時処理をサポートしないと確定することに用いられる第１確定ユニットと、現在のサブフレームで第１ＴＴＩ長による伝送のデータと第２ＴＴＩ長による伝送のデータが同時にスケジューリングされるのであれば、構成シグナリングまたは所定のルールに基づいて、前記第１ＴＴＩ長による伝送のデータまたは前記第２ＴＴＩ長による伝送のデータを選択的に処理することに用いられる第２処理ユニットを含む。
【００４７】
選択可能に、前記第１確定サブモジュールは、具体的に、アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理することに用いられる第４処理ユニットと、前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理することに用いられる第２処理ユニットを含む。
【００４８】
選択可能に、前記第１確定サブモジュールは、具体的に、キャリアアグリゲーションが前記端末にサポートされないものの、ＭＩＭＯがサポートされるのであれば、前記端末から報告されるＭＩＭＯ能力に基づいて、サポートされる伝送ブロック総数を取得することに用いられる第１取得ユニットと、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、現在のサブフレームで前記第１ＴＴＩ長による伝送のデータと前記第２ＴＴＩ長による伝送のデータを同時に処理することに用いられる第５処理ユニットと、それ以外の場合に、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理する方式Ａ、および／または、アップリンク伝送で、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理し、前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理する方式Ｂに用いられる第２処理ユニットを含む。
【００４９】
選択可能に、前記第１確定サブモジュールは、具体的に、キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定することに用いられる第２確定ユニット、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、現在のサブフレームで前記第１ＴＴＩ長による伝送のデータと前記第２ＴＴＩ長による伝送のデータを同時に処理することに用いられる第６処理ユニット、それ以外の場合に、構成シグナリングまたは所定のルールに基づいて、前記第１ＴＴＩ長による伝送のデータと前記第２ＴＴＩ長による伝送のデータのうちの一部データを選択的に処理する方式Ａ、および／または、アップリンク伝送で、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理し、前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理し、または、前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータと前記第２ＴＴＩ長による伝送のデータのうちの一部データを選択的に処理する方式Ｂに用いられる第２処理ユニットを含む。
【００５０】
選択可能に、前記第１確定モジュールは、具体的に、アップリンク伝送で、現在のサブフレームで第１ＴＴＩ長による伝送のデータと第２ＴＴＩ長による伝送のデータが同時にスケジューリングされるのであれば、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理することに用いられる第７処理ユニットと、前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、または、アップリンク伝送で、搬送波毎に、現在のサブフレームで第１ＴＴＩ長による伝送のデータと第２ＴＴＩ長による伝送のデータが同時にスケジューリングされるのであれば、前記第１ＴＴＩ長による伝送のデータの処理前に、前記第２ＴＴＩ長による伝送のデータの符号化が完成された場合、現在のサブフレームで、当該搬送波で前記第１ＴＴＩ長による伝送のデータと前記第２ＴＴＩ長による伝送のデータを同時に処理することに用いられる第８処理ユニットと、前記第１ＴＴＩ長による伝送のデータの処理前に、前記第２ＴＴＩ長による伝送のデータの符号化が完成されていない場合、当該搬送波では、現在のサブフレームで第１ＴＴＩ長による伝送のデータと第２ＴＴＩ長による伝送のデータの同時伝送がサポートされないと確定するとともに、構成シグナリングまたは所定のルールに基づいて、当該搬送波での前記第１ＴＴＩ長による伝送のデータまたは前記第２ＴＴＩ長による伝送のデータを選択的に処理することに用いられる第２処理ユニットを含み、または、アップリンクおよび／またはダウンリンク伝送で、同一の搬送波の同一のサブフレームで第１ＴＴＩ長による伝送のデータと第２ＴＴＩ長による伝送のデータの同時処理がサポートされないと確定することに用いられる第９処理ユニットと、現在のサブフレームで、同一の搬送波で第１ＴＴＩ長による伝送のデータと第２ＴＴＩ長による伝送のデータが同時にスケジューリングされると、構成シグナリングまたは所定のルールに基づいて、当該搬送波での前記第１ＴＴＩ長による伝送のデータまたは前記第２ＴＴＩ長による伝送のデータを選択的に処理することに用いられる第２処理ユニットを含み、または、アップリンクおよび／またはダウンリンク伝送で、同一のサブフレームで第１ＴＴＩ長による伝送のデータと第２ＴＴＩ長による伝送のデータの同時処理がサポートされないと確定することに用いられる第１０処理ユニットと、現在のサブフレームで第１ＴＴＩ長による伝送のデータと第２ＴＴＩ長による伝送のデータが同時に存在すると、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、または、同一の搬送波の同一のサブフレームで第１ＴＴＩ長による伝送の制御チャネルと第２ＴＴＩ長による伝送の制御チャネルの同時検出がサポートされないと確定することに用いられる第１１処理ユニットと、現在のサブフレームで、現在の搬送波で構成シグナリングまたは所定のルールに基づいて、前記第１ＴＴＩ長による伝送の制御チャネルまたは前記第２ＴＴＩ長による伝送の制御チャネルを選択的に検出することに用いられる第１６処理ユニットを含み、または、同一のサブフレームで第１ＴＴＩ長による伝送の制御チャネルと第２ＴＴＩ長による伝送の制御チャネルの同時検出がサポートされないと確定することに用いられる第１２処理ユニットと、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出することに用いられる第１６処理ユニットを含み、または、同一の搬送波の同一のサブフレームで第１ＴＴＩ長による伝送の制御チャネルと第２ＴＴＩ長による伝送の制御チャネルの同時検出がサポートされると確定することに用いられる第１３処理ユニットと、現在のサブフレームで、現在の搬送波で前記第１ＴＴＩ長による伝送の制御チャネルと前記第２ＴＴＩ長による伝送の制御チャネルを同時に検出することに用いられる第１６処理ユニットを含み、または、同一のサブフレームで第１ＴＴＩ長による伝送の制御チャネルと第２ＴＴＩ長による伝送の制御チャネルの同時検出がサポートされると確定することに用いられる第１４処理ユニットと、現在のサブフレームで前記第１ＴＴＩ長による伝送の制御チャネルと前記第２ＴＴＩ長による伝送の制御チャネルを同時に検出することに用いられる第１６処理ユニットを含む。
【００５１】
選択可能に、前記第２処理ユニットにおいて、具体的に、前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示し、または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決め、または、前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決め、または、前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの受信および／または処理を中止し、前記第１ＴＴＩ長による伝送のデータを受信および／または処理すると取り決め、または、前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決め、または、前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決める。
【００５２】
選択可能に、前記第２処理ユニットにおいて、具体的に、前記構成シグナリングは、第１ＴＴＩ長による伝送のデータと第２ＴＴＩ長による伝送のデータのうちの１つを選択的に処理することを前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択し、または、前記構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択し、または、前記所定のルールは、前記端末が第１ＴＴＩ長による伝送のデータと第２ＴＴＩ長による伝送のデータのうちの１つを選択的に処理することを取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択し、または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択する。
【００５３】
選択可能に、前記第１６処理ユニットにおいて、具体的に、前記構成シグナリングは、第１ＴＴＩ長による伝送の制御チャネルと第２ＴＴＩ長による伝送の制御チャネルのうちの１つを選択的に検出することを前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択することを前記端末に指示し、または、前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決め、または、前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決め、または、前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、
前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決める。
【００５４】
選択可能に、前記端末は、同一の搬送波の同一のサブフレームの異なる周波数領域リソースで、前記第１ＴＴＩ長による伝送のデータと前記第２ＴＴＩ長による伝送のデータを送信または受信することに用いられる第１処理モジュールをさらに含み、または、同一の搬送波の同一のサブフレームで前記第１ＴＴＩ長による伝送のデータと前記第２ＴＴＩ長による伝送のデータに用いられる周波数領域リソースがオーバーラップすると、ダウンリンク伝送について、基地局によってオーバーラップ部分で前記第１ＴＴＩ長による伝送のデータで前記第２ＴＴＩ長による伝送のデータを上書きすると確定し、アップリンク伝送について、オーバーラップ部分で前記第１ＴＴＩ長による伝送のデータで前記第２ＴＴＩ長による伝送のデータを上書きすることに用いられる前記第１処理モジュールをさらに含み、または、アップリンク伝送について、同一の搬送波の同一のサブフレームで、第２ＴＴＩ長による伝送のデータのうち、第１ＴＴＩ長による伝送のデータに対応するシンボル上のデータを穿孔することに用いられる前記第１処理モジュールをさらに含む。
【００５５】
選択可能に、前記第１ＴＴＩ長は、１ｍｓより小さく、前記第２ＴＴＩ長は、１ｍｓに等しく、および／または、時間領域で開始位置が揃えたり時間領域でオーバーラップしたりする複数の前記第１ＴＴＩのＴＴＩ長は、同一であってもよく異なってもよい。
【００５６】
本開示の実施例による基地局は、端末から報告される能力または予め取り決められたルールに基づいて、共有チャネルおよび／または制御チャネルを含んで前記端末によって同一のサブフレームで処理されるデータであって、第１ＴＴＩ長による伝送のデータおよび／または前記第１ＴＴＩ長より大きい第２ＴＴＩ長による伝送のデータを確定することに用いられる第２確定モジュールを含む。
【００５７】
選択可能に、前記第２確定モジュールは、具体的に、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することに用いられる第４確定サブモジュール、および／または、前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定することに用いられる第５確定サブモジュール、および／または、前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定することに用いられる第６確定サブモジュールを含む。
【００５８】
選択可能に、前記第６確定サブモジュールは、具体的に、前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、現在のサブフレームで前記第１ＴＴＩ長による伝送のデータと前記第２ＴＴＩ長による伝送のデータが前記端末によって同時に処理されると確定し、または、前記端末によって同一のサブフレームで処理される第１ＴＴＩ長による伝送のデータおよび／または第２ＴＴＩ長による伝送のデータを、第５確定サブモジュールまたは第６確定サブモジュールで確定すると確定することに用いられる第３確定ユニットと、前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含み、および／または、前記端末から報告される能力によって、同一のサブフレームで第１ＴＴＩ長による伝送の制御チャネルと第２ＴＴＩ長による伝送の制御チャネルの同時検出が前記端末にサポートされると指示される場合、前記端末が現在のサブフレームで前記第１ＴＴＩ長による伝送の制御チャネルと第２ＴＴＩ長による伝送の制御チャネルを同時に検出すると確定することに用いられる第１９確定ユニットと、前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、前記端末が現在のサブフレームで構成シグナリングまたは所定のルールに基づいて前記第１ＴＴＩ長による伝送の制御チャネルまたは前記第２ＴＴＩ長による伝送の制御チャネルを選択的に検出すると確定することに用いられる第２０確定ユニットを含む。
【００５９】
選択可能に、前記端末から報告される能力であって、同一のサブフレームで第１ＴＴＩ長による伝送のデータと第２ＴＴＩ長による伝送のデータの同時処理をサポートするかを指示する能力は、具体的に、アップリンク伝送とダウンリンク伝送について、前記能力は、一括または独立に報告され、および／または、キャリアアグリゲーションをサポートする端末について、前記能力は、全ての集約搬送波に対し一括で報告されるか、集約搬送波毎に独立に報告されることを含む。
【００６０】
選択可能に、前記第５確定サブモジュールは、具体的に、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、前記端末が現在のサブフレームで前記第１ＴＴＩ長による伝送のデータと前記第２ＴＴＩ長による伝送のデータを同時に処理すると確定することに用いられる第５確定ユニットと、それ以外の場合に、前記端末が構成シグナリングまたは所定のルールに基づいて前記第１ＴＴＩ長による伝送のデータと前記第２ＴＴＩ長による伝送のデータのうちの一部データを選択的に処理すると確定することに用いられる第４確定ユニットを含む。
【００６１】
選択可能に、前記端末から報告される能力であって、同一のサブフレームで同時処理可能な伝送ブロックの数上限値またはＴＴＩの数上限値を指示する能力は、具体的に、アップリンク伝送とダウンリンク伝送について、前記能力は、一括または独立に報告されることを含む。
【００６２】
選択可能に、前記第４確定サブモジュールは、具体的に、キャリアアグリゲーションが前記端末にサポートされない場合、同一のサブフレームで第１ＴＴＩ長による伝送のデータと第２ＴＴＩ長による伝送のデータの同時処理が前記端末にサポートされないと確定することに用いられる第６確定ユニットと、現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含む。
【００６３】
選択可能に、前記第４確定サブモジュールは、具体的に、アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理すると確定することに用いられる第７確定ユニットと、前記端末が、前記第１ＴＴＩ長による伝送のデータの処理前に、前記第２ＴＴＩ長による伝送のデータの符号化を完成していないのであれば、現在のサブフレームで前記第１ＴＴＩ長による伝送のデータと前記第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含む。
【００６４】
選択可能に、前記第４確定サブモジュールは、具体的に、キャリアアグリゲーションが前記端末にサポートされないものの、ＭＩＭＯがサポートされるのであれば、前記端末から報告されるＭＩＭＯ能力に基づいて、サポートされる伝送ブロック総数を取得することに用いられる第２取得ユニットと、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、前記端末が現在のサブフレームで前記第１ＴＴＩ長による伝送のデータと前記第２ＴＴＩ長による伝送のデータを同時に処理すると確定することに用いられる第８確定ユニットと、それ以外の場合に、現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定する方式Ａ、および／または、アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定する方式Ｂに用いられる第４確定ユニットを含む。
【００６５】
選択可能に、前記第４確定サブモジュールは、具体的に、キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定することに用いられる第９確定ユニットと、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、前記端末が現在のサブフレームで前記第１ＴＴＩ長による伝送のデータと前記第２ＴＴＩ長による伝送のデータを同時に処理すると確定することに用いられる第１０確定ユニットと、それ以外の場合に、前記端末が構成シグナリングまたは所定のルールに基づいて前記第１ＴＴＩ長による伝送のデータと前記第２ＴＴＩ長による伝送のデータのうちの一部データを選択的に処理すると確定する方式Ａ、および／または、アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定し、または、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータと前記第２ＴＴＩ長による伝送のデータのうち一部データを選択的に処理すると確定する方式Ｂに用いられる第４確定ユニットを含む。
【００６６】
選択可能に、前記第２確定モジュールは、具体的に、アップリンク伝送で、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定することに用いられる第１１確定ユニットと、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含み、または、アップリンク伝送で、搬送波毎に、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで当該搬送波で前記第１ＴＴＩ長による伝送のデータと前記第２ＴＴＩ長による伝送のデータを同時に処理すると確定することに用いられる第１２確定ユニットと、前記端末が、前記第１ＴＴＩ長による伝送のデータの処理前に、前記第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて当該搬送波での前記第１ＴＴＩ長による伝送のデータまたは前記第２ＴＴＩ長による伝送のデータを選択的に処理すると確定することに用いられる第４確定ユニットを含み、または、アップリンクおよび／またはダウンリンク伝送で、同一の搬送波の同一のサブフレームで第１ＴＴＩ長による伝送のデータと第２ＴＴＩ長による伝送のデータの同時処理が前記端末にサポートされないと確定することに用いられる第１３確定ユニットと、現在のサブフレームで、同一の搬送波で第１ＴＴＩ長による伝送のデータと第２ＴＴＩ長による伝送のデータが同時にスケジューリングされると、前記端末が構成シグナリングまたは所定のルールに基づいて当該搬送波での前記第１ＴＴＩ長による伝送のデータまたは前記第２ＴＴＩ長による伝送のデータを選択的に処理すると確定することに用いられる第４確定ユニットを含み、または、アップリンクおよび／またはダウンリンク伝送で、同一のサブフレームで第１ＴＴＩ長による伝送のデータと第２ＴＴＩ長による伝送のデータの同時処理が前記端末にサポートされないと確定ことに用いられる第１４確定ユニットと、現在のサブフレームで第１ＴＴＩ長による伝送のデータと第２ＴＴＩ長による伝送のデータが同時に存在すると、前記端末が構成シグナリングまたは所定のルールに基づいて、前記第１ＴＴＩ長による伝送のデータまたは前記第２ＴＴＩ長による伝送のデータを選択的に処理すると確定することに用いられる第４確定ユニットを含み、または、同一の搬送波の同一のサブフレームで第１ＴＴＩ長による伝送の制御チャネルと第２ＴＴＩ長による伝送の制御チャネルの同時検出が前記端末にサポートされないと確定することに用いられる第１５確定ユニットと、前記端末が現在のサブフレームで現在の搬送波で、構成シグナリングまたは所定のルールに基づいて、前記第１ＴＴＩ長による伝送の制御チャネルまたは前記第２ＴＴＩ長による伝送の制御チャネルを選択的に検出すると確定することに用いられる第２０確定ユニットを含み、または、同一のサブフレームで第１ＴＴＩ長による伝送の制御チャネルと第２ＴＴＩ長による伝送の制御チャネルの同時検出が前記端末にサポートされないと確定することに用いられる第１６確定ユニットと、前記端末が現在のサブフレームで、構成シグナリングまたは所定のルールに基づいて、前記第１ＴＴＩ長による伝送の制御チャネルまたは前記第２ＴＴＩ長による伝送の制御チャネルを選択的に検出すると確定することに用いられる第２０確定ユニットを含み、または、同一の搬送波の同一のサブフレームで第１ＴＴＩ長による伝送の制御チャネルと第２ＴＴＩ長による伝送の制御チャネルの同時検出が前記端末にサポートされると確定することに用いられる第１７確定ユニットと、前記端末が現在のサブフレームで現在の搬送波で、前記第１ＴＴＩ長による伝送の制御チャネルと前記第２ＴＴＩ長による伝送の制御チャネルを同時に検出すると確定することに用いられる第２０確定ユニットを含み、または、同一のサブフレームで第１ＴＴＩ長による伝送の制御チャネルと第２ＴＴＩ長による伝送の制御チャネルの同時検出が前記端末にサポートされると確定することに用いられる第１８確定ユニットと、前記端末が現在のサブフレームで前記第１ＴＴＩ長による伝送の制御チャネルと前記第２ＴＴＩ長による伝送の制御チャネルを同時に検出すると確定することに用いられる第２０確定ユニットを含む。
【００６７】
選択可能に、前記第４確定ユニットにおいて、具体的に、前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示し、または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決め、または、前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決め、または、前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで前記第２ＴＴＩ長による伝送のデータの受信および／または処理を中止し、前記第１ＴＴＩ長による伝送のデータを受信および／または処理すると取り決め、または、前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決め、または、前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決める。
【００６８】
選択可能に、前記第４確定ユニットにおいて、具体的に、前記構成シグナリングは、第１ＴＴＩ長による伝送のデータと第２ＴＴＩ長による伝送のデータのうちの１つを選択的に処理することを前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択し、または、前記構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択し、または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択し、
または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択する。
【００６９】
選択可能に、前記第２０確定ユニットにおいて、具体的に、前記構成シグナリングは、第１ＴＴＩ長による伝送の制御チャネルと第２ＴＴＩ長による伝送の制御チャネルのうちの１つを選択的に検出すると前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると前記端末に指示し、または、前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決め、または、前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決め、または、前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決める。
【００７０】
選択可能に、前記基地局は、同一の搬送波の同一のサブフレームの異なる周波数領域リソースで、前記第１ＴＴＩ長による伝送のデータと前記第２ＴＴＩ長による伝送のデータの前記端末による送信または受信をスケジューリングすることに用いられる第２処理モジュールをさらに含み、または、同一の搬送波の同一のサブフレームで前記第１ＴＴＩ長による伝送のデータと前記第２ＴＴＩ長による伝送のデータに用いられる周波数領域リソースがオーバーラップするとスケジューリングすると、ダウンリンク伝送について、オーバーラップ部分で前記第１ＴＴＩ長による伝送のデータで前記第２ＴＴＩ長による伝送のデータを上書きし、アップリンク伝送について、前記端末によってオーバーラップ部分で前記第１ＴＴＩ長による伝送のデータで前記第２ＴＴＩ長による伝送のデータを上書きすることに用いられる前記第２処理モジュールをさらに含み、または、アップリンク伝送について、前記端末が同一の搬送波の同一のサブフレームで、第２ＴＴＩ長による伝送のデータのうち、第１ＴＴＩ長による伝送のデータに対応するシンボル上のデータを穿孔すると確定することに用いられる前記第２処理モジュールをさらに含む。
【００７１】
選択可能に、前記第１ＴＴＩ長は、１ｍｓより小さく、前記第２ＴＴＩ長は、１ｍｓに等しく、および／または、時間領域で開始位置が揃えたり時間領域でオーバーラップしたりする複数の前記第１ＴＴＩのＴＴＩ長は、同一であってもよく異なってもよい。
発明の効果
【００７２】
前記データ伝送方法において、端末自身の能力または予め取り決められたルールに基づいて、異なる長さのＴＴＩ伝送のデータの同時処理をサポートするかを確定することによって、異なる長さのＴＴＩ伝送をサポートする端末による処理能力内の正しい伝送を保証し、同一の端末が異なる長さのＴＴＩ伝送のデータを正しく処理できないという従来技術の問題を解決した。
【図面の簡単な説明】
【００７３】
【図１】図１は、本開示の実施例のデータ伝送方法のフローチャートである。
【図２】図２は、本開示の実施例のデータ伝送方法のフローチャートである。
【図３】図３は、本開示の実施例の具体的な応用例において従来ＴＴＩと短縮ＴＴＩダウンリンク伝送が同時に行われることを示す。
【図４】図４は、本開示の実施例の具体的な応用例において従来ＴＴＩと短縮ＴＴＩアップリンク伝送が同時に行われることを示す。
【図５】図５は、本開示の実施例の具体的な応用例において端末が短縮ＴＴＩ送信を選択する伝送図である。
【図６】図６は、本開示の実施例の具体的な応用例において端末が従来ＴＴＩのうち短縮ＴＴＩに対応する伝送時間をスケジューリングする伝送図である。
【図７】図７は、本開示の実施例の端末の構造図である。
【図８】図８は、本開示の実施例の端末の構造図である。
【図９】図９は、本開示の実施例の基地局の構造図である。
【図１０】図１０は、本開示の実施例の基地局の構造図である。
【発明を実施するための形態】
【００７４】
本開示の解決しようとする技術課題、技術手段および利点をより明確にするために、以下、図面および具体的な実施例を参照して詳細に記載する。
【００７５】
本開示は、同一の端末が異なる長さのＴＴＩ伝送のデータを正しく処理できないという従来技術の問題に対し、複数の解決案を提供している。詳細を以下に記する。
【００７６】
図１に示されているように、本開示の実施例によるデータ伝送方法において、ステップ１１を含む。
ステップ１１において、端末は、当該端末から報告される能力または予め取り決められたルールに基づいて、同一のサブフレームで処理される第１ＴＴＩ長による伝送のデータおよび／または第２ＴＴＩ長による伝送のデータを確定する。当該データは、共有チャネルおよび／または制御チャネルを含む。ここで、第１ＴＴＩ長は、当該第２ＴＴＩ長より小さい。
【００７７】
ステップ１１において、具体的に、端末が同一のサブフレームで同一の搬送波で第１ＴＴＩ長による伝送のデータと第２ＴＴＩ長による伝送のデータを同時に処理できるか、および／または、同一のサブフレームで異なる搬送波で第１ＴＴＩ長による伝送のデータと第２ＴＴＩ長による伝送のデータを同時に処理できるかを確定することを含み、同時処理ができない場合、一部のＴＴＩ伝送のデータを選択して処理することをさらに含む。
【００７８】
ここで、当該端末が、同一のサブフレームで処理される第１ＴＴＩ長による伝送のデータおよび／または第２ＴＴＩ長による伝送のデータを、当該端末から報告される能力に基づいて確定することは、具体的に、下記の方式１および／または方式２および／または方式３を含む。
方式１：当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定する。
方式２：当該端末から報告される能力であって、同一のサブフレームで同時処理可能な伝送ブロック（第１ＴＴＩ長による伝送のデータと第２ＴＴＩ長による伝送のデータを含む。）の数上限値またはＴＴＩの数上限値を指示する能力に基づいて、当該端末によって同一のサブフレームで処理される第１ＴＴＩ長による伝送のデータおよび／または第２ＴＴＩ長による伝送のデータを確定する。
方式３：当該端末から報告される能力であって、同一のサブフレームで第１ＴＴＩ長による伝送のデータと第２ＴＴＩ長による伝送のデータの同時処理をサポートするかを指示する能力に基づいて、当該端末によって同一のサブフレームで処理される第１ＴＴＩ長による伝送のデータおよび／または第２ＴＴＩ長による伝送のデータを確定する。
【００７９】
方式３について、当該端末が、当該端末から報告される能力であって、同一のサブフレームで第１ＴＴＩ長による伝送のデータと第２ＴＴＩ長による伝送のデータの同時処理をサポートするかを指示する能力に基づいて、当該端末によって同一のサブフレームで処理される第１ＴＴＩ長による伝送のデータおよび／または第２ＴＴＩ長による伝送のデータを確定することは、具体的に、以下を含む。
当該端末から報告される能力によって、同一のサブフレームで第１ＴＴＩ長による伝送のデータと第２ＴＴＩ長による伝送のデータの同時処理が当該端末にサポートされると指示される場合、現在のサブフレームで第１ＴＴＩ長による伝送のデータと第２ＴＴＩ長による伝送のデータが同時にスケジューリングされるのであれば、当該端末は、現在のサブフレームで第１ＴＴＩ長による伝送のデータと第２ＴＴＩ長による伝送のデータを同時に処理する。
当該端末から報告される能力によって、同一のサブフレームで第１ＴＴＩ長による伝送のデータと第２ＴＴＩ長による伝送のデータの同時処理が当該端末にサポートされないと指示される場合、現在のサブフレームで第１ＴＴＩ長による伝送のデータと第２ＴＴＩ長による伝送のデータが同時にスケジューリングされるのであれば、当該端末は、構成シグナリングまたは所定のルールに基づいて、第１ＴＴＩ長による伝送のデータまたは第２ＴＴＩ長による伝送のデータを選択的に処理する。
【００８０】
具体的に、当該端末から報告される能力であって、同一のサブフレームで第１ＴＴＩ長による伝送のデータと第２ＴＴＩ長による伝送のデータの同時処理をサポートするかを指示する能力について、アップリンク伝送とダウンリンク伝送について、当該能力は、一括または独立に報告され、および／または、キャリアアグリゲーションをサポートする端末について、当該能力は、全ての集約搬送波について一括報告されるか、集約搬送波毎に独立に報告される。
【００８１】
ここで、アップリンクとダウンリンクにおいて当該能力を一括報告する場合、共に上記方式３の具体的なフローで処理するが、アップリンクとダウンリンクにおいて当該能力を独立に報告する場合、アップリンク、ダウンリンクのそれぞれに対し、対応する報告能力に基づいて、上記方式３の具体的なフローで処理する。全ての集約搬送波について当該能力を一括報告する場合、搬送波毎に上記方式３の具体的なフローで処理するが、集約搬送波毎に当該能力を独立に報告する場合、集約搬送波毎に、対応する報告能力に基づいて、上記方式３の具体的なフローで処理する。
【００８２】
また、方式３は、方式１または方式２と組み合わせて使用されてもよい。例えば、当該端末から報告される能力によって、同一のサブフレームで第１ＴＴＩ長による伝送のデータと第２ＴＴＩ長による伝送のデータの同時処理が当該端末にサポートされると指示される場合、現在のサブフレームで第１ＴＴＩ長による伝送のデータと第２ＴＴＩ長による伝送のデータが同時にスケジューリングされるのであれば、さらに、当該端末によって同一のサブフレームで処理される第１ＴＴＩ長による伝送のデータおよび／または第２ＴＴＩ長による伝送のデータを、方式１または方式２に基づいて確定する。すなわち、具体的な実現方式は、方式１または方式２で伝送ブロックの数上限値またはＴＴＩの数上限値に基づいて選択的処理データを確定する方式を参照してもよい。
【００８３】
方式２について、当該端末が、当該端末から報告される能力であって、同一のサブフレームで同時処理可能な伝送ブロックの数上限値またはＴＴＩの数上限値を指示する能力に基づいて、当該端末によって同一のサブフレームで処理される第１ＴＴＩ長による伝送のデータおよび／または第２ＴＴＩ長による伝送のデータを確定することは、具体的に、以下を含む。
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される当該伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される当該ＴＴＩの数上限値以下になるのであれば、当該端末は、現在のサブフレームで第１ＴＴＩ長による伝送のデータと第２ＴＴＩ長による伝送のデータを同時に処理する。
それ以外の場合、当該端末は、構成シグナリングまたは所定のルールに基づいて、第１ＴＴＩ長による伝送のデータと第２ＴＴＩ長による伝送のデータのうちの一部データを選択的に処理する。
【００８４】
ここで、「時間領域で開始位置が揃えたり時間領域でオーバーラップしたりする第１ＴＴＩ長による伝送のデータ」は、「第１ＴＴＩ長による伝送のデータの時間帯に、第１ＴＴＩ長で伝送されるデータ」と解釈してもよく、すなわち同一のサブフレームで、時間上オーバーラップする同一の搬送波および／または複数の搬送波での異なる第１ＴＴＩ（短縮ＴＴＩ）伝送であり、例えば、開始シンボルが同一でありまたは揃える同一の搬送波および／または複数の搬送波での異なる第１ＴＴＩ伝送である。例えば、端末でＮ個の搬送波が集約される場合、各搬送波は、同一のシンボル位置に１つの第１ＴＴＩ伝送（例えばいずれも第３〜６個のＯＦＤＭシンボルに１つのデータ伝送が存在する。）が存在し、同時に１つの第２ＴＴＩ（従来ＴＴＩ）伝送が存在する。この場合、現在の第１ＴＴＩ、すなわち第３〜６個のＯＦＤＭにおいて、Ｎ個の搬送波に計Ｎ個の第１ＴＴＩ伝送が存在する。もちろん、異なる搬送波での第１ＴＴＩ伝送のシンボル数は、異なってもよい。例えば、Ｎ個の搬送波のうちＡ個の搬送波での第１ＴＴＩ伝送が第３〜６個のシンボルを、Ｎ−Ａ個の搬送波での第１ＴＴＩ伝送が第３〜８個のシンボルを占用すると、現在のサブフレームで、開始シンボルの位置が同一である第１ＴＴＩの総数は、Ｎ−Ａ＋Ａ＝Ｎ個になる。この場合、各搬送波に１つの第２ＴＴＩ伝送も存在するため、現在のサブフレームで、現在スケジューリングされる第１ＴＴＩ伝送の時間帯内の第１ＴＴＩと第２ＴＴＩ伝送の総数は、２Ｎである。
【００８５】
現在のサブフレームで、各搬送波の第９〜１２個のシンボルにもう１つの第１ＴＴＩ伝送が存在するのであれば、これら第１ＴＴＩ伝送は、第３個のＯＦＤＭを占用して伝送を開始する第１ＴＴＩにカウントされない。第３〜６個のＯＦＤＭシンボルで伝送される第１ＴＴＩに対し処理を終えた後に、第９〜１２個のＯＦＤＭシンボルで伝送される第１ＴＴＩに対し、上記第３〜６個のＯＦＤＭシンボルで伝送される第１ＴＴＩに対する処理に類似する処理を行う。後の類似な記載は、ここでの解釈を参照されたい。
【００８６】
具体的に、当該端末から報告される能力であって、同一のサブフレームで同時処理可能な伝送ブロックの数上限値またはＴＴＩの数上限値を指示する能力について、アップリンク伝送とダウンリンク伝送について、当該能力は、一括または独立に報告される。
【００８７】
ここで、アップリンクとダウンリンクにおいて当該能力を一括報告する場合、上記方式２の具体的なフローで処理するが、アップリンクとダウンリンクにおいて当該能力を独立に報告する場合、アップリンク、ダウンリンクのそれぞれに対し、対応する報告能力に基づいて、上記方式２の具体的なフローで処理する。
【００８８】
方式１について、当該端末が、当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定することは、具体的に、以下を含む。
キャリアアグリゲーションが当該端末にサポートされない場合、当該端末は、同一のサブフレームで第１ＴＴＩ長による伝送のデータと第２ＴＴＩ長による伝送のデータの同時処理をサポートしないと確定する。
現在のサブフレームで第１ＴＴＩ長による伝送のデータと第２ＴＴＩ長による伝送のデータが同時にスケジューリングされるのであれば、当該端末は、構成シグナリングまたは所定のルールに基づいて、第１ＴＴＩ長による伝送のデータまたは第２ＴＴＩ長による伝送のデータを選択的に処理する。
【００８９】
方式１について、当該端末が、当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定することは、具体的に、以下を含む。
アップリンク伝送において、キャリアアグリゲーションが当該端末にサポートされず、かつ現在のサブフレームで第１ＴＴＩ長による伝送のデータと第２ＴＴＩ長による伝送のデータが同時にスケジューリングされるのであれば、当該端末は、第１ＴＴＩ長による伝送のデータの処理前に、第２ＴＴＩ長による伝送のデータの符号化を完成した場合、現在のサブフレームで第１ＴＴＩ長による伝送のデータと第２ＴＴＩ長による伝送のデータを同時に処理する（ここの処理は、第２ＴＴＩ長による伝送のデータの送信などの処理、および第２ＴＴＩ長による伝送のデータの符号化などの処理を含む。）。
当該端末は、第１ＴＴＩ長による伝送のデータの処理前に、第２ＴＴＩ長による伝送のデータの符号化を完成していない場合、現在のサブフレームで第１ＴＴＩ長による伝送のデータと第２ＴＴＩ長による伝送のデータの同時処理をサポートしないと確定する（すなわち、この場合、エンコーダが、一種のＴＴＩ長による伝送のデータを選択して符号化することしかサポートできず、２種類のＴＴＩ長による伝送のデータの同時符号化をサポートできないことを示す。）とともに、構成シグナリングまたは所定のルールに基づいて、第１ＴＴＩ長による伝送のデータまたは第２ＴＴＩ長による伝送のデータを選択的に処理する。
【００９０】
方式１について、当該端末が、当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定することは、具体的に、以下を含む。
キャリアアグリゲーションが当該端末にサポートされないものの、ＭＩＭＯがサポートされるのであれば、当該端末から報告されるＭＩＭＯ能力に基づいて、サポートされる伝送ブロック総数を取得する。
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、当該サポートされる伝送ブロック総数以下であると、当該端末は、現在のサブフレームで第１ＴＴＩ長による伝送のデータと第２ＴＴＩ長による伝送のデータを同時に処理する。
それ以外の場合、方式Ａにおいて、当該端末は、現在のサブフレームで第１ＴＴＩ長による伝送のデータと第２ＴＴＩ長による伝送のデータの同時処理をサポートしないと確定するとともに、構成シグナリングまたは所定のルールに基づいて、第１ＴＴＩ長による伝送のデータまたは第２ＴＴＩ長による伝送のデータを選択的に処理する。
および／または、方式Ｂにおいて、アップリンク伝送で、当該端末は、第１ＴＴＩ長による伝送のデータの処理前に、第２ＴＴＩ長による伝送のデータの符号化を完成した場合、現在のサブフレームで第１ＴＴＩ長による伝送のデータと第２ＴＴＩ長による伝送のデータを同時に処理する。
【００９１】
当該端末は、第１ＴＴＩ長による伝送のデータの処理前に、第２ＴＴＩ長による伝送のデータの符号化を完成していない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、第１ＴＴＩ長による伝送のデータまたは第２ＴＴＩ長による伝送のデータを選択的に処理する。
【００９２】
方式１について、当該端末が、当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定することは、具体的に、以下を含む。
キャリアアグリゲーションが当該端末にサポートされるのであれば、当該端末にサポートされる集約搬送波上限値に基づいて、同一のサブフレームで当該端末によって同時処理可能な伝送ブロックの数上限値またはＴＴＩの数上限値を確定する。
または、キャリアアグリゲーションが当該端末にサポートされるのであれば、当該端末にサポートされる集約搬送波上限値および各集約搬送波のＭＩＭＯ能力に基づいて、同一のサブフレームで当該端末によって同時処理可能な伝送ブロックの数上限値を確定する。
または、当該端末のキャリアアグリゲーション能力およびＭＩＭＯ能力に基づいて、同一のサブフレームで当該端末によって同時処理可能な伝送ブロックの数上限値を確定する。
【００９３】
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が当該伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が当該ＴＴＩの数上限値以下であれば、当該端末は、現在のサブフレームで第１ＴＴＩ長による伝送のデータと第２ＴＴＩ長による伝送のデータを同時に処理する。
それ以外の場合、方式Ａにおいて、当該端末は、構成シグナリングまたは所定のルールに基づいて、第１ＴＴＩ長による伝送のデータと第２ＴＴＩ長による伝送のデータのうちの一部データを選択的に処理する。
および／または、方式Ｂにおいて、アップリンク伝送で、当該端末は、第１ＴＴＩ長による伝送のデータの処理前に、第２ＴＴＩ長による伝送のデータの符号化を完成した場合、現在のサブフレームで第１ＴＴＩ長による伝送のデータと第２ＴＴＩ長による伝送のデータを同時に処理する。
【００９４】
当該端末は、第１ＴＴＩ長による伝送のデータの処理前に、第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、第１ＴＴＩ長による伝送のデータまたは第２ＴＴＩ長による伝送のデータを選択的に処理する。
または、当該端末は、第１ＴＴＩ長による伝送のデータの処理前に、第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、第１ＴＴＩ長による伝送のデータと第２ＴＴＩ長による伝送のデータのうちの一部データを選択的に処理する。
【００９５】
ここで、当該端末が、同一のサブフレームで処理される第１ＴＴＩ長による伝送のデータおよび／または第２ＴＴＩ長による伝送のデータを、予め取り決められたルールに基づいて確定することは、具体的に、以下を含む。
アップリンク伝送で、現在のサブフレームで第１ＴＴＩ長による伝送のデータと第２ＴＴＩ長による伝送のデータが同時にスケジューリングされるのであれば、当該端末は、第１ＴＴＩ長による伝送のデータの処理前に、第２ＴＴＩ長による伝送のデータの符号化を完成した場合、現在のサブフレームで第１ＴＴＩ長による伝送のデータと第２ＴＴＩ長による伝送のデータを同時に処理する。当該端末は、第１ＴＴＩ長による伝送のデータの処理前に、第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、第１ＴＴＩ長による伝送のデータまたは第２ＴＴＩ長による伝送のデータを選択的に処理する。
または、アップリンク伝送で、搬送波毎に、現在のサブフレームで第１ＴＴＩ長による伝送のデータと第２ＴＴＩ長による伝送のデータが同時にスケジューリングされるのであれば、当該端末は、第１ＴＴＩ長による伝送のデータの処理前に、第２ＴＴＩ長による伝送のデータの符号化を完成した場合、現在のサブフレームで、当該搬送波で第１ＴＴＩ長による伝送のデータと第２ＴＴＩ長による伝送のデータを同時に処理する。当該端末は、第１ＴＴＩ長による伝送のデータの処理前に、第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送がサポートされないと確定するとともに、構成シグナリングまたは所定のルールに基づいて、当該搬送波での第１ＴＴＩ長による伝送のデータまたは第２ＴＴＩ長による伝送のデータを選択的に処理する。
または、アップリンク伝送で、同一の搬送波の同一のサブフレームで第１ＴＴＩ長による伝送のデータと第２ＴＴＩ長による伝送のデータの同時処理がサポートされないと確定し、現在のサブフレームで第１ＴＴＩ長による伝送のデータと第２ＴＴＩ長による伝送のデータが同時にスケジューリングされると、当該端末は、構成シグナリングまたは所定のルールに基づいて、当該搬送波での第１ＴＴＩ長による伝送のデータまたは第２ＴＴＩ長による伝送のデータを選択的に処理する。
【００９６】
すなわち、アップリンク伝送について、同一のサブフレームで処理される第１ＴＴＩ長による伝送のデータおよび／または第２ＴＴＩ長による伝送のデータは、端末から報告される能力に基づく方式で確定されてもよく、予め取り決められたルールの方式で確定されてもよい。
【００９７】
選択可能に、当該端末が、第１ＴＴＩ長による伝送のデータまたは第２ＴＴＩ長による伝送のデータを、構成シグナリングまたは所定のルールに基づいて選択的に処理することは、具体的に、以下を含む。
当該構成シグナリングは、第１ＴＴＩ長による伝送のデータと第２ＴＴＩ長による伝送のデータのうちの１つに対する選択的処理を当該端末に指示し、または、第１ＴＴＩ長による伝送のデータと第２ＴＴＩ長による伝送のデータのうち、１つの伝送ブロックを含むデータまたは２つの伝送ブロックを含むデータの選択を当該端末に指示する。
または、当該所定のルールは、当該端末が第１ＴＴＩ長による伝送のデータと第２ＴＴＩ長による伝送のデータのうちの１つを選択して処理すると取り決め、または、当該端末が第１ＴＴＩ長による伝送のデータと第２ＴＴＩ長による伝送のデータのうち、１つの伝送ブロックを含むデータまたは２つの伝送ブロックを含むデータを選択すると取り決める。
または、当該所定のルールは、ダウンリンク伝送について、当該端末が、第２ＴＴＩ長による伝送のデータの位置するサブフレームより前に、当該サブフレームで第１ＴＴＩ長による伝送のデータのスケジューリング情報を受信したのであれば、当該サブフレームで第２ＴＴＩ長による伝送のデータの受信および／または処理を放棄し、第１ＴＴＩ長による伝送のデータのみを受信および／または処理すると取り決める。
または、当該所定のルールは、ダウンリンク伝送について、当該端末が、第２ＴＴＩ長による伝送のデータの位置するサブフレームで、当該サブフレームまたは当該サブフレームの直後のサブフレームで第１ＴＴＩ長による伝送のデータのスケジューリング情報を受信したのであれば、当該サブフレームで第２ＴＴＩ長による伝送のデータの受信および／または処理を中止し、第１ＴＴＩ長による伝送のデータを受信および／または処理すると取り決める。
または、当該所定のルールは、アップリンク伝送について、当該端末が、第２ＴＴＩ長による伝送のデータの位置するサブフレームより前に、当該サブフレームで第１ＴＴＩ長による伝送のデータのスケジューリング情報を受信したのであれば、当該サブフレームで第２ＴＴＩ長による伝送のデータの処理および／または送信を放棄し、第１ＴＴＩ長による伝送のデータのみを処理および／または送信すると取り決める。
または、当該所定のルールは、アップリンク伝送について、当該端末が、第２ＴＴＩ長による伝送のデータの位置するサブフレームで、当該サブフレームまたは当該サブフレームの直後のサブフレームで第１ＴＴＩ長による伝送のデータのスケジューリング情報を受信したのであれば、当該サブフレームで第２ＴＴＩ長による伝送のデータの処理および／または送信を中止し、第１ＴＴＩ長による伝送のデータを処理および／または送信すると取り決める。
【００９８】
ここで、当該端末が、構成シグナリングまたは所定のルールに基づいて、第１ＴＴＩ長による伝送のデータと第２ＴＴＩ長による伝送のデータのうちの一部データを選択的に処理することは、具体的に、以下を含む。
当該構成シグナリングは、第１ＴＴＩ長による伝送のデータと第２ＴＴＩ長による伝送のデータのうちの１つに対する選択的処理を当該端末に指示し、または、第１ＴＴＩ長による伝送のデータと第２ＴＴＩ長による伝送のデータのうち、１つの伝送ブロックを含むデータまたは２つの伝送ブロックを含むデータに対する選択的処理を当該端末に指示する。現在のサブフレームで当該構成シグナリングに基づいて選択したデータの伝送ブロック総数が当該伝送ブロックの数上限値を超え、または現在のサブフレームで当該構成シグナリングに基づいて選択したデータのＴＴＩ総数が当該ＴＴＩの数上限値を超えると、さらに搬送波番号に基づいて選択する（第１ＴＴＩ長による伝送のデータを選択した場合、ここで現在のサブフレームで当該構成シグナリングに基づいて選択したデータの伝送ブロック総数は、実際に、現在のサブフレームでスケジューリングされる第１ＴＴＩ長による伝送のデータの時間帯内で、第１ＴＴＩ長で伝送されるデータの伝送ブロック総数である。）。
または、当該構成シグナリングは、Ａ１個の第１ＴＴＩ長による伝送のデータおよび／またはＡ２個の第２ＴＴＩ長による伝送のデータを選択すると指示する。現在のサブフレームで時間領域で開始位置が揃えたり時間領域でオーバーラップしたりする第１ＴＴＩ長による伝送のデータの総数が当該Ａ１の値を超え、および／または、現在のサブフレームで第２ＴＴＩ長による伝送のデータの総数が当該Ａ２の値を超えると、さらに搬送波番号に基づいて選択する。
または、当該構成シグナリングは、当該伝送ブロックの数上限値または当該ＴＴＩの数上限値の、第１ＴＴＩ長による伝送のデータと第２ＴＴＩ長による伝送のデータでの割当割合（すなわち、例えば伝送ブロックの数上限値がＮであり、構成シグナリングによって、そのうち第１ＴＴＩ長による伝送のデータに割り当て可能な割合、例えばαを指示すると、端末は、現在のサブフレームで  ｆｌｏｏｒ（Ｎ×ａ）個の第１ＴＴＩ長による伝送のデータの伝送ブロックと、Ｎ−ｆｌｏｏｒ（Ｎ×ａ）個の第２ＴＴＩ長による伝送のデータの伝送ブロックの同時処理が可能であると確定できる（ｆｌｏｏｒは切り捨てを示す）。）を指示する。現在のサブフレームで時間領域で開始位置が揃えたり時間領域でオーバーラップしたりする第１ＴＴＩ長による伝送のデータの伝送ブロックの総数が、当該割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、当該割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、当該割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、当該割当割合に基づいて確定したサポート可能な第２ＴＴＩ長による伝送のデータのＴＴＩ総数を超えると、さらに搬送波番号に基づいて選択する。
または、当該所定のルールは、当該端末が第１ＴＴＩ長による伝送のデータと第２ＴＴＩ長による伝送のデータのうちの１つを選択的に処理すると取り決め、または、当該端末が第１ＴＴＩ長による伝送のデータと第２ＴＴＩ長による伝送のデータのうち、１つの伝送ブロックを含むデータまたは２つの伝送ブロックを含むデータを選択的に処理すると取り決める。現在のサブフレームで当該所定のルールに基づいて選択したデータの伝送ブロック総数が当該伝送ブロックの数上限値を超え、または選択したデータのＴＴＩ総数が当該ＴＴＩの数上限値を超えると、さらに搬送波番号に基づいて選択する。
または、当該所定のルールは、Ａ１個の第１ＴＴＩ長による伝送のデータおよび／またはＡ２個の第２ＴＴＩ長による伝送のデータを選択すると取り決める。現在のサブフレームで時間領域で開始位置が揃えたり時間領域でオーバーラップしたりする第１ＴＴＩ長による伝送のデータの総数が当該Ａ１の値を超え、および／または、現在のサブフレームで第２ＴＴＩ長による伝送のデータの総数が当該Ａ２の値を超えると、さらに搬送波番号に基づいて選択する。
または、当該所定のルールは、当該伝送ブロックの数上限値または当該ＴＴＩの数上限値の、第１ＴＴＩ長による伝送のデータと第２ＴＴＩ長による伝送のデータでの割当割合を取り決める。現在のサブフレームで時間領域で開始位置が揃えたり時間領域でオーバーラップしたりする第１ＴＴＩ長による伝送のデータの伝送ブロックの総数が、当該割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、当該割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、当該割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、当該割当割合に基づいて確定したサポート可能な第２ＴＴＩ長による伝送のデータのＴＴＩ総数を超えると、さらに搬送波番号に基づいて選択する。
【００９９】
以上の第１ＴＴＩ長による伝送のデータおよび／または第２ＴＴＩ長による伝送のデータを選択するフローは、同様に制御チャネルの選択に適用する。よって、ここでは重複な記載を省略する。
【０１００】
さらに、当該データ伝送方法において、同一の搬送波の同一のサブフレームの異なる周波数領域リソースで、第１ＴＴＩ長による伝送のデータと第２ＴＴＩ長による伝送のデータを送信または受信することをさらに含む。すなわち、当該方法において、基地局によるスケジューリングの際に、同一の搬送波の同一のサブフレームで第１ＴＴＩ長による伝送のデータと第２ＴＴＩ長による伝送のデータに対し、オーバーラップする周波数領域リソースのスケジューリングを避けるよう求められている。
または、同一の搬送波の同一のサブフレームで第１ＴＴＩ長による伝送のデータと第２ＴＴＩ長による伝送のデータに用いられる周波数領域リソースがオーバーラップすると、ダウンリンク伝送について、端末は、基地局がオーバーラップ部分で第１ＴＴＩ長による伝送のデータで第２ＴＴＩ長による伝送のデータを上書きすると確定する。すなわち、この場合、端末が第２ＴＴＩ長による伝送のデータを受信する際に、第１ＴＴＩ長による伝送のデータに対応するシンボルで、周波数領域リソースのオーバーラップ部分でのデータは、常に０とされる。すなわち、実際に、当該部分では、基地局から送信されるのが第１ＴＴＩ長による伝送のデータであって、第２ＴＴＩ長による伝送のデータが送信されないとする。アップリンク伝送について、端末は、オーバーラップ部分で第１ＴＴＩ長による伝送のデータで第２ＴＴＩ長による伝送のデータを上書きする。
または、アップリンク伝送について、同一の搬送波の同一のサブフレームで、第２ＴＴＩ長による伝送のデータのうち、第１ＴＴＩ長による伝送のデータに対応するシンボル上のデータを穿孔する。ここで、穿孔処理について、第２ＴＴＩ長による伝送のデータのうちのＤＭＲＳ（Ｄｅｍｏｄｕｌａｔｉｏｎ  Ｒｅｆｅｒｅｎｃｅ  Ｓｉｇｎａｌ）シンボルが、第１ＴＴＩ長による伝送のデータに対応するＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）シンボルにも含まれると、ＤＭＲＳに対し穿孔を行う必要もある。この場合、基地局側によるアップリンクデータの制御チャネル推定に影響を与える。または、ＤＭＲＳに対し穿孔を行わず、データ伝送部分のみを穿孔してもよい。第１、第２ＴＴＩ長による伝送のデータの共通のＤＭＲＳシンボルで、第１ＴＴＩと第２ＴＴＩ長による伝送のデータに対し同一長さのＤＭＲＳを生成することによって、２種類のデータのＤＭＲＳ伝送を実現する。例えば、第１ＴＴＩ長による伝送のデータの周波数領域リソースがＲＢ１〜５であり、第２ＴＴＩ長による伝送のデータの周波数領域リソースがＲＢ６〜１０であり、ＤＭＲＳについて、１つのサブフレームの第４個のＳＣ−ＦＤＭＡのＲＢ１〜１０で同一長さのＤＭＲＳを伝送し、異なるサイクリックシフトによって、同一の時間周波数領域リソースでの各ＤＭＲＳの直交性を保証する。
【０１０１】
選択可能に、当該第１ＴＴＩ長は、１ｍｓより小さく、当該第２ＴＴＩ長は、１ｍｓに等しく、および／または、時間領域で開始位置が揃えたり時間領域でオーバーラップしたりする複数の当該第１ＴＴＩのＴＴＩ長は、同一であってもよく異なってもよい。
【０１０２】
ここで、シンボルは、ＳＣ−ＦＤＭＡシンボルが選択される。
【０１０３】
また、第１ＴＴＩと第２ＴＴＩ長による伝送のデータを、第１ＴＴＩと第２ＴＴＩ長による伝送の共有チャネル、または、第１ＴＴＩと第２ＴＴＩ長による伝送の制御チャネルに表現した場合、異なる方式／方法を選択して組み合わせることができる。例えば、第１ＴＴＩと第２ＴＴＩ長による伝送の制御チャネルについて、方式３を選択する。第１ＴＴＩと第２ＴＴＩ長による伝送の共有チャネルについて、同様に方式３を選択するか、または他の方式を選択するか、または予め取り決められたルールで行うことを選択する（これは、基地局側と各端末に対し同様に適用する。）。
【０１０４】
例えば、当該端末から報告される能力によって、同一のサブフレームで第１ＴＴＩ長による伝送の制御チャネルと第２ＴＴＩ長による伝送の制御チャネルの同時検出が当該端末にサポートされると指示される場合、当該端末は、現在のサブフレームで第１ＴＴＩ長による伝送の制御チャネルと第２ＴＴＩ長による伝送の制御チャネルを同時に検出する。
【０１０５】
当該端末から報告される能力によって、同一のサブフレームで第１ＴＴＩ長による伝送の制御チャネルと第２ＴＴＩ長による伝送の制御チャネルの同時検出が当該端末にサポートされないと指示される場合、当該端末は、現在のサブフレームで、構成シグナリングまたは所定のルールに基づいて、第１ＴＴＩ長による伝送の制御チャネルまたは当該第２ＴＴＩ長による伝送の制御チャネルを選択的に検出する。
【０１０６】
アップリンクおよび／またはダウンリンク共有チャネル伝送で、同一のサブフレームで第１ＴＴＩ長による伝送のデータと第２ＴＴＩ長による伝送のデータの同時処理がサポートされないと確定し、現在のサブフレームで第１ＴＴＩ長による伝送のデータと第２ＴＴＩ長による伝送のデータが同時にスケジューリングされると、当該端末は、構成シグナリングまたは所定のルールに基づいて、第１ＴＴＩ長による伝送のデータまたは第２ＴＴＩ長による伝送のデータを選択して処理する。または、当該端末から報告される能力によって、同一のサブフレームで第１ＴＴＩ長による伝送の制御チャネルと第２ＴＴＩ長による伝送の制御チャネルの同時検出が当該端末にサポートされると指示される場合、アップリンクおよび／またはダウンリンク共有チャネル伝送で、上記方式１または方式２または方式３または予め取り決められた方式で、端末に処理される第１ＴＴＩ長による伝送のデータおよび／または第２ＴＴＩ長による伝送のデータを確定する。
【０１０７】
また、例えば、同一のサブフレームで第１ＴＴＩ長による伝送の制御チャネルと第２ＴＴＩ長による伝送の制御チャネルの同時検出がサポートされないと確定し、当該端末は、現在のサブフレームで、構成シグナリングまたは所定のルールに基づいて、第１ＴＴＩ長による伝送の制御チャネルまたは第２ＴＴＩ長による伝送の制御チャネルを選択的に検出する。アップリンクおよび／またはダウンリンク共有チャネル伝送で、同一のサブフレームで第１ＴＴＩ長による伝送のデータと第２ＴＴＩ長による伝送のデータの同時処理がサポートされないと確定し、現在のサブフレームで第１ＴＴＩ長による伝送のデータと第２ＴＴＩ長による伝送のデータが同時にスケジューリングされると、当該端末は、構成シグナリングまたは所定のルールに基づいて、当該搬送波での第１ＴＴＩ長による伝送のデータまたは第２ＴＴＩ長による伝送のデータを選択して処理する。
【０１０８】
また、例えば、同一のサブフレームで第１ＴＴＩ長による伝送の制御チャネルと第２ＴＴＩ長による伝送の制御チャネルの同時検出がサポートされると確定し、当該端末は、現在のサブフレームで、当該第１ＴＴＩ長による伝送の制御チャネルと当該第２ＴＴＩ長による伝送の制御チャネルを同時に検出する。アップリンクおよび／またはダウンリンク共有チャネル伝送で、同一のサブフレームで第１ＴＴＩ長による伝送のデータと第２ＴＴＩ長による伝送のデータの同時処理がサポートされると確定し、現在のサブフレームで第１ＴＴＩ長による伝送のデータと第２ＴＴＩ長による伝送のデータが同時にスケジューリングされると、当該端末は、構成シグナリングまたは所定のルールに基づいて、当該搬送波での第１ＴＴＩ長による伝送のデータまたは第２ＴＴＩ長による伝送のデータを選択的に処理する。または、上記方式１または方式２または方式３または予め取り決められた方式で、端末に処理される第１ＴＴＩ長による伝送のデータおよび／または第２ＴＴＩ長による伝送のデータを確定する。
【０１０９】
上記例示において、各搬送波に対し表現してもよい。すなわち、各搬送波は、上記過程によって確定される。例えば、当該端末から報告される能力によって、同一の搬送波の同一のサブフレームで第１ＴＴＩ長による伝送の制御チャネルと第２ＴＴＩ長による伝送の制御チャネルの同時検出が当該端末にサポートされると指示される場合、当該端末は、現在のサブフレームで、現在の搬送波で第１ＴＴＩ長による伝送の制御チャネルと第２ＴＴＩ長による伝送の制御チャネルを同時に検出する。
【０１１０】
当該端末から報告される能力によって、同一の搬送波の同一のサブフレームで第１ＴＴＩ長による伝送の制御チャネルと第２ＴＴＩ長による伝送の制御チャネルの同時検出が当該端末にサポートされないと指示される場合、当該端末は、現在のサブフレームで、現在の搬送波で構成シグナリングまたは所定のルールに基づいて、第１ＴＴＩ長による伝送の制御チャネルまたは第２ＴＴＩ長による伝送の制御チャネルを選択的に検出する。アップリンクおよび／またはダウンリンク共有チャネル伝送で、同一の搬送波の同一のサブフレームで第１ＴＴＩ長による伝送のデータと第２ＴＴＩ長による伝送のデータの同時処理がサポートされないと確定し、現在の搬送波の現在のサブフレームで第１ＴＴＩ長による伝送のデータと第２ＴＴＩ長による伝送のデータが同時にスケジューリングされると、当該端末は、構成シグナリングまたは所定のルールに基づいて、第１ＴＴＩ長による伝送のデータまたは第２ＴＴＩ長による伝送のデータを選択して処理する。または、当該端末から報告される能力によって、同一の搬送波の同一のサブフレームで第１ＴＴＩ長による伝送の制御チャネルと第２ＴＴＩ長による伝送の制御チャネルの同時検出が当該端末にサポートされると指示される場合、アップリンクおよび／またはダウンリンク共有チャネル伝送で、上記方式１または方式２または方式３または予め取り決められた方式で、端末に処理される第１ＴＴＩ長による伝送のデータおよび／または第２ＴＴＩ長による伝送のデータを確定する。
【０１１１】
また、例えば、同一の搬送波の同一のサブフレームで第１ＴＴＩ長による伝送の制御チャネルと第２ＴＴＩ長による伝送の制御チャネルの同時検出がサポートされないと確定し、当該端末は、現在の搬送波で、現在のサブフレームで構成シグナリングまたは所定のルールに基づいて、当該第１ＴＴＩ長による伝送の制御チャネルまたは当該第２ＴＴＩ長による伝送の制御チャネルを選択的に検出する。アップリンクおよび／またはダウンリンク共有チャネル伝送で、同一の搬送波の同一のサブフレームで第１ＴＴＩ長による伝送のデータと第２ＴＴＩ長による伝送のデータの同時処理がサポートされないと確定し、現在の搬送波の現在のサブフレームで第１ＴＴＩ長による伝送のデータと第２ＴＴＩ長による伝送のデータが同時にスケジューリングされると、当該端末は、構成シグナリングまたは所定のルールに基づいて、当該搬送波での第１ＴＴＩ長による伝送のデータまたは第２ＴＴＩ長による伝送のデータを選択的に処理する。
【０１１２】
また、例えば、同一の搬送波の同一のサブフレームで第１ＴＴＩ長による伝送の制御チャネルと第２ＴＴＩ長による伝送の制御チャネルの同時検出がサポートされると確定し、当該端末は、現在の搬送波で、現在のサブフレームで第１ＴＴＩ長による伝送の制御チャネルと第２ＴＴＩ長による伝送の制御チャネルを同時に検出する。アップリンクおよび／またはダウンリンク共有チャネル伝送で、同一の搬送波の同一のサブフレームで第１ＴＴＩ長による伝送のデータと第２ＴＴＩ長による伝送のデータの同時処理がサポートされると確定し、現在の搬送波の現在のサブフレームで第１ＴＴＩ長による伝送のデータと第２ＴＴＩ長による伝送のデータが同時にスケジューリングされると、当該端末は、構成シグナリングまたは所定のルールに基づいて、当該搬送波での第１ＴＴＩ長による伝送のデータまたは第２ＴＴＩ長による伝送のデータを選択的に処理する。または、上記方式１または方式２または方式３または予め取り決められた方式で、端末に処理される第１ＴＴＩ長による伝送のデータおよび／または第２ＴＴＩ長による伝送のデータを確定する。
【０１１３】
以上から分かるように、本開示の実施例によるデータ伝送方法において、端末自身の能力または予め取り決められたルールに基づいて、異なる長さのＴＴＩ伝送のデータの同時処理をサポートするかを確定することによって、異なる長さのＴＴＩ伝送をサポートする端末による処理能力内の正しい伝送を保証し、同一の端末が異なる長さのＴＴＩ伝送のデータを正しく処理できないという従来技術の問題を解決した。
【０１１４】
図２に示されているように、本開示の別の実施例によるデータ伝送方法において、ステップ２１を含む。
ステップ２１において、基地局は、端末から報告される能力または予め取り決められたルールに基づいて、当該端末によって同一のサブフレームで処理される第１ＴＴＩ長による伝送のデータおよび／または第２ＴＴＩ長による伝送のデータを確定する。当該データは、共有チャネルおよび／または制御チャネルを含む。ここで、第１ＴＴＩ長は、当該第２ＴＴＩ長より小さい。
【０１１５】
ステップ２１において、具体的に、端末が同一のサブフレームで同一の搬送波で第１ＴＴＩ長による伝送のデータと第２ＴＴＩ長による伝送のデータを同時処理できるか、および／または、同一のサブフレームで異なる搬送波で第１ＴＴＩ長による伝送のデータと第２ＴＴＩ長による伝送のデータを同時処理できるかを確定することを含み、同時処理ができない場合、一部のＴＴＩ伝送のデータを選択的に処理することをさらに含む。
【０１１６】
ここで、当該基地局が、端末から報告される能力に基づいて、当該端末によって同一のサブフレームで処理される第１ＴＴＩ長による伝送のデータおよび／または第２ＴＴＩ長による伝送のデータを確定することは、具体的に、下記方式１と、方式２と、方式３のうちの少なくとも１つを含む。
方式１：当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定する。
方式２：当該端末から報告される能力であって、同一のサブフレームで同時処理可能な伝送ブロック（第１ＴＴＩ長による伝送のデータと第２ＴＴＩ長による伝送のデータを含む。）の数上限値またはＴＴＩの数上限値を指示する能力に基づいて、当該端末によって同一のサブフレームで処理される第１ＴＴＩ長による伝送のデータおよび／または第２ＴＴＩ長による伝送のデータを確定する。
方式３：当該端末から報告される能力であって、同一のサブフレームで第１ＴＴＩ長による伝送のデータと第２ＴＴＩ長による伝送のデータの同時処理をサポートするかを指示する能力に基づいて、当該端末によって同一のサブフレームで処理される第１ＴＴＩ長による伝送のデータおよび／または第２ＴＴＩ長による伝送のデータを確定する。
【０１１７】
方式３について、当該端末から報告される能力であって、同一のサブフレームで第１ＴＴＩ長による伝送のデータと第２ＴＴＩ長による伝送のデータの同時処理をサポートするかを指示する能力に基づいて、当該端末によって同一のサブフレームで処理される第１ＴＴＩ長による伝送のデータおよび／または第２ＴＴＩ長による伝送のデータを確定することは、具体的に、以下を含む。
当該端末から報告される能力によって、同一のサブフレームで第１ＴＴＩ長による伝送のデータと第２ＴＴＩ長による伝送のデータの同時処理が当該端末にサポートされると指示される場合、現在のサブフレームで第１ＴＴＩ長による伝送のデータと第２ＴＴＩ長による伝送のデータが同時にスケジューリングされるのであれば、当該端末が現在のサブフレームで第１ＴＴＩ長による伝送のデータと第２ＴＴＩ長による伝送のデータを同時に処理すると確定する。
当該端末から報告される能力によって、同一のサブフレームで第１ＴＴＩ長による伝送のデータと第２ＴＴＩ長による伝送のデータの同時処理が当該端末にサポートされないと指示される場合、現在のサブフレームで第１ＴＴＩ長による伝送のデータと第２ＴＴＩ長による伝送のデータが同時にスケジューリングされるのであれば、当該端末が構成シグナリングまたは所定のルールに基づいて第１ＴＴＩ長による伝送のデータまたは第２ＴＴＩ長による伝送のデータを選択的に処理すると確定する。
【０１１８】
具体的に、当該端末から報告される能力であって、同一のサブフレームで第１ＴＴＩ長による伝送のデータと第２ＴＴＩ長による伝送のデータの同時処理をサポートするかを指示する能力について、アップリンク伝送とダウンリンク伝送について、当該能力は、一括または独立に報告され、および／または、キャリアアグリゲーションをサポートする端末について、当該能力は、全ての集約搬送波について一括報告されるか、集約搬送波毎に独立に報告される。
【０１１９】
ここで、アップリンクとダウンリンクで当該能力を一括報告する場合、上記方式３の具体的なフローで処理するが、アップリンクとダウンリンクで当該能力を独立に報告する場合、アップリンク、ダウンリンクのそれぞれに対し、対応する報告能力に基づいて、上記方式３の具体的なフローで処理する。全ての集約搬送波について当該能力を一括報告する場合、搬送波毎に上記方式３の具体的なフローで処理するが、集約搬送波毎に当該能力を独立に報告する場合、集約搬送波毎に、対応する報告能力に基づいて、上記方式３の具体的なフローで処理する。
【０１２０】
また、方式３は、方式１または方式２と組み合わせて使用されてもよい。例えば、当該端末から報告される能力によって、同一のサブフレームで第１ＴＴＩ長による伝送のデータと第２ＴＴＩ長による伝送のデータの同時処理が当該端末にサポートされると指示される場合、現在のサブフレームで第１ＴＴＩ長による伝送のデータと第２ＴＴＩ長による伝送のデータが同時にスケジューリングされるのであれば、さらに、当該端末によって同一のサブフレームで処理される第１ＴＴＩ長による伝送のデータおよび／または第２ＴＴＩ長による伝送のデータを、方式１または方式２に基づいて確定する。すなわち、具体的な実現方式は、方式１または方式２で伝送ブロックの数上限値またはＴＴＩの数上限値に基づいて選択的処理データを確定する方式を参照してもよい。
【０１２１】
方式２について、当該端末から報告される能力であって、同一のサブフレームで同時処理可能な伝送ブロックの数上限値またはＴＴＩの数上限値を指示する能力に基づいて、当該端末によって同一のサブフレームで処理される第１ＴＴＩ長による伝送のデータおよび／または第２ＴＴＩ長による伝送のデータを確定することは、具体的に、以下を含む。
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される当該伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される当該ＴＴＩの数上限値以下になるのであれば、当該端末が現在のサブフレームで第１ＴＴＩ長による伝送のデータと第２ＴＴＩ長による伝送のデータを同時に処理すると確定する。
それ以外の場合に、当該端末が構成シグナリングまたは所定のルールに基づいて第１ＴＴＩ長による伝送のデータと第２ＴＴＩ長による伝送のデータのうちの一部データを選択的に処理すると確定する。
【０１２２】
ここで、「時間領域で開始位置が揃えたり時間領域でオーバーラップしたりする第１ＴＴＩ長による伝送のデータ」は、「第１ＴＴＩ長による伝送のデータの時間帯に、第１ＴＴＩ長で伝送されるデータ」と解釈してもよく、すなわち、同一のサブフレームで、時間上オーバーラップする同一の搬送波および／または複数の搬送波での異なる第１ＴＴＩ（短縮ＴＴＩ）伝送であり、例えば、開始シンボルが同一でありまたは揃える同一の搬送波および／または複数の搬送波での異なる第１ＴＴＩ伝送である。例えば、端末でＮ（正整数）個の搬送波が集約される場合、各搬送波は、同一のシンボル位置で１つの第１ＴＴＩ伝送（例えばいずれも第３〜６個のＯＦＤＭシンボルに１つのデータ伝送が存在する。）が存在し、同時に１つの第２ＴＴＩ（従来ＴＴＩ）伝送が存在する。この場合、現在の第１ＴＴＩ、すなわち第３〜６個のＯＦＤＭにおいて、Ｎ個の搬送波で計Ｎ個の第１ＴＴＩ伝送が存在する。もちろん、異なる搬送波での第１ＴＴＩ伝送のシンボル数は、異なってもよい。例えば、Ｎ個の搬送波のうちＡ（正整数）個の搬送波での第１ＴＴＩ伝送が第３〜６個のシンボルを、Ｎ−Ａ個の搬送波での第１ＴＴＩ伝送が第３〜８個のシンボルを占用すると、現在のサブフレームで、開始シンボルの位置が同一である第１ＴＴＩの総数は、Ｎ−Ａ＋Ａ＝Ｎ個になる。この場合、各搬送波に１つの第２ＴＴＩ伝送も存在するため、現在のサブフレームで、現在スケジューリングされる第１ＴＴＩ伝送の時間帯内の第１ＴＴＩと第２ＴＴＩ伝送の総数は、２Ｎである。
【０１２３】
現在のサブフレームで、各搬送波の第９〜１２個のシンボルにもう１つの第１ＴＴＩ伝送が存在するのであれば、これら第１ＴＴＩ伝送は、第３個のＯＦＤＭを占用して伝送を開始する第１ＴＴＩにカウントされない。第３〜６個のＯＦＤＭシンボルで伝送される第１ＴＴＩに対する処理を終えた後に、第９〜１２個のＯＦＤＭシンボルで伝送される第１ＴＴＩに対し、第３〜６個のＯＦＤＭシンボルで伝送される第１ＴＴＩに対する処理に類似する処理を行う。後の類似な記載は、ここでの解釈を参照されたい。
【０１２４】
具体的に、当該端末から報告される能力であって、同一のサブフレームで同時処理可能な伝送ブロックの数上限値またはＴＴＩの数上限値を指示する能力について、アップリンク伝送とダウンリンク伝送について、当該能力は、一括または独立に報告される。
【０１２５】
ここで、アップリンクとダウンリンクで当該能力を一括報告する場合、上記方式２の具体的なフローで処理するが、アップリンクとダウンリンクで当該能力を独立に報告する場合、アップリンク、ダウンリンクのそれぞれに対し、対応する報告能力に基づいて、上記方式２の具体的なフローで処理する。
【０１２６】
方式１について、当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定することは、具体的に、以下を含む。
キャリアアグリゲーションが当該端末にサポートされない場合、同一のサブフレームで第１ＴＴＩ長による伝送のデータと第２ＴＴＩ長による伝送のデータの同時処理が当該端末にサポートされないと確定する。
現在のサブフレームで第１ＴＴＩ長による伝送のデータと第２ＴＴＩ長による伝送のデータが同時にスケジューリングされるのであれば、当該端末が構成シグナリングまたは所定のルールに基づいて第１ＴＴＩ長による伝送のデータまたは第２ＴＴＩ長による伝送のデータを選択的に処理すると確定する。
【０１２７】
方式１について、当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定することは、具体的に、以下を含む。
アップリンク伝送で、キャリアアグリゲーションが当該端末にサポートされず、かつ現在のサブフレームで第１ＴＴＩ長による伝送のデータと第２ＴＴＩ長による伝送のデータが同時にスケジューリングされるのであれば、当該端末が、第１ＴＴＩ長による伝送のデータの処理前に、第２ＴＴＩ長による伝送のデータの符号化を完成した場合、現在のサブフレームで第１ＴＴＩ長による伝送のデータと第２ＴＴＩ長による伝送のデータを同時に処理する（ここの処理は、第２ＴＴＩ長による伝送のデータの送信などの処理、および第２ＴＴＩ長による伝送のデータの符号化などの処理を含む）と確定する。
当該端末が第１ＴＴＩ長による伝送のデータの処理前に第２ＴＴＩ長による伝送のデータの符号化を完成していないのであれば、現在のサブフレームで第１ＴＴＩ長による伝送のデータと第２ＴＴＩ長による伝送のデータの同時処理が当該端末にサポートされないと確定する（すなわち、この場合、エンコーダが、一種のＴＴＩ長による伝送のデータを選択して符号化することしかサポートできず、２種類のＴＴＩ長による伝送のデータの同時符号化をサポートできないことを示す。）とともに、当該端末が構成シグナリングまたは所定のルールに基づいて第１ＴＴＩ長による伝送のデータまたは第２ＴＴＩ長による伝送のデータを選択的に処理すると確定する。
【０１２８】
この場合、基地局は、端末側が第１ＴＴＩ長による伝送のデータの処理前に第２ＴＴＩ長による伝送のデータの符号化を完成したか確定できないため、２種類の伝送に対しブラインド検出を行う必要がある。すなわち、基地局は、端末から第１ＴＴＩ長による伝送のデータと第２ＴＴＩ長による伝送のデータを同時に伝送したとし、すなわち２種類のデータを同時に受信するが、両方とも情報を正しく受信する（例えばＣＲＣチェックに成功する。）と、端末から第１ＴＴＩ長による伝送のデータと第２ＴＴＩ長による伝送のデータを同時に伝送したと見なし、第２ＴＴＩ長による伝送のデータの受信に失敗する（例えばＣＲＣチェックに失敗し、またはＤＴＸ−ＣＲＣチェックの失敗を検出する）と、端末から第１ＴＴＩ長による伝送のデータのみを伝送したと判断する。後の同様の処理方式において、同様に基地局によるブラインド検出が必要である。
【０１２９】
方式１について、当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定することは、具体的に、以下を含む。
キャリアアグリゲーションが当該端末にサポートされないものの、ＭＩＭＯがサポートされるのであれば、当該端末から報告されるＭＩＭＯ能力に基づいて、サポートされる伝送ブロック総数を取得する。
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、当該サポートされる伝送ブロック総数以下であると、当該端末が現在のサブフレームで第１ＴＴＩ長による伝送のデータと第２ＴＴＩ長による伝送のデータを同時に処理すると確定する。
それ以外の場合に、方式Ａにおいて、現在のサブフレームで第１ＴＴＩ長による伝送のデータと第２ＴＴＩ長による伝送のデータの同時処理が当該端末にサポートされないと確定するとともに、当該端末が構成シグナリングまたは所定のルールに基づいて第１ＴＴＩ長による伝送のデータまたは第２ＴＴＩ長による伝送のデータを選択的に処理すると確定する。および／または、方式Ｂにおいて、アップリンク伝送で、当該端末が、第１ＴＴＩ長による伝送のデータの処理前に、第２ＴＴＩ長による伝送のデータの符号化を完成した場合、当該端末が現在のサブフレームで第１ＴＴＩ長による伝送のデータと第２ＴＴＩ長による伝送のデータを同時に処理すると確定し、当該端末が、第１ＴＴＩ長による伝送のデータの処理前に、第２ＴＴＩ長による伝送のデータの符号化を完成していない場合、現在のサブフレームで第１ＴＴＩ長による伝送のデータと第２ＴＴＩ長による伝送のデータの同時伝送が当該端末にサポートされないと確定するとともに、当該端末が構成シグナリングまたは所定のルールに基づいて第１ＴＴＩ長による伝送のデータまたは第２ＴＴＩ長による伝送のデータを選択的に処理すると確定する。
【０１３０】
方式１について、当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定することは、具体的に、以下を含む。
キャリアアグリゲーションが当該端末にサポートされるのであれば、当該端末にサポートされる集約搬送波上限値に基づいて、同一のサブフレームで当該端末によって同時処理可能な伝送ブロックの数上限値またはＴＴＩの数上限値を確定する。または、キャリアアグリゲーションが当該端末にサポートされるのであれば、当該端末にサポートされる集約搬送波上限値および各集約搬送波のＭＩＭＯ能力に基づいて、同一のサブフレームで当該端末によって同時処理可能な伝送ブロックの数上限値を確定する。または、当該端末から報告されるキャリアアグリゲーション能力およびＭＩＭＯ能力に基づいて、同一のサブフレームで当該端末によって同時処理可能な伝送ブロックの数上限値を確定する。
【０１３１】
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が当該伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が当該ＴＴＩの数上限値以下であれば、当該端末が現在のサブフレームで前記第１ＴＴＩ長による伝送のデータと前記第２ＴＴＩ長による伝送のデータを同時に処理すると確定する。それ以外の場合に、方式Ａにおいて、当該端末が構成シグナリングまたは所定のルールに基づいて第１ＴＴＩ長による伝送のデータと第２ＴＴＩ長による伝送のデータのうちの一部データを選択的に処理すると確定する。および／または、方式Ｂにおいて、アップリンク伝送で、当該端末が第１ＴＴＩ長による伝送のデータの処理前に第２ＴＴＩ長による伝送のデータの符号化を完成した場合、当該端末が現在のサブフレームで第１ＴＴＩ長による伝送のデータと第２ＴＴＩ長による伝送のデータを同時に処理すると確定する。
【０１３２】
当該端末が第１ＴＴＩ長による伝送のデータの処理前に第２ＴＴＩ長による伝送のデータの符号化を完成していない場合、現在のサブフレームで第１ＴＴＩ長による伝送のデータと第２ＴＴＩ長による伝送のデータの同時伝送が当該端末にサポートされないと確定するとともに、当該端末が構成シグナリングまたは所定のルールに基づいて第１ＴＴＩ長による伝送のデータまたは第２ＴＴＩ長による伝送のデータを選択的に処理すると確定する。または、当該端末が第１ＴＴＩ長による伝送のデータの処理前に第２ＴＴＩ長による伝送のデータの符号化を完成していない場合、現在のサブフレームで第１ＴＴＩ長による伝送のデータと第２ＴＴＩ長による伝送のデータの同時伝送が当該端末にサポートされないと確定するとともに、当該端末が構成シグナリングまたは所定のルールに基づいて第１ＴＴＩ長による伝送のデータと第２ＴＴＩ長による伝送のデータのうち一部データを選択的に処理すると確定する。
【０１３３】
ここで、同一のサブフレームで処理される第１ＴＴＩ長による伝送のデータおよび／または第２ＴＴＩ長による伝送のデータを、予め取り決められたルールに基づいて確定することは、具体的に、以下を含む。
アップリンク伝送で、現在のサブフレームで第１ＴＴＩ長による伝送のデータと第２ＴＴＩ長による伝送のデータが同時にスケジューリングされるのであれば、当該端末が第１ＴＴＩ長による伝送のデータの処理前に第２ＴＴＩ長による伝送のデータの符号化を完成した場合、当該端末が現在のサブフレームで第１ＴＴＩ長による伝送のデータと第２ＴＴＩ長による伝送のデータを同時に処理すると確定する。当該端末が第１ＴＴＩ長による伝送のデータの処理前に第２ＴＴＩ長による伝送のデータの符号化を完成していない場合、現在のサブフレームで第１ＴＴＩ長による伝送のデータと第２ＴＴＩ長による伝送のデータの同時伝送が当該端末にサポートされないと確定するとともに、当該端末が構成シグナリングまたは所定のルールに基づいて第１ＴＴＩ長による伝送のデータまたは第２ＴＴＩ長による伝送のデータを選択的に処理すると確定する。
または、アップリンク伝送で、搬送波毎に、現在のサブフレームで第１ＴＴＩ長による伝送のデータと第２ＴＴＩ長による伝送のデータが同時にスケジューリングされるのであれば、当該端末が第１ＴＴＩ長による伝送のデータの処理前に第２ＴＴＩ長による伝送のデータの符号化を完成した場合、当該端末が現在のサブフレームで当該搬送波で第１ＴＴＩ長による伝送のデータと第２ＴＴＩ長による伝送のデータを同時に処理すると確定する。当該端末が第１ＴＴＩ長による伝送のデータの処理前に第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送が当該端末にサポートされないと確定するとともに、当該端末が構成シグナリングまたは所定のルールに基づいて当該搬送波での第１ＴＴＩ長による伝送のデータまたは第２ＴＴＩ長による伝送のデータを選択的に処理すると確定する。
または、アップリンク伝送で、同一の搬送波の同一のサブフレームで第１ＴＴＩ長による伝送のデータと第２ＴＴＩ長による伝送のデータの同時処理が当該端末にサポートされないと確定し、現在のサブフレームで、同一の搬送波で第１ＴＴＩ長による伝送のデータと第２ＴＴＩ長による伝送のデータが同時にスケジューリングされると、当該端末が構成シグナリングまたは所定のルールに基づいて、当該搬送波での第１ＴＴＩ長による伝送のデータまたは第２ＴＴＩ長による伝送のデータを選択的に処理すると確定する。
【０１３４】
すなわち、アップリンク伝送について、同一のサブフレームで処理される第１ＴＴＩ長による伝送のデータおよび／または第２ＴＴＩ長による伝送のデータは、端末から報告される能力に基づく方式で確定されてもよく、予め取り決められたルールの方式で確定されてもよい。
【０１３５】
選択可能に、当該端末が、第１ＴＴＩ長による伝送のデータまたは第２ＴＴＩ長による伝送のデータを、構成シグナリングまたは所定のルールに基づいて選択的に処理することは、具体的に、以下を含む。
当該構成シグナリングは、第１ＴＴＩ長による伝送のデータと第２ＴＴＩ長による伝送のデータのうちの１つに対する選択的処理を当該端末に指示し、または、第１ＴＴＩ長による伝送のデータと第２ＴＴＩ長による伝送のデータのうち、１つの伝送ブロックを含むデータまたは２つの伝送ブロックを含むデータの選択を当該端末に指示する。
または、当該所定のルールは、当該端末が第１ＴＴＩ長による伝送のデータと第２ＴＴＩ長による伝送のデータのうちの１つを選択的に処理すると取り決め、または、当該端末が第１ＴＴＩ長による伝送のデータと第２ＴＴＩ長による伝送のデータのうち、１つの伝送ブロックを含むデータまたは２つの伝送ブロックを含むデータを選択すると取り決める。
【０１３６】
または、当該所定のルールは、ダウンリンク伝送について、当該端末が、第２ＴＴＩ長による伝送のデータの位置するサブフレームより前に、当該サブフレームで第１ＴＴＩ長による伝送のデータのスケジューリング情報を受信したのであれば、当該サブフレームで第２ＴＴＩ長による伝送のデータの受信および／または処理を放棄し、第１ＴＴＩ長による伝送のデータのみを受信および／または処理すると取り決める。
または、当該所定のルールは、ダウンリンク伝送について、当該端末が、第２ＴＴＩ長による伝送のデータの位置するサブフレームで、当該サブフレームまたは当該サブフレームの直後のサブフレームで第１ＴＴＩ長による伝送のデータのスケジューリング情報を受信したのであれば、当該サブフレームで第２ＴＴＩ長による伝送のデータの受信および／または処理を中止し、第１ＴＴＩ長による伝送のデータを受信および／または処理すると取り決める。
【０１３７】
または、当該所定のルールは、アップリンク伝送について、当該端末が、第２ＴＴＩ長による伝送のデータの位置するサブフレームより前に、当該サブフレームで第１ＴＴＩ長による伝送のデータのスケジューリング情報を受信したのであれば、当該サブフレームで第２ＴＴＩ長による伝送のデータの処理および／または送信を放棄し、第１ＴＴＩ長による伝送のデータのみを処理および／または送信すると取り決める。
または、当該所定のルールは、アップリンク伝送について、当該端末が、第２ＴＴＩ長による伝送のデータの位置するサブフレームで、当該サブフレームまたは当該サブフレームの直後のサブフレームで第１ＴＴＩ長による伝送のデータのスケジューリング情報を受信したのであれば、当該サブフレームで第２ＴＴＩ長による伝送のデータの処理および／または送信を中止し、第１ＴＴＩ長による伝送のデータを処理および／または送信すると取り決める。
【０１３８】
ここで、当該端末が、構成シグナリングまたは所定のルールに基づいて、第１ＴＴＩ長による伝送のデータと第２ＴＴＩ長による伝送のデータのうちの一部データを選択的に処理することは、具体的に、以下を含む。
当該構成シグナリングは、第１ＴＴＩ長による伝送のデータと第２ＴＴＩ長による伝送のデータのうちの１つを選択的に処理すると当該端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理すると当該端末に指示し、現在のサブフレームで当該構成シグナリングに基づいて選択したデータの伝送ブロック総数が当該伝送ブロックの数上限値を超え、または現在のサブフレームで当該構成シグナリングに基づいて選択したデータのＴＴＩ総数が当該ＴＴＩの数上限値を超えると、さらに搬送波番号に基づいて選択する（第１ＴＴＩ長による伝送のデータを選択した場合、ここで現在のサブフレームで当該構成シグナリングに基づいて選択したデータの伝送ブロック総数は、実際に、現在のサブフレームでスケジューリングされる第１ＴＴＩ長による伝送のデータの時間帯内で、第１ＴＴＩ長で伝送されるデータの伝送ブロック総数である。）。
【０１３９】
または、当該構成シグナリングは、Ａ１個の第１ＴＴＩ長による伝送のデータおよび／またはＡ２個の第２ＴＴＩ長による伝送のデータを選択すると指示する。現在のサブフレームで時間領域で開始位置が揃えたり時間領域でオーバーラップしたりする第１ＴＴＩ長による伝送のデータの総数が当該Ａ１の値を超え、および／または、現在のサブフレームで第２ＴＴＩ長による伝送のデータの総数が当該Ａ２の値を超えると、さらに搬送波番号に基づいて選択する。
または、当該構成シグナリングは、当該伝送ブロックの数上限値または当該ＴＴＩの数上限値の、第１ＴＴＩ長による伝送のデータと第２ＴＴＩ長による伝送のデータでの割当割合（すなわち、例えば、伝送ブロックの数上限値がＮであり、構成シグナリングによって、そのうち第１ＴＴＩ長による伝送のデータに割り当て可能な割合、例えばαを指示すると、端末は、現在のサブフレームで  ｆｌｏｏｒ（Ｎ×ａ）個の第１ＴＴＩ長による伝送のデータの伝送ブロックと、Ｎ−ｆｌｏｏｒ（Ｎ×ａ）個の第２ＴＴＩ長による伝送のデータの伝送ブロックの同時処理が可能であると確定できる（ｆｌｏｏｒは切り捨てを示す））を指示し、現在のサブフレームで時間領域で開始位置が揃えたり時間領域でオーバーラップしたりする第１ＴＴＩ長による伝送のデータの伝送ブロックの総数が、当該割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、当該割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、当該割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、当該割当割合に基づいて確定したサポート可能な第２ＴＴＩ長による伝送のデータのＴＴＩ総数を超えると、さらに搬送波番号に基づいて選択する。
【０１４０】
または、当該所定のルールは、当該端末が第１ＴＴＩ長による伝送のデータと第２ＴＴＩ長による伝送のデータのうちの１つを選択的に処理すると取り決め、または、当該端末が第１ＴＴＩ長による伝送のデータと第２ＴＴＩ長による伝送のデータのうち、１つの伝送ブロックを含むデータまたは２つの伝送ブロックを含むデータを選択的に処理すると取り決める。現在のサブフレームで当該所定のルールに基づいて選択したデータの伝送ブロック総数が当該伝送ブロックの数上限値を超え、または選択したデータのＴＴＩ総数が当該ＴＴＩの数上限値を超えると、さらに搬送波番号に基づいて選択する。
または、当該所定のルールは、Ａ１個の第１ＴＴＩ長による伝送のデータおよび／またはＡ２個の第２ＴＴＩ長による伝送のデータを選択すると取り決める。現在のサブフレームで時間領域で開始位置が揃えたり時間領域でオーバーラップしたりする第１ＴＴＩ長による伝送のデータの総数が当該Ａ１の値を超え、および／または、現在のサブフレームで第２ＴＴＩ長による伝送のデータの総数が当該Ａ２の値を超えると、さらに搬送波番号に基づいて選択する。
または、当該所定のルールは、当該伝送ブロックの数上限値または当該ＴＴＩの数上限値の、第１ＴＴＩ長による伝送のデータと第２ＴＴＩ長による伝送のデータでの割当割合を取り決める。現在のサブフレームで時間領域で開始位置が揃えたり時間領域でオーバーラップしたりする第１ＴＴＩ長による伝送のデータの伝送ブロックの総数が、当該割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、当該割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、当該割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、当該割当割合に基づいて確定したサポート可能な第２ＴＴＩ長による伝送のデータのＴＴＩ総数を超えると、さらに搬送波番号に基づいて選択する。
【０１４１】
以上の第１ＴＴＩ長による伝送のデータおよび／または第２ＴＴＩ長による伝送のデータを選択するフローは、同様に制御チャネルの選択に適用する。よって、ここでは重複な記載を省略する。
【０１４２】
さらに、当該データ伝送方法において、さらに以下を含む。基地局は、同一の搬送波の同一のサブフレームの異なる周波数領域リソースで、第１ＴＴＩ長による伝送のデータと第２ＴＴＩ長による伝送のデータの当該端末による送信または受信をスケジューリングする。すなわち、当該方法において、基地局によるスケジューリングの際に、同一の搬送波の同一のサブフレームで第１ＴＴＩ長による伝送のデータと第２ＴＴＩ長による伝送のデータに対し、オーバーラップする周波数領域リソースのスケジューリングを避けるよう求められている。
または、同一の搬送波の同一のサブフレームで第１ＴＴＩ長による伝送のデータと第２ＴＴＩ長による伝送のデータに用いられる周波数領域リソースがオーバーラップするとスケジューリングすると、ダウンリンク伝送について、当該基地局は、オーバーラップ部分で第１ＴＴＩ長による伝送のデータで第２ＴＴＩ長による伝送のデータを上書きする。アップリンク伝送について、当該基地局は、端末がオーバーラップ部分で第１ＴＴＩ長による伝送のデータで第２ＴＴＩ長による伝送のデータを上書きすると確定する。すなわち、この場合、基地局が第２ＴＴＩ長による伝送のデータを受信する際に、第１ＴＴＩ長による伝送のデータに対応するシンボルで、周波数領域リソースのオーバーラップ部分でのデータは、常に０とする。すなわち、実際に、当該部分では、端末から送信されるのが第１ＴＴＩ長による伝送のデータであって、第２ＴＴＩ長による伝送のデータが送信されないとする。
または、アップリンク伝送について、同一の搬送波の同一のサブフレームで、当該端末が第２ＴＴＩ長による伝送のデータのうち、第１ＴＴＩ長による伝送のデータに対応するシンボル上のデータを穿孔すると確定する。すなわち、この場合、基地局が第２ＴＴＩ長による伝送のデータを受信する際に、第１ＴＴＩ長による伝送のデータに対応するシンボルでのデータは、常に０とする。すなわち、実際に、第２ＴＴＩ長による伝送のデータが送信されていない。
【０１４３】
選択可能に、当該第１ＴＴＩ長は、１ｍｓより小さく、当該第２ＴＴＩ長は、１ｍｓに等しく、および／または、時間領域で開始位置が揃えたり時間領域でオーバーラップしたりする複数の当該第１ＴＴＩのＴＴＩ長は、同一であってもよく異なってもよい。ここで、シンボルとして、ＳＣ−ＦＤＭＡが選択される。
【０１４４】
以上から分かるように、本開示の実施例による当該データ伝送方法において、端末自身の能力または予め取り決められたルールに基づいて、異なる長さのＴＴＩ伝送のデータの同時処理をサポートするかを確定することによって、異なる長さのＴＴＩ伝送をサポートする端末による処理能力内の正しい伝送を保証し、同一の端末が異なる長さのＴＴＩ伝送のデータを正しく処理できないという従来技術の問題を解決した。
【０１４５】
以下、本開示の実施例によるデータ伝送方法をさらに説明する。
【０１４６】
本開示の技術案は、主に、短縮ＴＴＩ（第１ＴＴＩ）伝送をサポートする端末の能力に基づいて、端末によって同一のサブフレームで処理可能な短縮ＴＴＩおよび／または従来ＴＴＩ（第２ＴＴＩ）を確定することである。具体的な処理方法は、以下である。
方式１として、端末は、そのキャリアアグリゲーション能力および／またはＭＩＭＯ（Ｍｕｌｔｉｐｌｅ−Ｉｎｐｕｔ  Ｍｕｌｔｉｐｌｅ−Ｏｕｔ−ｐｕｔ）能力に基づいて、同一のサブフレームで処理可能な短縮ＴＴＩおよび／または従来ＴＴＩを確定する。具体的に、下記方法のうちの１つまたは複数の組み合わせによって実現される。ここで、方式１−１、１−２、１−３は、キャリアアグリゲーション能力を有しない端末に関するものであるが、方式１−４、１−５は、キャリアアグリゲーション能力を有する端末に関するものである。
【０１４７】
方式１−１として、キャリアアグリゲーションをサポートしない（ＭＩＭＯをサポートするかに関係ない）端末の場合、同一のサブフレームで短縮ＴＴＩと従来ＴＴＩの同時処理をサポートしないと確定する。
【０１４８】
現在のサブフレームで短縮ＴＴＩと従来ＴＴＩ伝送が同時にスケジューリングされると、端末は、構成シグナリングの指示または所定のルールに基づいて、一種のＴＴＩ伝送を選択して処理する。
【０１４９】
当該構成シグナリングは、短縮ＴＴＩまたは従来ＴＴＩの選択を指示し、または、１ＴＢ伝送または２ＴＢ伝送の選択を指示する。当該所定のルールは、短縮ＴＴＩ伝送または従来ＴＴＩのうちの１つの選択を取り決め、または、１ＴＢ伝送または２ＴＢ伝送のうちの１つの選択を取り決める。
【０１５０】
例えば、ダウンリンク伝送において、端末は、短縮ＴＴＩ伝送のみに対し復号などを行い、従来ＴＴＩ伝送に対する復号などを放棄する。
【０１５１】
例えば、アップリンク伝送において、端末は、従来ＴＴＩ伝送のサブフレームより前に、当該従来ＴＴＩ伝送のサブフレームで伝送される短縮ＴＴＩのスケジューリング情報を受信すると、従来ＴＴＩ伝送のサブフレームでの従来ＴＴＩ伝送を放棄し、短縮ＴＴＩ伝送のみを伝送する。端末は、従来ＴＴＩ伝送のサブフレームで、当該従来ＴＴＩ伝送のサブフレームまたはその後のサブフレームで伝送される短縮ＴＴＩのスケジューリング情報を受信する（すなわち端末は、従来ＴＴＩ伝送のサブフレームより前に、当該サブフレームでの短縮ＴＴＩのスケジューリング情報を受信せず、ＳＣ−ＦＤＭＡシンボル毎に当該サブフレームで従来ＴＴＩでのアップリンクデータを送信する。）と、従来ＴＴＩの伝送を中止し、短縮ＴＴＩ伝送に対する符号化などの処理を行うとともに、対応するスケジューリングリソースで当該短縮ＴＴＩ伝送を送信する。
【０１５２】
方式１−２として、アップリンク伝送において、キャリアアグリゲーションをサポートしない（ＭＩＭＯをサポートするかに関係ない）端末の場合、現在のサブフレームで短縮ＴＴＩ伝送と従来ＴＴＩ伝送が同時にスケジューリングされると、端末は、短縮ＴＴＩに対する符号化などの処理の前に、従来ＴＴＩに対する符号化などの処理を完成し、または、短縮ＴＴＩに対する符号化などの処理の前に、従来ＴＴＩに対する符号化などの処理を完成しかつ従来ＴＴＩ伝送のサブフレームで短縮ＴＴＩ伝送のスケジューリング情報を受信するのであれば、当該サブフレームで短縮ＴＴＩと従来ＴＴＩを同時に送信する。
それ以外の（すなわち端末は、短縮ＴＴＩに対する符号化などの処理の前に、従来ＴＴＩに対する符号化などの処理を完成しておらず、または、従来ＴＴＩ伝送のサブフレームより前に、当該従来ＴＴＩ伝送のサブフレームで伝送される短縮ＴＴＩ伝送のスケジューリング情報を受信する）場合、方式１−１で処理する。
【０１５３】
方式１−３として、キャリアアグリゲーションをサポートしない端末の場合、ＭＩＭＯ伝送がサポートされる（すなわちＭＩＭＯ能力を有する。例えば、サポート可能な層数が２以上であると報告すると、少なくとも２つのＴＢの同時符号化／復号をサポートすることができる。）のであれば、現在のサブフレームでスケジューリングされる短縮ＴＴＩ伝送と従来ＴＴＩ伝送のＴＢの総数が、ＭＩＭＯにサポートされるＴＢ総数（例えば２つのＴＢ）以下となると、端末は、現在のサブフレームで当該短縮ＴＴＩと従来ＴＴＩ伝送を同時に処理する。
それ以外の（すなわち、ＭＩＭＯがサポートされず、ＭＩＭＯ能力を有しない。例えばサポート可能な層数が１であると報告する。）場合、端末は、上記方式１−１および／または方式１−２で処理する。
【０１５４】
例えば、ダウンリンク伝送について、端末は、ＭＩＭＯ伝送をサポートするのであれば、２つのＴＢの同時復号をサポートする。端末は、現在のサブフレームでスケジューリングされる短縮ＴＴＩと従来ＴＴＩが共に１ＴＢ伝送であると、当該サブフレームで短縮ＴＴＩと従来ＴＴＩを同時に受信して復号する。
それ以外の（すなわち、現在のサブフレームでスケジューリングされる短縮ＴＴＩと従来ＴＴＩの両方または一方が２ＴＢ伝送である）場合、端末は、構成シグナリングまたは所定のルールに基づいて、短縮ＴＴＩ伝送を選択して復号し、従来ＴＴＩ伝送の復号を放棄する。または、端末は、構成シグナリングまたは所定のルールに基づいて、２ＴＢ伝送方式のＴＴＩを選択して復号し、１ＴＢで伝送されるＴＴＩの復号を放棄する。または、端末は、方式１−１で処理する。
【０１５５】
例えば、アップリンク伝送について、端末は、ＭＩＭＯ伝送をサポートするのであれば、２つのＴＢの同時符号化をサポートする。端末は、現在のサブフレームでスケジューリングされる短縮ＴＴＩと従来ＴＴＩの両方が１ＴＢ伝送であると、当該サブフレームで短縮ＴＴＩと従来ＴＴＩを同時に符号化して送信する。
それ以外の（すなわち、現在のサブフレームでスケジューリングされる短縮ＴＴＩと従来ＴＴＩの両方または一方が２ＴＢ伝送である）場合、構成シグナリングまたは所定のルールに基づいて、短縮ＴＴＩを符号化して伝送するが、従来ＴＴＩの符号化／伝送を放棄する（方式Ａ）。または、構成シグナリングまたは所定のルールに基づいて、２ＴＢ伝送方式のＴＴＩの符号化／伝送を行うが、１ＴＢで伝送されるＴＴＩの符号化／伝送を放棄する（方式Ｂ）。または、方式１−１または１−２で処理する（方式Ｃ）。
【０１５６】
方式１−４として、キャリアアグリゲーションをサポートする（ＭＩＭＯをサポートするかに関係ない）端末の場合、サポート可能な最大集約搬送波数に基づいて、同時処理可能なＴＴＩ総数またはＴＢ総数（すなわち同時符号化／復号可能な数）を確定する。現在のサブフレームで現在スケジューリングされる短縮ＴＴＩ伝送の時間帯内の短縮ＴＴＩ伝送と従来ＴＴＩ伝送の総数が、当該同時処理可能なＴＴＩ総数以下であり、または、現在のサブフレームで現在スケジューリングされる短縮ＴＴＩ伝送の時間帯内の短縮ＴＴＩ伝送と従来ＴＴＩ伝送のＴＢ総数が、当該同時処理可能なＴＢ総数以下であると、端末は、現在のサブフレームで当該短縮ＴＴＩと従来ＴＴＩを同時に処理する。
それ以外の（ＴＢ総数を超える）場合、端末は、構成シグナリングの指示または所定のルールに基づいて、一部のデータ伝送を選択して処理する。
【０１５７】
選択可能に、当該同時処理可能なＴＴＩ総数は、当該サポート可能な最大集約搬送波数Ｎ１または
【数１】
2019519979.tif 000003
であり、当該同時処理可能なＴＢ総数は、当該サポート可能な最大集約搬送波数Ｎ１である。例えば、ダウンリンク伝送について、端末にサポートされる最大集約搬送波数がＮ１であり、少なくともＮ１個のＴＴＩまたは
【数２】
2019519979.tif 000004
個のＴＴＩの同時復号がサポートされる。端末は、現在のサブフレームで現在スケジューリングされる短縮ＴＴＩ伝送の時間帯内の短縮ＴＴＩ伝送と従来ＴＴＩの総数がＮ１または
【数３】
2019519979.tif 000005
以下であると、当該サブフレームで当該短縮ＴＴＩと従来ＴＴＩを同時に受信して復号する。それ以外の（当該短縮ＴＴＩ伝送と従来ＴＴＩの総数がＮ１または
【数４】
2019519979.tif 000006
を超える）場合、構成シグナリングまたは所定のルールに基づいて、短縮ＴＴＩ伝送を優先的に選択して復号する。例えば、当該短縮ＴＴＩ伝送の総数がＮ１または
【数５】
2019519979.tif 000007
以下であると、さらに搬送波番号に基づいて、例えば小さい順に従来ＴＴＩ伝送を選択して復号し（同一の搬送波の同一の時間帯内に、複数の短縮ＴＴＩのＦＤＭ伝送がサポートされるのであれば、当該短縮ＴＴＩ伝送の総数がＮ１または
【数６】
2019519979.tif 000008
を超える可能性がある。超える場合、さらに搬送波番号に基づいて、例えば小さい順に、Ｎ１または
【数７】
2019519979.tif 000009
以下の短縮ＴＴＩ伝送を選択して復号する。）、または方式１−１で処理する。
【０１５８】
また、例えば、ダウンリンク伝送について、端末にサポートされる最大集約搬送波数がＮ１であり、少なくともＮ１個のＴＢの同時復号がサポートされる。端末は、現在のサブフレームで現在スケジューリングされる短縮ＴＴＩ伝送の時間帯内の短縮ＴＴＩ伝送と従来ＴＴＩのＴＢ総数がＮ１以下であると、当該サブフレームで当該短縮ＴＴＩと従来ＴＴＩを同時に受信して復号する。それ以外の（当該短縮ＴＴＩ伝送と従来ＴＴＩのＴＢ総数がＮ１を超える）場合、構成シグナリングまたは所定のルールに基づいて、短縮ＴＴＩ伝送を優先的に選択して復号する。例えば、当該短縮ＴＴＩ伝送のＴＢ総数がＮ１以下であると、さらに搬送波番号に基づいて、例えば小さい順に従来ＴＴＩ伝送を選択して復号し（同一の搬送波の同一の時間帯内に、複数の短縮ＴＴＩのＦＤＭ伝送がサポートされるのであれば、当該短縮ＴＴＩ伝送のＴＢ総数がＮ１を超える可能性がある。超える場合、さらに搬送波番号に基づいて、例えば小さい順に、Ｎ１個のＴＢ以下の短縮ＴＴＩ伝送を選択して復号する。）、または方式１−１で処理する。
【０１５９】
また、例えば、アップリンク伝送について、端末にサポートされる最大集約搬送波数がＮ２であり、少なくともＮ２個のＴＴＩまたは
【数８】
2019519979.tif 000010
個のＴＴＩの同時符号化がサポートされる。端末は、現在のサブフレームで現在スケジューリングされる短縮ＴＴＩ伝送の時間帯内の短縮ＴＴＩ伝送と従来ＴＴＩの総数がＮ２または
【数９】
2019519979.tif 000011
以下であると、当該サブフレームで当該短縮ＴＴＩと従来ＴＴＩを同時に符号化して送信する。それ以外の（当該短縮ＴＴＩ伝送と従来ＴＴＩの総数がＮ２または
【数１０】
2019519979.tif 000012
を超える）場合、構成シグナリングまたは所定のルールに基づいて、短縮ＴＴＩ伝送を優先的に選択して符号化し（方式Ａ）、または、方式１−１または方式１−２で処理する（方式Ｂ）。方式Ａの場合、例えば、当該短縮ＴＴＩ伝送の総数がＮ２または
【数１１】
2019519979.tif 000013
以下であると、さらに搬送波番号に基づいて、例えば小さい順に従来ＴＴＩ伝送を選択して符号化する（同一の搬送波の同一の時間帯内に、複数の短縮ＴＴＩのＦＤＭ伝送がサポートされるのであれば、当該短縮ＴＴＩ伝送の総数がＮ２または
【数１２】
2019519979.tif 000014
を超える可能性がある。超える場合、さらに搬送波番号に基づいて、例えば小さい順に、Ｎ２または
【数１３】
2019519979.tif 000015
個以下の短縮ＴＴＩ伝送を選択して符号化する。）。
【０１６０】
また、例えば、アップリンク伝送について、端末にサポートされる最大集約搬送波数がＮ２であり、少なくともＮ２個のＴＢの同時符号化がサポートされる。端末は、現在のサブフレームで現在スケジューリングされる短縮ＴＴＩ伝送の時間帯内の短縮ＴＴＩ伝送と従来ＴＴＩ伝送のＴＢ総数がＮ２以下であると、当該サブフレームで当該短縮ＴＴＩと従来ＴＴＩを同時に符号化して送信する。それ以外の（当該短縮ＴＴＩ伝送と従来ＴＴＩのＴＢ総数がＮ２を超える）場合、構成シグナリングまたは所定のルールに基づいて、短縮ＴＴＩ伝送を優先的に選択して符号化し（方式Ａ）、または、方式１−１または方式１−２で処理する（方式Ｂ）。方式Ａの場合、例えば、現在のサブフレームで短縮ＴＴＩ伝送のＴＢ総数がＮ２以下であると、さらに搬送波番号に基づいて、例えば小さい順に従来ＴＴＩ伝送を選択して符号化する（同一の搬送波の同一の時間帯内に、複数の短縮ＴＴＩのＦＤＭ伝送がサポートされるのであれば、当該短縮ＴＴＩ伝送のＴＢ総数がＮ２を超える可能性がある。超える場合、さらに搬送波番号に基づいて、例えば小さい順に、Ｎ２個のＴＢ以下の短縮ＴＴＩ伝送を選択して符号化する。）。
【０１６１】
方式１−５として、キャリアアグリゲーションをサポートする端末について、サポート可能な最大集約搬送波数および各集約搬送波にサポートされるＴＢ数（すなわち複数ＴＢ伝送をサポートするかのＭＩＭＯ能力である）に基づいて、同一のサブフレームで同時処理可能なＴＢ総数（すなわち同時符号化／復号可能な数）を確定する。現在のサブフレームで現在スケジューリングされる短縮ＴＴＩ伝送の時間帯内の短縮ＴＴＩ伝送と従来ＴＴＩ伝送のＴＢ総数が、当該同時処理可能なＴＢ総数以下であると、端末は、現在のサブフレームで当該短縮ＴＴＩと従来ＴＴＩを同時に処理するが、それ以外の（ＴＢ総数を超える）場合、所定のルールに基づいて、一部のデータ伝送を選択して処理する。
当該同時処理可能なＴＢ総数は、
【数１４】
2019519979.tif 000016
である。ここで、Ｎは、サポート可能な最大集約搬送波数であり、Ｃｉは、各集約可能な搬送波にサポートされる最大ＴＢ数である。例えば、１ＴＢ伝送をサポートする場合、Ｃｉ＝１であるが、２ＴＢ伝送をサポートする場合、Ｃｉ＝２である。
例えば、ダウンリンク伝送について、端末から報告されるＣＡ（Ｃａｒｒｉｅｒ  Ａｇｇｒｅｇａｔｉｏｎ）能力から、端末が複数のバンドｂａｎｄでサポートする最大搬送波集約数がＮ１であることが分かり、ＭＩＭＯ能力報告から、各搬送波にサポートされる最大ＴＢ個数が確定され、よって、当該端末が少なくとも
【数１５】
2019519979.tif 000017
個のＴＢを同時に復号すると確定する。端末は、現在のサブフレームで現在スケジューリングされる短縮ＴＴＩ伝送の時間帯内の短縮ＴＴＩ伝送と従来ＴＴＩ伝送のＴＢ総数が
【数１６】
2019519979.tif 000018
以下であると、当該サブフレームで当該短縮ＴＴＩと従来ＴＴＩを同時に受信して復号する。それ以外の（当該短縮ＴＴＩと従来ＴＴＩのＴＢ総数が
【数１７】
2019519979.tif 000019
を超える）場合、構成シグナリングまたは所定のルールに基づいて、短縮ＴＴＩ伝送を優先的に選択して復号する。例えば、現在のサブフレームで短縮ＴＴＩ伝送のＴＢ総数が
【数１８】
2019519979.tif 000020
以下であると、さらに搬送波番号に基づいて、例えば小さい順に従来ＴＴＩ伝送を選択して復号し（同一の搬送波の同一の時間帯内に、複数の短縮ＴＴＩのＦＤＭ伝送がサポートされるのであれば、当該短縮ＴＴＩ伝送のＴＢ総数が
【数１９】
2019519979.tif 000021
を超える可能性がある。超える場合、さらに搬送波番号に基づいて、例えば小さい順に、
【数２０】
2019519979.tif 000022
個以下の短縮ＴＴＩ伝送を選択して復号する。）、または方式１−１で処理する。
【０１６２】
例えば、アップリンク伝送について、上記と類似する方式で、端末にサポートされる最大集約搬送波数がＮ２であると確定し、よって、当該端末が少なくとも
【数２１】
2019519979.tif 000023
個のＴＢを同時に復号すると確定する。端末は、現在のサブフレームで現在スケジューリングされる短縮ＴＴＩ伝送の時間帯内の短縮ＴＴＩ伝送と従来ＴＴＩ伝送のＴＢ総数が
【数２２】
2019519979.tif 000024
以下であると、当該サブフレームで当該短縮ＴＴＩと従来ＴＴＩを同時に受信して復号する。それ以外の（当該短縮ＴＴＩと従来ＴＴＩのＴＢ総数が
【数２３】
2019519979.tif 000025
を超える）場合、構成シグナリングまたは所定のルールに基づいて、短縮ＴＴＩ伝送を優先的に選択して復号し（方式Ａ）、または、方式１−１または方式１−２で処理する（方式Ｂ）。方式Ａの場合、例えば、現在のサブフレームで短縮ＴＴＩ伝送のＴＢ総数が
【数２４】
2019519979.tif 000026
以下であると、さらに搬送波番号に基づいて、例えば小さい順に従来ＴＴＩ伝送を選択して復号する（同一の搬送波の同一の時間帯内に、複数の短縮ＴＴＩのＦＤＭ伝送がサポートされるのであれば、当該短縮ＴＴＩ伝送のＴＢ総数が
【数２５】
2019519979.tif 000027
を超える可能性がある。超える場合、さらに搬送波番号に基づいて、例えば小さい順に、
【数２６】
2019519979.tif 000028
個のＴＢ以下の短縮ＴＴＩ伝送を選択して復号する。）。
【０１６３】
上記方式１の各方式は、アップリンクとダウンリンクの両方に同時に適用し、または、アップリンクのみまたはダウンリンクのみに適用する。アップリンクとダウンリンクの両方に同時に適用する場合、それぞれアップリンクとダウンリンクのキャリアアグリゲーション／ＭＩＭＯ能力に基づいて処理し、または、アップリンクとダウンリンクの最大／最小／平均キャリアアグリゲーション／ＭＩＭＯ能力で処理する。
【０１６４】
方式２として、端末は、サポート可能な同一のサブフレームで同時に処理されるＴＢ総数またはＴＴＩ総数を報告し、当該ＴＢ総数またはＴＴＩ総数に基づいて、同一のサブフレームで同時に処理可能な短縮ＴＴＩおよび／または従来ＴＴＩを確定する。
【０１６５】
現在のサブフレームで現在スケジューリングされる短縮ＴＴＩ伝送の時間帯内の短縮ＴＴＩ伝送と従来ＴＴＩ伝送のＴＢ総数が当該同時処理可能なＴＢ総数以下であり、または、現在のサブフレームで現在スケジューリングされる短縮ＴＴＩ伝送の時間帯内の短縮ＴＴＩ伝送と従来ＴＴＩ伝送のＴＴＩ総数が当該同時処理可能なＴＴＩ総数以下であると、端末は、現在のサブフレームで当該ＴＴＩと従来ＴＴＩを同時に処理するが、それ以外の（ＴＢ総数および／またはＴＴＩ総数を超える）場合、所定のルールに基づいて、一部のデータ伝送を選択して処理する。
【０１６６】
例えば、予めＫ個のＴＢ総数を定義し、
【数２７】
2019519979.tif 000029
ビット情報によって、端末にサポートされる１つのＴＢ総数を報告する。
【０１６７】
アップリンクとダウンリンク伝送に対し、１つのＴＢ総数またはＴＴＩ総数を一括報告し、すなわちアップリンクとダウンリンクの両方で当該ＴＢ総数またはＴＴＩ総数の報告をサポートする。または、アップリンクとダウンリンク伝送に対し、それぞれ１つのＴＢ総数またはＴＴＩ総数を報告する。
【０１６８】
例えば、ダウンリンクまたはアップリンク伝送に対し、具体的に、ＴＢ総数またはＴＴＩ総数に基づいて短縮ＴＴＩおよび／または従来ＴＴＩ伝送を選択する過程は、方式１−５に類似するが、ＴＢ総数またはＴＴＩ総数を上記報告されるＴＢ総数またはＴＴＩ総数に置き換えるという点で異なる。
【０１６９】
方式３として、端末は、短縮ＴＴＩと従来ＴＴＩの同時処理をサポートするかの能力を報告し、当該能力に基づいて、同一のサブフレームで同時に処理可能な短縮ＴＴＩおよび／または従来ＴＴＩを確定する。
【０１７０】
アップリンク伝送とダウンリンク伝送において、１ビット情報によって、当該能力を一括報告する。すなわち、サポートされるのであれば、アップリンクとダウンリンクの両方にサポートされるが、サポートされなければ、アップリンクとダウンリンクの両方にサポートされない。または、アップリンク伝送とダウンリンク伝送に対し、それぞれ１ビット情報によって当該能力を独立に報告する。すなわち、同時にサポートされてもよく、同時にサポートされなくてもよいが、アップリンクのみでサポートされ、またはダウンリンクのみでサポートされるのもよい。
【０１７１】
キャリアアグリゲーションをサポートする端末について、全ての搬送波について当該能力を一括で指示する。すなわちサポートされるのであれば、各搬送波でサポートされる。または、搬送波毎に当該能力を独立に指示してもよい。例えば、０でサポートしないことを示し、１でサポートすることを示すが、その逆であってもよい。
【０１７２】
端末は、短縮ＴＴＩと従来ＴＴＩの同時処理をサポートする場合、同一の搬送波で短縮ＴＴＩ伝送と従来ＴＴＩ伝送を同時に処理する（同時にスケジューリングされる場合）。端末は、短縮ＴＴＩと従来ＴＴＩの同時処理をサポートしない場合、現在のサブフレームで、同一の搬送波に短縮ＴＴＩと従来ＴＴＩ伝送が同時にスケジューリングされると、構成シグナリングまたは所定のルールに基づいて、短縮ＴＴＩと従来ＴＴＩのうちの１つを選択して処理する。
【０１７３】
当該構成シグナリングは、短縮ＴＴＩまたは従来ＴＴＩの選択を指示し、または、１ＴＢ伝送または２ＴＢ伝送の選択を指示する。
【０１７４】
当該所定のルールは、短縮ＴＴＩ伝送または従来ＴＴＩのうちの１つの選択を取り決め、または、１ＴＢ伝送または２ＴＢ伝送のうちの一つの選択を取り決める。
【０１７５】
上記方式１、方式２、方式３において、端末が所定のルールに基づいて一部のデータ伝送を選択して処理することは、具体的に、以下を含む。
当該構成シグナリングは、短縮ＴＴＩまたは従来ＴＴＩの選択を指示し、または、Ａ１個の短縮ＴＴＩまたはＡ２個の従来ＴＴＩの選択を指示する。
当該所定のルールは、各集約搬送波の短縮ＴＴＩ伝送を優先的に選択すること、および、当該同時処理可能なＴＢ総数を満たすまで、搬送波番号順（例えば低い順または高い順）に選択することのうちの１つまたは組み合わせである。
【０１７６】
上記方式１、方式２、方式３において、当該構成シグナリングは、ハイレイヤシグナリングであるか、物理ダウンリンク制御チャネルに付帯される。
【０１７７】
当該物理ダウンリンク制御チャネルは、短縮ＴＴＩに対応する物理ダウンリンク制御チャネル、従来ＴＴＩに対応する物理ダウンリンク制御チャネルのうちの１つまたは全てを含む。
【０１７８】
当該構成シグナリングが短縮ＴＴＩに対応する物理ダウンリンク制御チャネル、従来ＴＴＩに対応する物理ダウンリンク制御チャネルの両方に同時に付帯されている場合、当該物理ダウンリンク制御チャネルでの構成シグナリングに指示される内容は、同一である。
【０１７９】
指示される内容が異なると、スケジューリングエラーと見なし、処理を行わない。または、短縮ＴＴＩに対応する物理ダウンリンク制御チャネルに付帯されている構成シグナリングに準じる。
【０１８０】
選択可能に、予め短縮ＴＴＩを選択して処理すると取り決める。
【０１８１】
従来ＴＴＩについて、当該ＴＴＩのデータを放棄するか、当該ＴＴＩのうち、当該短縮ＴＴＩの位置する時間領域部分のデータを穿孔する。当該ＴＴＩのうち、当該短縮ＴＴＩの位置する時間領域位置以外のデータを処理することを試みてもよい（前提として、当該部分のデータは、自己復号が可能である）。
【０１８２】
当該処理は、ダウンリンク伝送において受信／復号であり、アップリンク伝送において復号化／送信である。
【０１８３】
当該短縮ＴＴＩと従来ＴＴＩは、同一の搬送波の同一のサブフレームの異なる周波数領域リソースで伝送される。または、同一の搬送波の同一のサブフレームで、当該短縮ＴＴＩの周波数領域リソースと当該従来ＴＴＩの周波数領域リソースとはオーバーラップする（完全オーバーラップまたは一部オーバーラップ）と、従来ＴＴＩのうち、短縮ＴＴＩとオーバーラップする部分のデータに対し穿孔処理を行う（すなわちオーバーラップ部分で、短縮ＴＴＩのデータは、従来ＴＴＩのデータを上書きする）。または、アップリンク伝送について、単一搬送波特性を保証するために、同一の搬送波の同一のサブフレームで、常に従来ＴＴＩのうち、短縮ＴＴＩ伝送に対応するＳＣ−ＦＤＭＡシンボルでのデータに対し穿孔処理を行う（すなわち、短縮ＴＴＩの周波数領域リソースと従来ＴＴＩの周波数領域リソースとはオーバーラップするか否かに関わらず、当該サブフレームで短縮ＴＴＩ伝送の位置するシンボルで、従来ＴＴＩのデータが伝送されない。）。
【０１８４】
選択可能に、上記の現在のサブフレームで現在スケジューリングされる短縮ＴＴＩ伝送の時間帯内の短縮ＴＴＩ伝送は、複数の集約搬送波および／または同一の搬送波の時間領域でオーバーラップする短縮ＴＴＩ伝送である。現在のサブフレームでＴＤＭ伝送される複数の短縮ＴＴＩであれば、短縮ＴＴＩ毎に上記方式でそれぞれ処理する。
【０１８５】
上記データ伝送方法は、端末自身が同一のサブフレームで処理する短縮ＴＴＩおよび／または従来ＴＴＩを判断するように実行される。または、端末から関連情報を基地局に送信し、基地局が判断をする。それから、基地局は、端末によって同一のサブフレームで処理される短縮ＴＴＩおよび／または従来ＴＴＩを確定し、確定結果に基づいて、対応する処理指令を生成して端末に配信する。端末は、指令にしたがって、対応する操作を行う。
【０１８６】
すなわち、基地局側において、端末から報告される処理能力を受信すると、対応する報告能力に基づいて、上記方法で端末の具体的な送信や受信（同一のサブフレームで処理される短縮ＴＴＩおよび／または従来ＴＴＩ）を確定する。選択可能に、基地局は、端末が一部のＴＴＩ伝送を放棄することを避けるよう、スケジューリングするべきである。すなわち、スケジューリングされるＴＢ総数が端末にサポートされるＴＢ処理数を超えないよう、常に保証する。または、方式３で報告されるサポート可否に基づいて対応なスケジューリングを行うことを常に保証する。すなわち、端末が１つの搬送波について短縮ＴＴＩと従来ＴＴＩの同時処理をサポートすると報告すると、当該端末に対し、当該搬送波の同一のサブフレームで短縮ＴＴＩと従来ＴＴＩ伝送を同時にスケジューリングする（アップリンク伝送、ダウンリンク伝送のうちの一方または両方を含み、能力報告の定義方式がアップリンクとダウンリンクの一括報告であるか、それとも独立報告であるかによって決まる。）。当該搬送波では、短縮ＴＴＩと従来ＴＴＩの同時処理をサポートしないと端末から報告されると、基地局は、選択可能に、当該端末に対し、当該搬送波の同一のサブフレームで短縮ＴＴＩと従来ＴＴＩ伝送を同時にスケジューリングすることを避けるべきである。
【０１８７】
以下、本開示の実施例によるデータ伝送方法を例示して説明する。
【０１８８】
例１（方式１に対応する）：
端末は、そのキャリアアグリゲーション能力を報告する。「Ｓｕｐｐｏｒｔｅｄ  ｂａｎｄ  ｃｏｍｂｉｎａｔｉｏｎ」のうち、各ｂａｎｄに対応する「ＣＡ  ｂａｎｄｗｉｄｔｈ  ｃｌａｓｓｅｓ」から、端末が各ｂａｎｄ（バンド）でサポート可能な集約搬送波を確定することによって、端末が複数のｂａｎｄでサポートする最大搬送波集約数がＮ１であることを得る。「Ｓｕｐｐｏｒｔｅｄ  ｂａｎｄ  ｃｏｍｂｉｎａｔｉｏｎ」のうち、各ｂａｎｄの「ＣＡ  ｂａｎｄｗｉｄｔｈ  ｃｌａｓｓｅｓ」に対応するＭＩＭＯ能力の報告から、当該「ＣＡ  ｂａｎｄｗｉｄｔｈ  ｃｌａｓｓｅｓ」の各搬送波にサポートされる最大ＴＢ数が得られる。ここで、異なるｂａｎｄのＭＩＭＯ能力が独立に報告され、同一ｂａｎｄ内の複数の搬送波のＭＩＭＯ能力が同一であることから、当該端末が少なくとも
【数２８】
2019519979.tif 000030
個のＴＢを同時に復号することができると確定する。上記報告から、端末が最大Ｎ１＝１０個の搬送波の集約をサポートすると確定すると、各集約可能な搬送波がＭＩＭＯ伝送（２ＴＢ伝送）をサポートするとすると、端末の上記能力に基づいて、同一のサブフレームで同時処理可能なＴＢ総数は、１０×２＝２０個であると確定する。端末で、６個の搬送波（搬送波１〜６）でキャリアアグリゲーションを行うと、現在のサブフレームで、下記ケースが存在する。
ケース１：端末の搬送波１〜６で２ＴＢ伝送が行われる場合、端末の搬送波１〜６でそれぞれ１つの短縮ＴＴＩ伝送がスケジューリングされ、各短縮ＴＴＩ伝送が全て２ＴＢ伝送であり、端末の搬送波１〜６でそれぞれ１つの従来ＴＴＩ伝送がスケジューリングされ、各従来ＴＴＩ伝送が全て２ＴＢ伝送であると、端末は、現在のサブフレームでスケジューリングされるＴＢ総数は、６×２＋６×２＝２４個であり、同時処理可能なＴＢ総数である２０を超える。したがって、端末は、そのうちの２０個のＴＢを選択して処理する。例えば、まず短縮ＴＴＩ伝送を選択し、すなわち搬送波１〜６の全ての短縮ＴＴＩを処理し、２０−１２＝８個のＴＢの余剰が存在する。さらに従来ＴＴＩを選択して処理する。６個の従来ＴＴＩが存在して計１２個のＴＢの伝送が存在するため、さらに搬送波の優先度に基づいて、従来ＴＴＩを選択して伝送する。例えば搬送波番号の低い順に選択すると、搬送波１〜４の従来ＴＴＩを選択して処理する。したがって、搬送波１〜４では、従来ＴＴＩと短縮ＴＴＩ伝送が同時に処理され、搬送波５と搬送波６では、短縮ＴＴＩのみが処理される。上記処理過程は、ダウンリンクにおいて復号などの過程であり、アップリンクにおいて符号化などの過程である。
ケース２：端末の搬送波１〜６で１ＴＢ伝送が行われる場合、端末の搬送波１〜６でそれぞれ１つの短縮ＴＴＩ伝送がスケジューリングされ、各短縮ＴＴＩ伝送が１ＴＢ伝送であり、端末の搬送波１〜６でそれぞれ１つの従来ＴＴＩ伝送がスケジューリングされ、各従来ＴＴＩ伝送が１ＴＢ伝送であると、端末は、現在のサブフレームでスケジューリングされるＴＢ総数は、６＋６＝１２個であり、同時処理可能なＴＢ総数である２０を超えていない。したがって、端末は、現在のサブフレームで、搬送波１〜６での全ての短縮ＴＴＩと従来ＴＴＩ伝送を同時に処理する。上記処理過程は、ダウンリンクにおいて復号などの過程であり、アップリンクにおいて符号化などの過程である。
【０１８９】
ここで、以上は、全ての搬送波が２ＴＢ伝送をサポートする能力を有することを例としたが、サポートされる集約搬送波の一部が２ＴＢをサポートし、一部が２ＴＢをサポートできないのもよい。上記のスケジューリングされる短縮ＴＴＩ伝送と従来ＴＴＩ伝送は、一部が２ＴＢ伝送で、一部が１ＴＢ伝送であってもよく、過程が以上と類似しているため、重複な記載を省略する。
【０１９０】
例２（方式２に対応する）
端末は、同一のサブフレームで同時処理可能なＴＢ総数が２０個であると報告し、端末の６個の搬送波（搬送波１〜６）でキャリアアグリゲーションを行う場合、現在のサブフレームで、その具体的な処理が例１と同一である。
【０１９１】
例３（方式３に対応する）
端末は、１ビットによって、短縮ＴＴＩと従来ＴＴＩの同時処理をサポートすると報告する（アップリンクとダウンリンクの両方に有効である）。基地局は、図３に示されているように、当該端末が同一のダウンリンクサブフレームで短縮ＴＴＩと従来ＴＴＩのダウンリンクデータ受信を同時に行うようにスケジューリングする。端末は、当該ダウンリンクサブフレームで、従来ＴＴＩと短縮ＴＴＩをスケジューリングするダウンリンクスケジューリンググラントを同時に検出すると、ダウンリンクスケジューリンググラントに基づいて、対応するリソースで従来ＴＴＩダウンリンク伝送と短縮ＴＴＩダウンリンク伝送を同時に受信する。基地局は、図４に示されているように、当該端末が同一のアップリンクサブフレームで短縮ＴＴＩと従来ＴＴＩのアップリンクデータ送信を同時に行うようにスケジューリングしてもよい。端末は、当該アップリンクサブフレームで従来ＴＴＩと短縮ＴＴＩ伝送を伝送するようにスケジューリングするアップリンクスケジューリンググラントを検出すると、アップリンクスケジューリンググラントに基づいて、対応するリソースで従来ＴＴＩアップリンク伝送と短縮ＴＴＩアップリンク伝送を同時に送信する。もちろん、基地局は、１つのサブフレームで短縮ＴＴＩ伝送のみをスケジューリングし、または従来ＴＴＩ伝送のみをスケジューリングしてもよい。
【０１９２】
例４（方式３に対応する）
端末は、１ビットによって、アップリンク伝送で短縮ＴＴＩと従来ＴＴＩの同時処理をサポートしないと報告し、別の１ビットによって、ダウンリンク伝送で短縮ＴＴＩと従来ＴＴＩの同時処理をサポートすると報告する。基地局は、図３に示されているように、当該端末が同一のダウンリンクサブフレームで短縮ＴＴＩと従来ＴＴＩのダウンリンクデータ受信を同時に行うようにスケジューリングする。もちろん、基地局は、１つのサブフレームで短縮ＴＴＩ伝送のみをスケジューリングし、または従来ＴＴＩ伝送のみをスケジューリングしてもよい。基地局は、当該端末が１つのアップリンクサブフレームで短縮ＴＴＩまたは従来ＴＴＩのアップリンクデータ送信を行うようにスケジューリングしてもよい。基地局は、当該端末が同一のアップリンクサブフレームで短縮ＴＴＩまたは従来ＴＴＩのアップリンクデータ送信を同時に行うようにスケジューリングすると、端末は、その一方を選択して送信する。例えば、図５に示されているように、端末は、短縮ＴＴＩのアップリンク伝送のみの送信を選択する。または、図６に示されているように、端末は、短縮ＴＴＩの位置するリソースで、短縮ＴＴＩのアップリンク伝送を送信し、当該サブフレームのうち、短縮ＴＴＩの位置するシンボル以外のほかのシンボルでＴＴＩ伝送にスケジューリングされる周波数領域リソースで、従来ＴＴＩのアップリンク伝送を送信する。
【０１９３】
図５に示されているように、別のケースについて逆であってもよい。すなわち、端末は、１ビットによって、アップリンク伝送において短縮ＴＴＩと従来ＴＴＩの同時処理をサポートすると報告し、処理が本例のダウンリンク伝送に類似するが、別の１ビットによって、ダウンリンク伝送において短縮ＴＴＩと従来ＴＴＩの同時処理をサポートしないと報告し、処理が本例のアップリンク伝送に類似する。重複な記載を省略する。
【０１９４】
また、上記例において、本開示は、１つの短縮ＴＴＩ伝送が存在することを例としたが、１つのサブフレームで、１を超える短縮ＴＴＩ伝送が存在してもよい。複数の短縮ＴＴＩ伝送は、同一の搬送波でＦＤＭ伝送および／またはＴＤＭ伝送される。キャリアアグリゲーションをサポートする場合、複数の短縮ＴＴＩは、それぞれ異なる搬送波で伝送され、かつ複数の短縮ＴＴＩ伝送のＴＴＩ長は、同一であってもよく異なってもよい。上記の従来ＴＴＩと同時に伝送される短縮ＴＴＩを算出する際に、当該サブフレームで、現在の短縮ＴＴＩとは時間領域でオーバーラップする短縮ＴＴＩのみを考慮する（これは、現在短縮ＴＴＩ伝送の位置するシンボルでは、当該サブフレームの後続シンボル上の短縮ＴＴＩ伝送のスケジューリング情報が得られていない可能性があるからである。）。上記例において、アップリンク伝送とダウンリンク伝送の参照シンボル（すなわちパイロット）マッピング方式は、単に例示に過ぎず、それによって本開示の技術案が制限されることがなく、他のパイロットマッピング方式でも同様に本開示の技術案に適用する。
【０１９５】
以上から分かるように、本開示の実施例によるデータ伝送方法において、端末自身の能力に基づいて、端末が同一の搬送波で短縮ＴＴＩと従来ＴＴＩの同時処理をサポートするかを確定する。すなわち、短縮ＴＴＩと従来ＴＴＩの同時符号化または復号が可能であるかを確定して、短縮ＴＴＩ伝送をサポートする端末による処理能力内の正しい伝送を保証する。
【０１９６】
図７に示されているように、本開示の実施例による端末は、第１確定モジュール７１を含む。第１確定モジュール７１は、当該端末から報告される能力または予め取り決められたルールに基づいて、同一のサブフレームで処理される第１ＴＴＩ長による伝送のデータおよび／または前記第１ＴＴＩ長より大きい第２ＴＴＩ長による伝送のデータを確定することに用いられる。当該データは、共有チャネルおよび／または制御チャネルを含む。ここで、第１ＴＴＩ長は、当該第２ＴＴＩ長より小さい。
【０１９７】
第１確定モジュール７１は、具体的に、端末が同一のサブフレーム、同一の搬送波で第１ＴＴＩ長による伝送のデータと第２ＴＴＩ長による伝送のデータを同時処理できるか、および／または、同一のサブフレーム、異なる搬送波で第１ＴＴＩ長による伝送のデータと第２ＴＴＩ長による伝送のデータを同時処理できるかを確定することに用いられ、同時処理ができない場合、一部のＴＴＩ伝送のデータを選択的に処理することをさらに含む。
【０１９８】
ここで、当該第１確定モジュールは、具体的に、当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定することに用いられる第１確定サブモジュール、および／または、当該端末から報告される能力であって、同一のサブフレームで同時処理可能な伝送ブロックの数上限値またはＴＴＩの数上限値を指示する能力に基づいて、当該端末によって同一のサブフレームで処理される第１ＴＴＩ長による伝送のデータおよび／または第２ＴＴＩ長による伝送のデータを確定することに用いられる第２確定サブモジュール、および／または、当該端末から報告される能力であって、同一のサブフレームで第１ＴＴＩ長による伝送のデータと第２ＴＴＩ長による伝送のデータの同時処理をサポートするかを指示する能力に基づいて、当該端末によって同一のサブフレームで処理される第１ＴＴＩ長による伝送のデータおよび／または第２ＴＴＩ長による伝送のデータを確定することに用いられる第３確定サブモジュールを含む。
【０１９９】
具体的に、当該第３確定サブモジュールは、当該端末から報告される能力によって、同一のサブフレームで第１ＴＴＩ長による伝送のデータと第２ＴＴＩ長による伝送のデータの同時処理が当該端末にサポートされると指示される場合、現在のサブフレームで第１ＴＴＩ長による伝送のデータと第２ＴＴＩ長による伝送のデータが同時にスケジューリングされるのであれば、現在のサブフレームで第１ＴＴＩ長による伝送のデータと第２ＴＴＩ長による伝送のデータを同時に処理することに用いられる第１処理ユニットと、当該端末から報告される能力によって、同一のサブフレームで第１ＴＴＩ長による伝送のデータと第２ＴＴＩ長による伝送のデータの同時処理が当該端末にサポートされないと指示される場合、現在のサブフレームで第１ＴＴＩ長による伝送のデータと第２ＴＴＩ長による伝送のデータが同時にスケジューリングされるのであれば、構成シグナリングまたは所定のルールに基づいて、第１ＴＴＩ長による伝送のデータまたは第２ＴＴＩ長による伝送のデータを選択的に処理することに用いられる第２処理ユニットを含む。
【０２００】
ここで、当該端末から報告される能力であって、同一のサブフレームで第１ＴＴＩ長による伝送のデータと第２ＴＴＩ長による伝送のデータの同時処理をサポートするかを指示する能力について、具体的に、アップリンク伝送とダウンリンク伝送について、当該能力は、一括または独立に報告され、および／または、キャリアアグリゲーションをサポートする端末について、当該能力は、全ての集約搬送波について一括報告されるか、集約搬送波毎に独立に報告されることを含む。
【０２０１】
ここで、アップリンクとダウンリンクで当該能力を一括報告する場合、上記第３確定サブモジュールの具体的な操作で処理する。アップリンクとダウンリンクで当該能力を独立に報告する場合、アップリンク、ダウンリンクのそれぞれに対し、対応する報告能力に基づいて、上記第３確定サブモジュールの具体的な操作で処理する。
【０２０２】
全ての集約搬送波について当該能力を一括報告する場合、搬送波毎に上記第３確定サブモジュールの具体的な操作で処理する。集約搬送波毎に当該能力を独立に報告する場合、集約搬送波毎に、対応する報告能力に基づいて、上記第３確定サブモジュールの具体的な操作で処理する。
【０２０３】
また、第３確定サブモジュールは、第１確定サブモジュールまたは第２確定サブモジュールと組み合わせて使用されてもよい。例えば、当該端末から報告される能力によって、同一のサブフレームで第１ＴＴＩ長による伝送のデータと第２ＴＴＩ長による伝送のデータの同時処理が当該端末にサポートされると指示される場合、現在のサブフレームで第１ＴＴＩ長による伝送のデータと第２ＴＴＩ長による伝送のデータが同時にスケジューリングされるのであれば、さらに、当該端末によって同一のサブフレームで処理される第１ＴＴＩ長による伝送のデータおよび／または第２ＴＴＩ長による伝送のデータを、第１確定サブモジュールまたは第２確定サブモジュールを利用して確定する。すなわち、具体的な実現方式は、第１確定サブモジュールまたは第２確定サブモジュールの操作フローで伝送ブロックの数上限値またはＴＴＩの数上限値に基づいて選択的処理データを確定する方式を参照してもよい。
【０２０４】
具体的に、当該第２確定サブモジュールは、具体的に、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される当該伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される当該ＴＴＩの数上限値以下になるのであれば、現在のサブフレームで第１ＴＴＩ長による伝送のデータと第２ＴＴＩ長による伝送のデータを同時に処理することに用いられる第３処理ユニットと、それ以外の場合に、構成シグナリングまたは所定のルールに基づいて、第１ＴＴＩ長による伝送のデータと第２ＴＴＩ長による伝送のデータのうちの一部データを選択的に処理することに用いられる第２処理ユニットを含む。
【０２０５】
ここで、「時間領域で開始位置が揃えたり時間領域でオーバーラップしたりする第１ＴＴＩ長による伝送のデータ」は、「第１ＴＴＩ長による伝送のデータの時間帯に、第１ＴＴＩ長で伝送されるデータ」と解釈してもよく、すなわち、同一のサブフレームで、時間上オーバーラップする同一の搬送波および／または複数の搬送波での異なる第１ＴＴＩ（短縮ＴＴＩ）伝送であり、例えば、開始シンボルが同一でありまたは揃える同一の搬送波および／または複数の搬送波での異なる第１ＴＴＩ伝送である。例えば、端末でＮ個の搬送波が集約される場合、各搬送波は、同一のシンボル位置で１つの第１ＴＴＩ伝送（例えばいずれも第３〜６個のＯＦＤＭシンボルに１つのデータ伝送が存在する。）が存在し、同時に１つの第２ＴＴＩ（従来ＴＴＩ）伝送が存在する。この場合、現在の第１ＴＴＩ、すなわち第３〜６個のＯＦＤＭにおいて、Ｎ個の搬送波で計Ｎ個の第１ＴＴＩ伝送が存在する。もちろん、異なる搬送波での第１ＴＴＩ伝送のシンボル数は、異なってもよい。例えば、Ｎ個の搬送波のうちＡ個の搬送波での第１ＴＴＩ伝送が第３〜６個のシンボルを、Ｎ−Ａ個の搬送波での第１ＴＴＩ伝送が第３〜８個のシンボルを占用すると、現在のサブフレームで、開始シンボルの位置が同一である第１ＴＴＩの総数は、Ｎ−Ａ＋Ａ＝Ｎ個になる。
【０２０６】
この場合、各搬送波に１つの第２ＴＴＩ伝送も存在するため、現在のサブフレームで、現在スケジューリングされる第１ＴＴＩ伝送の時間帯での第１ＴＴＩと第２ＴＴＩ伝送の総数は、２Ｎである。
【０２０７】
現在のサブフレームで、各搬送波の第９〜１２個のシンボルにもう１つの第１ＴＴＩ伝送が存在するのであれば、これら第１ＴＴＩ伝送は、第３個のＯＦＤＭを占用して伝送を開始する第１ＴＴＩにカウントされない。第３〜６個のＯＦＤＭシンボルで伝送される第１ＴＴＩに対する処理を終えた後に、第９〜１２個のＯＦＤＭシンボルで伝送される第１ＴＴＩに対し、第３〜６個のＯＦＤＭシンボルで伝送される第１ＴＴＩに対する処理に類似する処理を行う。後の類似な記載は、ここでの解釈を参照されたい。
【０２０８】
当該端末から報告される能力であって、同一のサブフレームで同時処理可能な伝送ブロックの数上限値またはＴＴＩの数上限値を指示する能力について、具体的に、アップリンク伝送とダウンリンク伝送について、当該能力は、一括または独立に報告される。
【０２０９】
ここで、アップリンクとダウンリンクで当該能力を一括報告する場合、上記第２確定サブモジュールの具体的な操作で処理する。アップリンクとダウンリンクで当該能力を独立に報告する場合、アップリンク、ダウンリンクに対し、対応する報告能力に基づいて、上記第２確定サブモジュールの具体的な操作で処理する。
【０２１０】
本実施例において、当該第１確定サブモジュールは、多種類の具体的に機能を実現する処理フローを有する。例えば、種類１として、当該第１確定サブモジュールは、具体的に、キャリアアグリゲーションが当該端末にサポートされない場合、同一のサブフレームで第１ＴＴＩ長による伝送のデータと第２ＴＴＩ長による伝送のデータの同時処理をサポートしないと確定することに用いられる第１確定ユニットと、現在のサブフレームで第１ＴＴＩ長による伝送のデータと第２ＴＴＩ長による伝送のデータが同時にスケジューリングされるのであれば、構成シグナリングまたは所定のルールに基づいて、第１ＴＴＩ長による伝送のデータまたは第２ＴＴＩ長による伝送のデータを選択的に処理することに用いられる第２処理ユニットを含む。
【０２１１】
種類２として、当該第１確定サブモジュールは、具体的に、アップリンク伝送で、キャリアアグリゲーションが当該端末にサポートされず、かつ現在のサブフレームで第１ＴＴＩ長による伝送のデータと第２ＴＴＩ長による伝送のデータが同時にスケジューリングされるのであれば、第１ＴＴＩ長による伝送のデータの処理前に、第２ＴＴＩ長による伝送のデータの符号化が完成された場合、現在のサブフレームで第１ＴＴＩ長による伝送のデータと第２ＴＴＩ長による伝送のデータを同時に処理する（ここの処理は、第２ＴＴＩ長による伝送のデータの送信などの処理、および第２ＴＴＩ長による伝送のデータの符号化などの処理を含む。）ことに用いられる第４処理ユニットを含む。第２処理ユニットは、第１ＴＴＩ長による伝送のデータの処理前に、第２ＴＴＩ長による伝送のデータの符号化が完成されていない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、第１ＴＴＩ長による伝送のデータまたは第２ＴＴＩ長による伝送のデータを選択的に処理することに用いられる。
【０２１２】
種類３として、当該第１確定サブモジュールは、具体的に、キャリアアグリゲーションが当該端末にサポートされないものの、ＭＩＭＯがサポートされるのであれば、当該端末から報告されるＭＩＭＯ能力に基づいて、サポートされる伝送ブロック総数を取得することに用いられる第１取得ユニットと、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、当該サポートされる伝送ブロック総数以下であると、現在のサブフレームで第１ＴＴＩ長による伝送のデータと第２ＴＴＩ長による伝送のデータを同時に処理することに用いられる第５処理ユニットと、それ以外の場合に、現在のサブフレームで第１ＴＴＩ長による伝送のデータと第２ＴＴＩ長による伝送のデータの同時処理をサポートしないと確定するとともに、構成シグナリングまたは所定のルールに基づいて、第１ＴＴＩ長による伝送のデータまたは第２ＴＴＩ長による伝送のデータを選択的に処理する方式Ａ、および／または、アップリンク伝送で、第１ＴＴＩ長による伝送のデータの処理前に、第２ＴＴＩ長による伝送のデータの符号化が完成された場合、現在のサブフレームで前記第１ＴＴＩ長による伝送のデータと前記第２ＴＴＩ長による伝送のデータを同時に処理し、第１ＴＴＩ長による伝送のデータの処理前に、第２ＴＴＩ長による伝送のデータの符号化が完成されていない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、第１ＴＴＩ長による伝送のデータまたは第２ＴＴＩ長による伝送のデータを選択的に処理する方式Ｂに用いられる第２処理ユニットを含む。
【０２１３】
種類４として、当該第１確定サブモジュールは、具体的に、キャリアアグリゲーションが当該端末にサポートされるのであれば、当該端末にサポートされる集約搬送波上限値に基づいて、同一のサブフレームで前記端末によって同時処理可能な伝送ブロックの数上限値またはＴＴＩの数上限値を確定し、または、キャリアアグリゲーションが当該端末にサポートされるのであれば、当該端末にサポートされる集約搬送波上限値および各集約搬送波のＭＩＭＯ能力に基づいて、同一のサブフレームで当該端末によって同時処理可能な伝送ブロックの数上限値を確定し、または、当該端末のキャリアアグリゲーション能力およびＭＩＭＯ能力に基づいて、同一のサブフレームで当該端末によって同時処理可能な伝送ブロックの数上限値を確定することに用いられる第２確定ユニットと、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が当該伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が当該ＴＴＩの数上限値以下であれば、現在のサブフレームで第１ＴＴＩ長による伝送のデータと第２ＴＴＩ長による伝送のデータを同時に処理することに用いられる第６処理ユニットと、それ以外の場合に、構成シグナリングまたは所定のルールに基づいて、第１ＴＴＩ長による伝送のデータと第２ＴＴＩ長による伝送のデータのうちの一部データを選択的に処理する方式Ａ、および／または、アップリンク伝送で、第１ＴＴＩ長による伝送のデータの処理前に、第２ＴＴＩ長による伝送のデータの符号化が完成された場合、現在のサブフレームで第１ＴＴＩ長による伝送のデータと第２ＴＴＩ長による伝送のデータを同時に処理し、第１ＴＴＩ長による伝送のデータの処理前に、第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、第１ＴＴＩ長による伝送のデータまたは第２ＴＴＩ長による伝送のデータを選択的に処理し、または、第１ＴＴＩ長による伝送のデータの処理前に、第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、第１ＴＴＩ長による伝送のデータと第２ＴＴＩ長による伝送のデータのうちの一部データを選択的に処理する方式Ｂに用いられる第２処理ユニットを含む。
【０２１４】
ここで、当該第１確定モジュールは、具体的に、アップリンク伝送で、現在のサブフレームで第１ＴＴＩ長による伝送のデータと第２ＴＴＩ長による伝送のデータが同時にスケジューリングされるのであれば、第１ＴＴＩ長による伝送のデータの処理前に、第２ＴＴＩ長による伝送のデータの符号化が完成された場合、現在のサブフレームで第１ＴＴＩ長による伝送のデータと第２ＴＴＩ長による伝送のデータを同時に処理することに用いられる第７処理ユニットと、第１ＴＴＩ長による伝送のデータの処理前に、第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、第１ＴＴＩ長による伝送のデータまたは第２ＴＴＩ長による伝送のデータを選択的に処理することに用いられる第２処理ユニットを含む。または、アップリンク伝送で、搬送波毎に、現在のサブフレームで第１ＴＴＩ長による伝送のデータと第２ＴＴＩ長による伝送のデータが同時にスケジューリングされるのであれば、第１ＴＴＩ長による伝送のデータの処理前に、第２ＴＴＩ長による伝送のデータの符号化が完成された場合、現在のサブフレームで、当該搬送波で第１ＴＴＩ長による伝送のデータと第２ＴＴＩ長による伝送のデータを同時に処理することに用いられる第８処理ユニットと、第１ＴＴＩ長による伝送のデータの処理前に、第２ＴＴＩ長による伝送のデータの符号化が完成されていない場合、当該搬送波では、現在のサブフレームで第１ＴＴＩ長による伝送のデータと第２ＴＴＩ長による伝送のデータの同時伝送がサポートされないと確定するとともに、構成シグナリングまたは所定のルールに基づいて、当該搬送波での第１ＴＴＩ長による伝送のデータまたは第２ＴＴＩ長による伝送のデータを選択的に処理することに用いられる第２処理ユニットを含む。または、アップリンク伝送で、同一の搬送波の同一のサブフレームで第１ＴＴＩ長による伝送のデータと第２ＴＴＩ長による伝送のデータの同時処理がサポートされないと確定することに用いられる第９処理ユニットと、現在のサブフレームで、同一の搬送波で第１ＴＴＩ長による伝送のデータと第２ＴＴＩ長による伝送のデータが同時にスケジューリングされると、構成シグナリングまたは所定のルールに基づいて、当該搬送波での第１ＴＴＩ長による伝送のデータまたは第２ＴＴＩ長による伝送のデータを選択的に処理することに用いられる第２処理ユニットを含む。
【０２１５】
選択可能に、当該第２処理ユニットにおいて、具体的に、当該構成シグナリングは、第１ＴＴＩ長による伝送のデータと第２ＴＴＩ長による伝送のデータのうちの１つに対する選択的処理を当該端末に指示し、または、第１ＴＴＩ長による伝送のデータと第２ＴＴＩ長による伝送のデータのうち、１つの伝送ブロックを含むデータまたは２つの伝送ブロックを含むデータの選択を当該端末に指示すること、または、当該所定のルールは、当該端末が第１ＴＴＩ長による伝送のデータと第２ＴＴＩ長による伝送のデータのうちの１つを選択的に処理すると取り決め、または、当該端末が第１ＴＴＩ長による伝送のデータと第２ＴＴＩ長による伝送のデータのうち、１つの伝送ブロックを含むデータまたは２つの伝送ブロックを含むデータを選択すると取り決めること、または、当該所定のルールは、ダウンリンク伝送について、当該端末が、第２ＴＴＩ長による伝送のデータの位置するサブフレームより前に、当該サブフレームで第１ＴＴＩ長による伝送のデータのスケジューリング情報を受信したのであれば、当該サブフレームで第２ＴＴＩ長による伝送のデータの受信および／または処理を放棄し、第１ＴＴＩ長による伝送のデータのみを受信および／または処理すると取り決めること、または、当該所定のルールは、ダウンリンク伝送について、当該端末が、第２ＴＴＩ長による伝送のデータの位置するサブフレームで、当該サブフレームまたは当該サブフレームの直後のサブフレームで第１ＴＴＩ長による伝送のデータのスケジューリング情報を受信したのであれば、当該サブフレームで第２ＴＴＩ長による伝送のデータの受信および／または処理を中止し、第１ＴＴＩ長による伝送のデータを受信および／または処理すると取り決めること、または、当該所定のルールは、アップリンク伝送について、当該端末が、第２ＴＴＩ長による伝送のデータの位置するサブフレームより前に、当該サブフレームで第１ＴＴＩ長による伝送のデータのスケジューリング情報を受信したのであれば、当該サブフレームで第２ＴＴＩ長による伝送のデータの処理および／または送信を放棄し、第１ＴＴＩ長による伝送のデータのみを処理および／または送信すると取り決めること、または、当該所定のルールは、アップリンク伝送について、当該端末が、第２ＴＴＩ長による伝送のデータの位置するサブフレームで、当該サブフレームまたは当該サブフレームの直後のサブフレームで第１ＴＴＩ長による伝送のデータのスケジューリング情報を受信したのであれば、当該サブフレームで第２ＴＴＩ長による伝送のデータの処理および／または送信を中止し、第１ＴＴＩ長による伝送のデータを処理および／または送信すると取り決めることを含む。
【０２１６】
ここで、当該第２処理ユニットにおいて、当該構成シグナリングは、第１ＴＴＩ長による伝送のデータと第２ＴＴＩ長による伝送のデータのうちの１つを選択的に処理することを当該端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを当該端末に指示し、現在のサブフレームで当該構成シグナリングに基づいて選択したデータの伝送ブロック総数が当該伝送ブロックの数上限値を超え、または現在のサブフレームで当該構成シグナリングに基づいて選択したデータのＴＴＩ総数が当該ＴＴＩの数上限値を超えると、さらに搬送波番号に基づいて選択する（第１ＴＴＩ長による伝送のデータを選択した場合、ここで現在のサブフレームで当該構成シグナリングに基づいて選択したデータの伝送ブロック総数は、実際に、現在のサブフレームでスケジューリングされる第１ＴＴＩ長による伝送のデータの時間帯内で、第１ＴＴＩ長で伝送されるデータの伝送ブロック総数である。）こと、または、当該構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が当該Ａ１の値を超え、および／または、現在のサブフレームで第２ＴＴＩ長による伝送のデータの総数が当該Ａ２の値を超えると、さらに搬送波番号に基づいて選択すること、または、当該構成シグナリングは、当該伝送ブロックの数上限値または当該ＴＴＩの数上限値の、第１ＴＴＩ長による伝送のデータと第２ＴＴＩ長による伝送のデータでの割当割合（すなわち、例えば、伝送ブロックの数上限値がＮであり、構成シグナリングによって、そのうち第１ＴＴＩ長による伝送のデータに割り当て可能な割合、例えばαを指示すると、端末は、現在のサブフレームで  ｆｌｏｏｒ（Ｎ×ａ）個の第１ＴＴＩ長による伝送のデータの伝送ブロックと、Ｎ−ｆｌｏｏｒ（Ｎ×ａ）個の第２ＴＴＩ長による伝送のデータの伝送ブロックの同時処理が可能であると確定できる（ｆｌｏｏｒは切り捨てを示す）。）を指示し、現在のサブフレームで時間領域で開始位置が揃えたり時間領域でオーバーラップしたりする第１ＴＴＩ長による伝送のデータの伝送ブロックの総数が、当該割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、当該割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、当該割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、当該割当割合に基づいて確定したサポート可能な第２ＴＴＩ長による伝送のデー���のＴＴＩ総数を超えると、さらに搬送波番号に基づいて選択すること、または、当該所定のルールは、当該端末が第１ＴＴＩ長による伝送のデータと第２ＴＴＩ長による伝送のデータのうちの１つを選択的に処理すると取り決め、または、当該端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで当該所定のルールに基づいて選択したデータの伝送ブロック総数が当該伝送ブロックの数上限値を超え、または選択したデータのＴＴＩ総数が当該ＴＴＩの数上限値を超えると、さらに搬送波番号に基づいて選択すること、または、当該所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が当該Ａ１の値を超え、および／または、現在のサブフレームで第２ＴＴＩ長による伝送のデータの総数が当該Ａ２の値を超えると、さらに搬送波番号に基づいて選択すること、または、当該所定のルールは、当該伝送ブロックの数上限値または当該ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、当該割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、当該割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、当該割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、当該割当割合に基づいて確定したサポート可能な第２ＴＴＩ長による伝送のデータのＴＴＩ総数を超えると、さらに搬送波番号に基づいて選択することを含む。
【０２１７】
さらに、当該端末は、同一の搬送波の同一のサブフレームの異なる周波数領域リソースで、第１ＴＴＩ長による伝送のデータと第２ＴＴＩ長による伝送のデータを送信または受信することに用いられる第１処理モジュールをさらに含む。または、当該第１処理モジュールは、同一の搬送波の同一のサブフレームで第１ＴＴＩ長による伝送のデータと第２ＴＴＩ長による伝送のデータに用いられる周波数領域リソースがオーバーラップすると、ダウンリンク伝送について、基地局によってオーバーラップ部分で第１ＴＴＩ長による伝送のデータで第２ＴＴＩ長による伝送のデータを上書きすると確定する。すなわち、この場合、端末が第２ＴＴＩ長による伝送のデータを受信する際に、第１ＴＴＩ長による伝送のデータに対応するシンボルで、周波数領域リソースのオーバーラップ部分でのデータは、常に０とする。すなわち、実際に、当該部分では、基地局から送信されるのが第１ＴＴＩ長による伝送のデータであって、第２ＴＴＩ長による伝送のデータが送信されないとする。アップリンク伝送について、端末は、オーバーラップ部分で第１ＴＴＩ長による伝送のデータで第２ＴＴＩ長による伝送のデータを上書きする。または、当該第１処理モジュールは、アップリンク伝送について、同一の搬送波の同一のサブフレームで、第２ＴＴＩ長による伝送のデータのうち、第１ＴＴＩ長による伝送のデータに対応するシンボル上のデータを穿孔することに用いられる。ここで、穿孔処理について、第２ＴＴＩ長による伝送のデータのうちのＤＭＲＳシンボルが、第１ＴＴＩ長による伝送のデータに対応するＳＣ−ＦＤＭＡシンボルにも含まれると、ＤＭＲＳに対し穿孔を行う必要もある。この場合、基地局によるアップリンクデータの制御チャネル推定に影響を与える。または、ＤＭＲＳに対し穿孔を行わず、データ伝送部分のみを穿孔してもよい。第１、第２ＴＴＩ長による伝送のデータの共通のＤＭＲＳシンボルで、第１ＴＴＩと第２ＴＴＩ長による伝送のデータに対し同一長さのＤＭＲＳを生成することによって、２種類のデータのＤＭＲＳ伝送を実現する。例えば、第１ＴＴＩ長による伝送のデータの周波数領域リソースがＲＢ１〜５であり、第２ＴＴＩ長による伝送のデータの周波数領域リソースがＲＢ６〜１０であり、ＤＭＲＳについて、１つのサブフレームの第４個のＳＣ−ＦＤＭＡのＲＢ１〜１０で同一長さのＤＭＲＳを伝送し、異なるサイクリックシフトによって、同一の時間周波数領域リソースでの各ＤＭＲＳの直交性を保証する。
【０２１８】
選択可能に、当該第１ＴＴＩ長は、１ｍｓより小さく、当該第２ＴＴＩ長は、１ｍｓに等しく、および／または、時間領域で開始位置が揃えたり時間領域でオーバーラップしたりする複数の当該第１ＴＴＩのＴＴＩ長は、同一であってもよく異なってもよい。
【０２１９】
ここで、シンボルとして、ＳＣ−ＦＤＭＡシンボルが選択される。
【０２２０】
以上から分かるように、本開示の実施例による当該端末は、端末自身の能力または予め取り決められたルールに基づいて、異なる長さのＴＴＩ伝送のデータの同時処理をサポートするかを確定することによって、異なる長さのＴＴＩ伝送をサポートする端末による処理能力内の正しい伝送を保証し、同一の端末が異なる長さのＴＴＩ伝送のデータを正しく処理できないという従来技術の問題を解決した。
【０２２１】
なお、本開示の実施例による端末は、上記実施例による端末側のデータ伝送方法に対応する端末である。したがって、上記実施例によるデータ伝送方法の全ての実施例は、いずれも当該端末に適用し、しかも同一または類似な効果を達成することができる。
【０２２２】
上記目的をさらに好適に実現するために、図８に示されているように、本開示の実施例による端末は、プロセッサ８１と、バスインタフェース８２を介して当該プロセッサ８１に接続され、当該プロセッサ８１による操作実行に用いられるプログラムとデータを格納することに用いられるメモリ８３とを含む。プロセッサ８１は、当該メモリ８３に格納されているプログラムとデータを呼び出して実行すると、下記機能モジュールである第１確定モジュールを実現する。第１確定モジュールは、同一のサブフレームで処理される第１ＴＴＩ長による伝送のデータおよび／または第２ＴＴＩ長による伝送のデータを、当該端末から報告される能力または予め取り決められたルールに基づいて確定することに用いられる。当該データは、共有チャネルおよび／または制御チャネルを含む。ここで、第１ＴＴＩ長は、当該第２ＴＴＩ長より小さい。
【０２２３】
なお、本開示の実施例による端末は、上記実施例による端末側のデータ伝送方法に対応する端末である。したがって、上記実施例によるデータ伝送方法の全ての実施例は、いずれも当該端末に適用し、しかも同一または類似な効果を達成することができる。
【０２２４】
上記目的をさらに好適に実現するために、図９に示されているように、本開示の実施例による基地局は、端末から報告される能力または予め取り決められたルールに基づいて、共有チャネルおよび／または制御チャネルを含んで当該端末によって同一のサブフレームで処理されるデータであって、第１ＴＴＩ長による伝送のデータおよび／または前記第１ＴＴＩ長より大きい第２ＴＴＩ長による伝送のデータを確定することに用いられる第２確定モジュール９１を含む。
【０２２５】
第２確定モジュール９１は、具体的に、端末が同一のサブフレームの同一の搬送波で第１ＴＴＩ長による伝送のデータと第２ＴＴＩ長による伝送のデータを同時処理できるか、および／または、同一のサブフレームの異なる搬送波で第１ＴＴＩ長による伝送のデータと第２ＴＴＩ長による伝送のデータを同時処理できるかを確定することに用いられ、同時処理ができない場合、一部のＴＴＩ伝送のデータを選択的に処理することをさらに含む。
【０２２６】
第２確定モジュールは、具体的に、当該端末から報告されるキャリアアグリゲーション能力および／またはＭＩＭＯ能力に基づいて、当該端末によって同一のサブフレームで処理される第１ＴＴＩ長による伝送のデータおよび／または第２ＴＴＩ長による伝送のデータを確定することに用いられる第４確定サブモジュール、および／または、当該端末から報告される能力であって、同一のサブフレームで同時処理可能な伝送ブロックの数上限値またはＴＴＩの数上限値を指示する能力に基づいて、当該端末によって同一のサブフレームで処理される第１ＴＴＩ長による伝送のデータおよび／または第２ＴＴＩ長による伝送のデータを確定することに用いられる第５確定サブモジュール、および／または、当該端末から報告される能力であって、同一のサブフレームで第１ＴＴＩ長による伝送のデータと第２ＴＴＩ長による伝送のデータの同時処理をサポートするかを指示する能力に基づいて、当該端末によって同一のサブフレームで処理される第１ＴＴＩ長による伝送のデータおよび／または第２ＴＴＩ長による伝送のデータを確定することに用いられる第６確定サブモジュールを含む。
【０２２７】
第６確定サブモジュールは、具体的に、当該端末から報告される能力によって、同一のサブフレームで第１ＴＴＩ長による伝送のデータと第２ＴＴＩ長による伝送のデータの同時処理が当該端末にサポートされると指示される場合、現在のサブフレームで第１ＴＴＩ長による伝送のデータと第２ＴＴＩ長による伝送のデータが同時にスケジューリングされるのであれば、現在のサブフレームで第１ＴＴＩ長による伝送のデータと第２ＴＴＩ長による伝送のデータが当該端末によって同時に処理されると確定することに用いられる第３確定ユニットと、当該端末から報告される能力によって、同一のサブフレームで第１ＴＴＩ長による伝送のデータと第２ＴＴＩ長による伝送のデータの同時処理が当該端末にサポートされないと指示される場合、現在のサブフレームで第１ＴＴＩ長による伝送のデータと第２ＴＴＩ長による伝送のデータが同時にスケジューリングされるのであれば、当該端末が構成シグナリングまたは所定のルールに基づいて第１ＴＴＩ長による伝送のデータまたは第２ＴＴＩ長による伝送のデータを選択的に処理すると確定することに用いられる第４確定ユニットを含む。
【０２２８】
当該端末から報告される能力であって、同一のサブフレームで第１ＴＴＩ長による伝送のデータと第２ＴＴＩ長による伝送のデータの同時処理をサポートするかを指示する能力について、具体的に、アップリンク伝送とダウンリンク伝送について、当該能力は、一括または独立に報告され、および／または、キャリアアグリゲーションをサポートする端末について、当該能力は、全ての集約搬送波について一括報告されるか、集約搬送波毎に独立に報告される。
【０２２９】
ここで、アップリンクとダウンリンクで当該能力を一括報告する場合、上記第６確定サブモジュールの具体的な操作で処理するが、アップリンクとダウンリンクで当該能力を独立に報告する場合、アップリンク、ダウンリンクのそれぞれに対し、対応する報告能力に基づいて、上記第６確定サブモジュールの具体的な操作で処理する。全ての集約搬送波について当該能力を一括報告する場合、搬送波毎に上記第６確定サブモジュールの具体的な操作で処理するが、集約搬送波毎に当該能力を独立に報告する場合、集約搬送波毎に、対応する報告能力に基づいて上記第６確定サブモジュールの具体的な操作で処理する。
【０２３０】
また、第６確定サブモジュールは、第４確定サブモジュールまたは第５確定サブモジュールと組み合わせて使用されてもよい。例えば、当該端末から報告される能力によって、同一のサブフレームで第１ＴＴＩ長による伝送のデータと第２ＴＴＩ長による伝送のデータの同時処理が当該端末にサポートされると指示される場合、現在のサブフレームで第１ＴＴＩ長による伝送のデータと第２ＴＴＩ長による伝送のデータが同時にスケジューリングされるのであれば、さらに、当該端末によって同一のサブフレームで処理される第１ＴＴＩ長による伝送のデータおよび／または第２ＴＴＩ長による伝送のデータを、第４確定サブモジュールまたは第５確定サブモジュールを利用して確定する。すなわち、具体的な実現方式は、第４確定サブモジュールまたは第５確定サブモジュールの操作フローで、送ブロックの数上限値またはＴＴＩの数上限値に基づいて選択的処理データを確定する方式を参照してもよい。
【０２３１】
当該第５確定サブモジュールは、具体的に、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される当該伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される当該ＴＴＩの数上限値以下になるのであれば、前記端末が現在のサブフレームで第１ＴＴＩ長による伝送のデータと第２ＴＴＩ長による伝送のデータを同時に処理すると確定することに用いられる第５確定ユニットと、それ以外の場合に、当該端末が構成シグナリングまたは所定のルールに基づいて第１ＴＴＩ長による伝送のデータと第２ＴＴＩ長による伝送のデータのうちの一部データを選択的に処理すると確定することに用いられる第４確定ユニットを含む。
【０２３２】
ここで、「時間領域で開始位置が揃えたり時間領域でオーバーラップしたりする第１ＴＴＩ長による伝送のデータ」は、「第１ＴＴＩ長による伝送のデータの時間帯に、第１ＴＴＩ長で伝送されるデータ」と解釈してもよく、すなわち、同一のサブフレームで、時間上オーバーラップする同一の搬送波および／または複数の搬送波での異なる第１ＴＴＩ（短縮ＴＴＩ）伝送であり、例えば、開始シンボルが同一または揃える同一の搬送波および／または複数の搬送波での異なる第１ＴＴＩ伝送である。例えば、端末でＮ個の搬送波が集約される場合、各搬送波は、同一のシンボル位置で１つの第１ＴＴＩ伝送（例えばいずれも第３〜６個のＯＦＤＭシンボルに１つのデータ伝送が存在する。）が存在し、同時に１つの第２ＴＴＩ（従来ＴＴＩ）伝送が存在する。この場合、現在の第１ＴＴＩ、すなわち第３〜６個のＯＦＤＭにおいて、Ｎ個の搬送波で計Ｎ個の第１ＴＴＩ伝送が存在する。もちろん、異なる搬送波での第１ＴＴＩ伝送のシンボル数は、異なってもよい。例えば、Ｎ個の搬送波のうちＡ個の搬送波での第１ＴＴＩ伝送が第３〜６個のシンボルを、Ｎ−Ａ個の搬送波での第１ＴＴＩ伝送が第３〜８個のシンボルを占用すると、現在のサブフレームで、開始シンボルの位置が同一である第１ＴＴＩの総数は、Ｎ−Ａ＋Ａ＝Ｎ個になる。この場合、各搬送波に１つの第２ＴＴＩ伝送も存在するため、現在のサブフレームで、現在スケジューリングされる第１ＴＴＩ伝送の時間帯での第１ＴＴＩと第２ＴＴＩ伝送の総数は、２Ｎである。現在のサブフレームで、各搬送波の第９〜１２個のシンボルにもう１つの第１ＴＴＩ伝送が存在するのであれば、これら第１ＴＴＩ伝送は、第３個のＯＦＤＭを占用して伝送を開始する第１ＴＴＩにカウントされない。第３〜６個のＯＦＤＭシンボルで伝送される第１ＴＴＩに対する処理を終えた後に、第９〜１２個のＯＦＤＭシンボルで伝送される第１ＴＴＩに対し、第３〜６個のＯＦＤＭシンボルで伝送される第１ＴＴＩに対する処理に類似する処理を行う。
【０２３３】
当該端末から報告される能力であって、同一のサブフレームで同時処理可能な伝送ブロックの数上限値またはＴＴＩの数上限値を指示する能力について、具体的に、アップリンク伝送とダウンリンク伝送について、当該能力は、一括または独立に報告される。
【０２３４】
ここで、アップリンクとダウンリンクで当該能力を一括報告する場合、上記第５確定サブモジュールの具体的なフローで処理するが、アップリンクとダウンリンクで当該能力を独立に報告する場合、アップリンク、ダウンリンクのそれぞれに対し、対応する報告能力に基づいて、上記第５確定サブモジュールの具体的なフローで処理する。
【０２３５】
本実施例において、当該第４確定サブモジュールは、多種類の具体的に機能を実現する処理フローを有する。
【０２３６】
種類１として、当該第４確定サブモジュールは、具体的に、キャリアアグリゲーションが当該端末にサポートされない場合、同一のサブフレームで第１ＴＴＩ長による伝送のデータと第２ＴＴＩ長による伝送のデータの同時処理が当該端末にサポートされないと確定することに用いられる第６確定ユニットと、現在のサブフレームで第１ＴＴＩ長による伝送のデータと第２ＴＴＩ長による伝送のデータが同時にスケジューリングされるのであれば、当該端末が構成シグナリングまたは所定のルールに基づいて第１ＴＴＩ長による伝送のデータまたは第２ＴＴＩ長による伝送のデータを選択的に処理すると確定することに用いられる第４確定ユニットを含む。
【０２３７】
種類２として、当該第４確定サブモジュールは、具体的に、アップリンク伝送で、キャリアアグリゲーションが当該端末にサポートされず、かつ現在のサブフレームで第１ＴＴＩ長による伝送のデータと第２ＴＴＩ長による伝送のデータが同時にスケジューリングされるのであれば、当該端末が、第１ＴＴＩ長による伝送のデータの処理前に、第２ＴＴＩ長による伝送のデータの符号化を完成した場合、現在のサブフレームで前記第１ＴＴＩ長による伝送のデータと前記第２ＴＴＩ長による伝送のデータを同時に処理する（ここの処理は、第２ＴＴＩ長による伝送のデータの送信などの処理、および第２ＴＴＩ長による伝送のデータの符号化などの処理を含む。）と確定することに用いられる第７確定ユニットと、当該端末が、第１ＴＴＩ長による伝送のデータの処理前に、第２ＴＴＩ長による伝送のデータの符号化を完成していないのであれば、現在のサブフレームで第１ＴＴＩ長による伝送のデータと第２ＴＴＩ長による伝送のデータの同時処理が当該端末にサポートされないと確定する（すなわち、この場合、エンコーダが、一種のＴＴＩ長による伝送のデータを選択して符号化することしかサポートできず、２種類のＴＴＩ長による伝送のデータの同時符号化をサポートできないことを示す。）とともに、当該端末が構成シグナリングまたは所定のルールに基づいて第１ＴＴＩ長による伝送のデータまたは第２ＴＴＩ長による伝送のデータを選択的に処理すると確定することに用いられる第４確定ユニットを含む。
【０２３８】
この場合、基地局は、端末側が第１ＴＴＩ長による伝送のデータの処理前に、第２ＴＴＩ長による伝送のデータの符号化を完成したか確定できないため、２種類の伝送に対しブラインド検出を行う必要がある。すなわち、基地局は、端末から第１ＴＴＩ長による伝送のデータと第２ＴＴＩ長による伝送のデータを同時に伝送したとし、すなわち２種類のデータを同時に受信する。両方とも情報を正しく受信する（例えばＣＲＣチェックに成功過する。）と、端末から第１ＴＴＩ長による伝送のデータと第２ＴＴＩ長による伝送のデータを同時に伝送したとし、第２ＴＴＩ長による伝送のデータの受信に失敗する（例えばＣＲＣチェックに失敗し、またはＤＴＸ−ＣＲＣチェックの失敗を検出する）と、端末から第１ＴＴＩ長による伝送のデータのみを伝送したと判断する。後の同様の処理方式において、同様に基地局によるブラインド検出が必要である。
【０２３９】
種類３として、当該第４確定サブモジュールは、具体的に、キャリアアグリゲーションが当該端末にサポートされないものの、ＭＩＭＯがサポートされるのであれば、当該端末から報告されるＭＩＭＯ能力に基づいて、サポートされる伝送ブロック総数を取得することに用いられる第２取得ユニットと、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、当該サポートされる伝送ブロック総数以下であると、当該端末が現在のサブフレームで第１ＴＴＩ長による伝送のデータと第２ＴＴＩ長による伝送のデータを同時に処理すると確定することに用いられる第８確定ユニットと、それ以外の場合に、現在のサブフレームで第１ＴＴＩ長による伝送のデータと第２ＴＴＩ長による伝送のデータの同時処理が当該端末にサポートされないと確定するとともに、当該端末が構成シグナリングまたは所定のルールに基づいて第１ＴＴＩ長による伝送のデータまたは第２ＴＴＩ長による伝送のデータを選択的に処理すると確定する方式Ａ、および／または、アップリンク伝送で、当該端末が、第１ＴＴＩ長による伝送のデータの処理前に、第２ＴＴＩ長による伝送のデータの符号化を完成した場合、当該端末が現在のサブフレームで第１ＴＴＩ長による伝送のデータと第２ＴＴＩ長による伝送のデータを同時に処理すると確定し、当該端末が、第１ＴＴＩ長による伝送のデータの処理前に、第２ＴＴＩ長による伝送のデータの符号化を完成していない場合、現在のサブフレームで第１ＴＴＩ長による伝送のデータと第２ＴＴＩ長による伝送のデータの同時伝送が当該端末にサポートされないと確定するとともに、当該端末が構成シグナリングまたは所定のルールに基づいて第１ＴＴＩ長による伝送のデータまたは第２ＴＴＩ長による伝送のデータを選択的に処理すると確定する方式Ｂに用いられる第４確定ユニットを含む。
【０２４０】
種類４として、当該第４確定サブモジュールは、具体的に、キャリアアグリゲーションが当該端末にサポートされるのであれば、当該端末にサポートされる集約搬送波上限値に基づいて、同一のサブフレームで当該端末によって同時処理可能な伝送ブロックの数上限値またはＴＴＩの数上限値を確定し、または、キャリアアグリゲーションが当該端末にサポートされるのであれば、当該端末にサポートされる集約搬送波上限値および各集約搬送波のＭＩＭＯ能力に基づいて、同一のサブフレームで当該端末によって同時処理可能な伝送ブロックの数上限値を確定し、または、当該端末のキャリアアグリゲーション能力およびＭＩＭＯ能力に基づいて、同一のサブフレームで当該端末によって同時処理可能な伝送ブロックの数上限値を確定することに用いられる第９確定ユニットと、現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が当該伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が当該ＴＴＩの数上限値以下であれば、当該端末が現在のサブフレームで第１ＴＴＩ長による伝送のデータと第２ＴＴＩ長による伝送のデータを同時に処理すると確定することに用いられる第１０確定ユニットと、それ以外の場合に、当該端末が構成シグナリングまたは所定のルールに基づいて第１ＴＴＩ長による伝送のデータと第２ＴＴＩ長による伝送のデータのうちの一部データを選択的に処理すると確定する方式Ａ、および／または、アップリンク伝送で、当該端末が、第１ＴＴＩ長による伝送のデータの処理前に、第２ＴＴＩ長による伝送のデータの符号化を完成した場合、当該端末が現在のサブフレームで第１ＴＴＩ長による伝送のデータと第２ＴＴＩ長による伝送のデータを同時に処理すると確定し、当該端末が、第１ＴＴＩ長による伝送のデータの処理前に、第２ＴＴＩ長による伝送のデータの符号化を完成していない場合、現在のサブフレームで第１ＴＴＩ長による伝送のデータと第２ＴＴＩ長による伝送のデータの同時処理が当該端末にサポートされないと確定するとともに、当該端末が構成シグナリングまたは所定のルールに基づいて第１ＴＴＩ長による伝送のデータまたは第２ＴＴＩ長による伝送のデータを選択的に処理すると確定し、または、当該端末が、第１ＴＴＩ長による伝送のデータの処理前に、第２ＴＴＩ長による伝送のデータの符号化を完成していない場合、現在のサブフレームで第１ＴＴＩ長による伝送のデータと第２ＴＴＩ長による伝送のデータの同時処理が当該端末にサポートされないと確定するとともに、当該端末が構成シグナリングまたは所定のルールに基づいて第１ＴＴＩ長による伝送のデータと第２ＴＴＩ長による伝送のデータのうち一部データを選択的に処理すると確定する方式Ｂに用いられる第４確定ユニットを含む。
【０２４１】
ここで、当該第２確定モジュールは、具体的に、アップリンク伝送で、現在のサブフレームで第１ＴＴＩ長による伝送のデータと第２ＴＴＩ長による伝送のデータが同時にスケジューリングされるのであれば、当該端末が、第１ＴＴＩ長による伝送のデータの処理前に、第２ＴＴＩ長による伝送のデータの符号化を完成した場合、当該端末が現在のサブフレームで第１ＴＴＩ長による伝送のデータと第２ＴＴＩ長による伝送のデータを同時に処理すると確定することに用いられる第１１確定ユニットと、当該端末が、第１ＴＴＩ長による伝送のデータの処理前に、第２ＴＴＩ長による伝送のデータの符号化を完成していない場合、現在のサブフレームで第１ＴＴＩ長による伝送のデータと第２ＴＴＩ長による伝送のデータの同時伝送が当該端末にサポートされないと確定するとともに、当該端末が構成シグナリングまたは所定のルールに基づいて第１ＴＴＩ長による伝送のデータまたは第２ＴＴＩ長による伝送のデータを選択的に処理すると確定することに用いられる第４確定ユニットを含み、または、アップリンク伝送で、搬送波毎に、現在のサブフレームで第１ＴＴＩ長による伝送のデータと第２ＴＴＩ長による伝送のデータが同時にスケジューリングされるのであれば、当該端末が、第１ＴＴＩ長による伝送のデータの処理前に、第２ＴＴＩ長による伝送のデータの符号化を完成した場合、当該端末が現在のサブフレームで当該搬送波で第１ＴＴＩ長による伝送のデータと第２ＴＴＩ長による伝送のデータを同時に処理すると確定することに用いられる第１２確定ユニットと、当該端末が、第１ＴＴＩ長による伝送のデータの処理前に、第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送が当該端末にサポートされないと確定するとともに、当該端末が構成シグナリングまたは所定のルールに基づいて当該搬送波での第１ＴＴＩ長による伝送のデータまたは第２ＴＴＩ長による伝送のデータを選択的に処理すると確定することに用いられる第４確定ユニットを含み、または、アップリンク伝送で、同一の搬送波の同一のサブフレームで第１ＴＴＩ長による伝送のデータと第２ＴＴＩ長による伝送のデータの同時処理が当該端末にサポートされないと確定することに用いられる第１３確定ユニットと、現在のサブフレームで、同一の搬送波で第１ＴＴＩ長による伝送のデータと第２ＴＴＩ長による伝送のデータが同時にスケジューリングされると、当該端末が構成シグナリングまたは所定のルールに基づいて当該搬送波での第１ＴＴＩ長による伝送のデータまたは前記第２ＴＴＩ長による伝送のデータを選択的に処理すると確定することに用いられる第４確定ユニットを含む。
【０２４２】
選択可能に、当該第４確定ユニットにおいて、具体的に、当該構成シグナリングは、第１ＴＴＩ長による伝送のデータと第２ＴＴＩ長による伝送のデータのうちの１つに対する選択的処理を当該端末に指示し、または、第１ＴＴＩ長による伝送のデータと第２ＴＴＩ長による伝送のデータのうち、１つの伝送ブロックを含むデータまたは２つの伝送ブロックを含むデータの選択を当該端末に指示し、または、当該所定のルールは、当該端末が第１ＴＴＩ長による伝送のデータと第２ＴＴＩ長による伝送のデータのうちの１つを選択的に処理すると取り決め、または、当該端末が第１ＴＴＩ長による伝送のデータと第２ＴＴＩ長による伝送のデータのうち、１つの伝送ブロックを含むデータまたは２つの伝送ブロックを含むデータを選択すると取り決め、または、当該所定のルールは、ダウンリンク伝送について、当該端末が、第２ＴＴＩ長による伝送のデータの位置するサブフレームより前に、当該サブフレームで第１ＴＴＩ長による伝送のデータのスケジューリング情報を受信したのであれば、当該サブフレームで第２ＴＴＩ長による伝送のデータの受信および／または処理を放棄し、第１ＴＴＩ長による伝送のデータのみを受信および／または処理すると取り決め、または、当該所定のルールは、ダウンリンク伝送について、当該端末が、第２ＴＴＩ長による伝送のデータの位置するサブフレームで、当該サブフレームまたは当該サブフレームの直後のサブフレームで第１ＴＴＩ長による伝送のデータのスケジューリング情報を受信したのであれば、当該サブフレームで第２ＴＴＩ長による伝送のデータの受信および／または処理を中止し、第１ＴＴＩ長による伝送のデータを受信および／または処理すると取り決め、または、当該所定のルールは、アップリンク伝送について、当該端末が、第２ＴＴＩ長による伝送のデータの位置するサブフレームより前に、当該サブフレームで第１ＴＴＩ長による伝送のデータのスケジューリング情報を受信したのであれば、当該サブフレームで第２ＴＴＩ長による伝送のデータの処理および／または送信を放棄し、第１ＴＴＩ長による伝送のデータのみを処理および／または送信すると取り決め、または、当該所定のルールは、アップリンク伝送について、当該端末が、第２ＴＴＩ長による伝送のデータの位置するサブフレームで、当該サブフレームまたは当該サブフレームの直後のサブフレームで第１ＴＴＩ長による伝送のデータのスケジューリング情報を受信したのであれば、当該サブフレームで第２ＴＴＩ長による伝送のデータの処理および／または送信を中止し、第１ＴＴＩ長による伝送のデータを処理および／または送信すると取り決める。
【０２４３】
ここで、当該第４確定ユニットにおいて、具体的に、当該構成シグナリングは、第１ＴＴＩ長による伝送のデータと第２ＴＴＩ長による伝送のデータのうちの１つを選択的に処理することを当該端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを当該端末に指示し、現在のサブフレームで当該構成シグナリングに基づいて選択したデータの伝送ブロック総数が当該伝送ブロックの数上限値を超え、または現在のサブフレームで当該構成シグナリングに基づいて選択したデータのＴＴＩ総数が当該ＴＴＩの数上限値を超えると、さらに搬送波番号に基づいて選択し（第１ＴＴＩ長による伝送のデータを選択した場合、ここで現在のサブフレームで当該構成シグナリングに基づいて選択したデータの伝送ブロック総数は、実際に、現在のサブフレームでスケジューリングされる第１ＴＴＩ長による伝送のデータの時間帯内で、第１ＴＴＩ長で伝送されるデータの伝送ブロック総数である。）、または、当該構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が当該Ａ１の値を超え、および／または、現在のサブフレームで第２ＴＴＩ長による伝送のデータの総数が当該Ａ２の値を超えると、さらに搬送波番号に基づいて選択し、または、当該構成シグナリングは、当該伝送ブロックの数上限値または当該ＴＴＩの数上限値の、第１ＴＴＩ長による伝送のデータと第２ＴＴＩ長による伝送のデータでの割当割合（すなわち、例えば伝送ブロックの数上限値がＮであり、構成シグナリングによって、そのうち第１ＴＴＩ長による伝送のデータに割り当て可能な割合、例えばαを指示すると、端末は、現在のサブフレームで  ｆｌｏｏｒ（Ｎ×ａ）個の第１ＴＴＩ長による伝送のデータの伝送ブロックと、Ｎ−ｆｌｏｏｒ（Ｎ×ａ）個の第２ＴＴＩ長による伝送のデータの伝送ブロックの同時処理が可能であると確定できる（ｆｌｏｏｒは切り捨てを示す）。）を指示し、現在のサブフレームで時間領域で開始位置が揃えたり時間領域でオーバーラップしたりする第１ＴＴＩ長による伝送のデータの伝送ブロックの総数が、当該割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、当該割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、当該割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、当該割当割合に基づいて確定したサポート可能な第２ＴＴＩ長による伝送のデータの���ＴＩ総数を超えると、さらに搬送波番号に基づいて選択し、または、当該所定のルールは、当該端末が第１ＴＴＩ長による伝送のデータと第２ＴＴＩ長による伝送のデータのうちの１つを選択的に処理すると取り決め、または、当該端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで当該所定のルールに基づいて選択したデータの伝送ブロック総数が当該伝送ブロックの数上限値を超え、または選択したデータのＴＴＩ総数が当該ＴＴＩの数上限値を超えると、さらに搬送波番号に基づいて選択し、または、当該所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が当該Ａ１の値を超え、および／または、現在のサブフレームで第２ＴＴＩ長による伝送のデータの総数が当該Ａ２の値を超えると、さらに搬送波番号に基づいて選択し、または、当該所定のルールは、当該伝送ブロックの数上限値または当該ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、当該割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、当該割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、当該割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、当該割当割合に基づいて確定したサポート可能な第２ＴＴＩ長による伝送のデータのＴＴＩ総数を超えると、さらに搬送波番号に基づいて選択する。
【０２４４】
さらに、前記基地局は、同一の搬送波の同一のサブフレームの異なる周波数領域リソースで、第１ＴＴＩ長による伝送のデータと第２ＴＴＩ長による伝送のデータの当該端末による送信または受信をスケジューリングすることに用いられる第２処理モジュールをさらに含む。すなわち、基地局によるスケジューリングの際に、同一の搬送波の同一のサブフレームで第１ＴＴＩ長による伝送のデータと第２ＴＴＩ長による伝送のデータに対し、オーバーラップする周波数領域リソースのスケジューリングを避けるよう求められている。または、当該第２処理モジュールは、同一の搬送波の同一のサブフレームで前記第１ＴＴＩ長による伝送のデータと前記第２ＴＴＩ長による伝送のデータに用いられる周波数領域リソースがオーバーラップするとスケジューリングすると、ダウンリンク伝送について、オーバーラップ部分で第１ＴＴＩ長による伝送のデータで第２ＴＴＩ長による伝送のデータを上書きし、アップリンク伝送について、当該端末がオーバーラップ部分で第１ＴＴＩ長による伝送のデータで第２ＴＴＩ長による伝送のデータを上書きすると確定することに用いられる。すなわち、この場合、基地局が第２ＴＴＩ長による伝送のデータを受信する際に、第１ＴＴＩ長による伝送のデータに対応するシンボルで、周波数領域リソースのオーバーラップ部分でのデータは、常に０とする。すなわち、実際に、当該部分では、端末から送信されるのが第１ＴＴＩ長による伝送のデータであって、第２ＴＴＩ長による伝送のデータが送信されないとする。または、当該第２処理モジュールは、アップリンク伝送について、同一の搬送波の同一のサブフレームで、第２ＴＴＩ長による伝送のデータのうち、第１ＴＴＩ長による伝送のデータに対応するシンボル上のデータを穿孔することに用いられる。すなわち、この場合、基地局が第２ＴＴＩ長による伝送のデータを受信する際に、常に、第１ＴＴＩ長による伝送のデータに対応するシンボルでのデータは、常に０とする。すなわち、実際に、第２ＴＴＩ長による伝送のデータが送信されない。
【０２４５】
選択可能に、当該第１ＴＴＩ長は、１ｍｓより小さく、当該第２ＴＴＩ長は、１ｍｓに等しく、および／または、時間領域で開始位置が揃えたり時間領域でオーバーラップしたりする複数の当該第１ＴＴＩのＴＴＩ長は、同一であってもよく異なってもよい。
【０２４６】
ここで、シンボルとして、ＳＣ−ＦＤＭＡシンボルが選択される。
【０２４７】
以上から、本開示の実施例による当該基地局は、端末自身の能力または予め取り決められたルールに基づいて、異なる長さのＴＴＩ伝送のデータの同時処理をサポートするかを確定することによって、異なる長さのＴＴＩ伝送をサポートする端末による処理能力内の正しい伝送を保証し、同一の端末が異なる長さのＴＴＩ伝送のデータを正しく処理できないという従来技術の問題を解決した。
【０２４８】
なお、本開示の実施例による基地局は、上記実施例による基地局側のデータ伝送方法に対応する基地局である。したがって、上記実施例によるデータ伝送方法の全ての実施例は、いずれも当該基地局に適用し、しかも同一または類似な効果を達成することができる。
【０２４９】
上記目的をさらに好適に実現するために、図１０に示されているように、本開示の実施例による基地局は、プロセッサ１０１と、バスインタフェース１０２を介して当該プロセッサ１０１に接続され、当該プロセッサ１０１による操作実行に用いられるプログラムとデータを格納することに用いられるメモリ１０３とを含む。
プロセッサ１０１は、当該メモリ１０３に格納されているプログラムとデータを呼び出して実行すると、端末から報告される能力または予め取り決められたルールに基づいて、共有チャネルおよび／または制御チャネルを含んで前記端末によって同一のサブフレームで処理されるデータであって、第１ＴＴＩ長による伝送のデータおよび／または前記第１ＴＴＩ長より大きい第２ＴＴＩ長による伝送のデータを確定することに用いられる機能モジュールである第２確定モジュールを実現する。
【０２５０】
なお、本開示の実施例による基地局は、上記実施例による基地局側のデータ伝送方法に対応する基地局である。したがって、上記実施例によるデータ伝送方法の全ての実施例は、いずれも当該基地局に適用し、しかも同一または類似な効果を達成することができる。
【０２５１】
なお、上記方法と実施例において、第１ＴＴＩ長による伝送のデータおよび／または第２ＴＴＩ長による伝送のデータは、ユニキャストサービスのみを指してもよく、同時にブロードキャストサービスを含んでもよい。
【０２５２】
この明細書で記載されている多くの機能的部材は、その実現方式の独立性をより強調するために、モジュール／サブモジュールに称される。
【０２５３】
本開示の実施例において、モジュール／サブモジュールは、各種類のプロセッサに実行されるよう、ソフトウェアによって実現される。例を挙げると、１つの標識される実行可能なコードモジュールは、コンピュータに指令される１つまたは複数の物理または論理ブロックを含み、例えばオブジェクト、プロセスまたは関数として構築される。それに関わらず、標識されるモジュールの実行可能なコードは、物理的に集まる必要がなく、異なる位置に格納される異なる指令を含んでもよい。これらの指令が論理的に組み合わせられると、モジュールを構成して当該モジュールの規定目的を実現する。
【０２５４】
実際に、実行可能なコードモジュールは、単一または複数の指令であり、場合によっては複数の異なるコードセグメント、異なるプログラム、複数のストレージ間に分布してもよい。同様に、オペレーションデータは、モジュール内で識別され、あらゆる適切な方式で実現され、あらゆる適切なタイプのデータ構造内に組織される。当該オペレーションデータは、単一のデータセットとして収集されるか、異なる位置に分布し（異なるストレージに含まれる）、しかも、少なくとも一部が単に電子信号としてシステムまたはネットワークに存在する。
【０２５５】
モジュールがソフトウェアで実現されると、関連ハードウェア工程のレベルを考慮し、ソフトウェアで実現されるモジュールは、コストを考慮しない場合、当業者が対応なハードウェア回路を構築して対応な機能を実現することができる。当該ハードウェア回路は、通常のＶＬＳＩ回路またはゲートアレイおよび論理チップ、トランジスタといった関連半導体または他の分立素子を含む。モジュールは、フィールドプログラマブルゲートアレイ、プログラマブルアレイロジック、プログラマブルロジックデバイスといったプログラマブルハードウェアデバイスで実現されてもよい。
【０２５６】
以上は、本開示の選択可能な実施形態である。なお、当業者は、本開示に記載されている原理を逸脱せずに様々な改良や修飾をすることもできる。これらの改良や修飾も、本開示の保護範囲として見なされるべきである。
【図１】
2019519979.tif 000031
【図２】
2019519979.tif 000032
【図３】
2019519979.tif 000033
【図４】
2019519979.tif 000034
【図５】
2019519979.tif 000035
【図６】
2019519979.tif 000036
【図７】
2019519979.tif 000037
【図８】
2019519979.tif 000038
【図９】
2019519979.tif 000039
【図１０】
2019519979.tif 000040
【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
端末が、共有チャネルおよび／または制御チャネルを含んで同一のサブフレームで処理されるデータであって、第１ＴＴＩ長による伝送のデータおよび／または前記第１ＴＴＩ長より大きい第２ＴＴＩ長による伝送のデータを、前記端末から報告される能力または予め取り決められたルールに基づいて確定することを含むデータ伝送方法。
【請求項２】
前記端末が、同一のサブフレームで処理されるデータであって、第１ＴＴＩ長による伝送のデータおよび／または第２ＴＴＩ長による伝送のデータを、前記端末から報告される能力に基づいて確定することは、具体的に、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１と、
前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定する方式２と、
前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定する方式３と、
のうちの少なくとも１つを含む請求項１に記載のデータ伝送方法。
【請求項３】
前記端末が、前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定する方式３は、具体的に、
前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、前記端末が、現在のサブフレームで第１ＴＴＩ長による伝送のデータと第２ＴＴＩ長による伝送のデータを同時に処理し、または、前記端末によって同一のサブフレームで処理される第１ＴＴＩ長による伝送のデータおよび／または第２ＴＴＩ長による伝送のデータを前記方式１または前記方式２に基づいて確定すること、
前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、前記端末が、構成シグナリングまたは所定のルールに基づいて、前記第１ＴＴＩ長による伝送のデータまたは前記第２ＴＴＩ長による伝送のデータを選択的に処理することを含み、および／または、
前記端末から報告される能力によって、同一のサブフレームで第１ＴＴＩ長による伝送の制御チャネルと第２ＴＴＩ長による伝送の制御チャネルの同時検出が前記端末にサポートされると指示される場合、前記端末が、現在のサブフレームで前記第１ＴＴＩ長による伝送の制御チャネルと第２ＴＴＩ長による伝送の制御チャネルを同時に検出すること、
前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、前記端末が、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出することを含み、
前記端末が、前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定する方式２は、具体的に、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、前記端末が、現在のサブフレームで前記第１ＴＴＩ長による伝送のデータと前記第２ＴＴＩ長による伝送のデータを同時に処理すること、
それ以外の場合、前記端末が、構成シグナリングまたは所定のルールに基づいて、前記第１ＴＴＩ長による伝送のデータと前記第２ＴＴＩ長による伝送のデータのうちの一部データを選択的に処理することを含み、
前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１は、具体的に、
キャリアアグリゲーションが前記端末にサポートされない場合、前記端末が、同一のサブフレームで第１ＴＴＩ長による伝送のデータと第２ＴＴＩ長による伝送のデータの同時処理をサポートしないと確定すること、
現在のサブフレームで第１ＴＴＩ長による伝送のデータと第２ＴＴＩ長による伝送のデータが同時にスケジューリングされるのであれば、前記端末が、構成シグナリングまたは所定のルールに基づいて、前記第１ＴＴＩ長による伝送のデータまたは前記第２ＴＴＩ長による伝送のデータを選択的に処理することを含み、
または、
前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１は、具体的に、
アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理すること、
前記端末が、前記第１ＴＴＩ長による伝送のデータの処理前に、前記第２ＴＴＩ長による伝送のデータの符号化を完成していない場合、現在のサブフレームで前記第１ＴＴＩ長による伝送のデータと前記第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理することを含み、
または、
前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１は、具体的に、
キャリアアグリゲーションが前記端末にサポートされないものの、ＭＩＭＯがサポートされるのであれば、前記端末から報告されるＭＩＭＯ能力に基づいて、サポートされる伝送ブロック総数を取得すること、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、前記端末が、現在のサブフレームで前記第１ＴＴＩ長による伝送のデータと前記第２ＴＴＩ長による伝送のデータを同時に処理すること、
それ以外の場合、方式Ａ：前記端末が、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理すること、および／または、
方式Ｂ：アップリンク伝送で、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理し、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理することを含み、
または、
前記端末が、前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１は、具体的に、
キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定すること、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、前記端末が、現在のサブフレームで前記第１ＴＴＩ長による伝送のデータと前記第２ＴＴＩ長による伝送のデータを同時に処理すること、
それ以外の場合、方式Ａ：前記端末が、構成シグナリングまたは所定のルールに基づいて、前記第１ＴＴＩ長による伝送のデータと前記第２ＴＴＩ長による伝送のデータのうちの一部データを選択的に処理すること、および／または、
方式Ｂ：アップリンク伝送で、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理し、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理し、または、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータと前記第２ＴＴＩ長による伝送のデータのうちの一部データを選択的に処理することを含む請求項２に記載のデータ伝送方法。
【請求項４】
前記端末から報告される能力であって、同一のサブフレームで第１ＴＴＩ長による伝送のデータと第２ＴＴＩ長による伝送のデータの同時処理をサポートするかを指示する能力は、具体的に、
アップリンク伝送とダウンリンク伝送について、前記能力は、一括または独立に報告され、および／または、
キャリアアグリゲーションをサポートする端末について、前記能力は、全ての集約搬送波に対し一括で報告されるか、集約搬送波毎に独立に報告されることを含み、
前記端末から報告される能力であって、同一のサブフレームで同時処理可能な伝送ブロックの数上限値またはＴＴＩの数上限値を指示する能力は、具体的に、
アップリンク伝送とダウンリンク伝送について、前記能力は、一括または独立に報告されることを含む請求項２に記載のデータ伝送方法。
【請求項５】
前記端末が、同一のサブフレームで処理されるデータであって、第１ＴＴＩ長による伝送のデータおよび／または第２ＴＴＩ長による伝送のデータを、予め取り決められたルールに基づいて確定することは、具体的に、
アップリンク伝送で、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理するが、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理すること、または、
アップリンク伝送で、搬送波毎に、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで、当該搬送波で前記第１ＴＴＩ長による伝送のデータと前記第２ＴＴＩ長による伝送のデータを同時に処理するが、前記第１ＴＴＩ長による伝送のデータの処理前に、前記第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送がサポートされないと確定するとともに、構成シグナリングまたは所定のルールに基づいて、当該搬送波での前記第１ＴＴＩ長による伝送のデータまたは前記第２ＴＴＩ長による伝送のデータを選択的に処理すること、
または、
アップリンクおよび／またはダウンリンク伝送で、同一の搬送波の同一のサブフレームで第１ＴＴＩ長による伝送のデータと第２ＴＴＩ長による伝送のデータの同時処理がサポートされないと確定し、現在のサブフレームで、同一の搬送波で第１ＴＴＩ長による伝送のデータと第２ＴＴＩ長による伝送のデータが同時にスケジューリングされると、前記端末が、構成シグナリングまたは所定のルールに基づいて、当該搬送波での前記第１ＴＴＩ長による伝送のデータまたは前記第２ＴＴＩ長による伝送のデータを選択的に処理すること、
または、
アップリンクおよび／またはダウンリンク伝送で、同一のサブフレームで第１ＴＴＩ長による伝送のデータと第２ＴＴＩ長による伝送のデータの同時処理がサポートされないと確定し、現在のサブフレームで第１ＴＴＩ長による伝送のデータと第２ＴＴＩ長による伝送のデータが同時に存在すると、前記端末が、構成シグナリングまたは所定のルールに基づいて、前記第１ＴＴＩ長による伝送のデータまたは前記第２ＴＴＩ長による伝送のデータを選択的に処理すること、
または、
同一の搬送波の同一のサブフレームで第１ＴＴＩ長による伝送の制御チャネルと第２ＴＴＩ長による伝送の制御チャネルの同時検出がサポートされないと確定し、前記端末が、現在のサブフレームで、現在の搬送波で構成シグナリングまたは所定のルールに基づいて、前記第１ＴＴＩ長による伝送の制御チャネルまたは前記第２ＴＴＩ長による伝送の制御チャネルを選択的に検出すること、
または、
同一のサブフレームで第１ＴＴＩ長による伝送の制御チャネルと第２ＴＴＩ長による伝送の制御チャネルの同時検出がサポートされないと確定し、前記端末が、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出すること、
または、
同一の搬送波の同一のサブフレームで第１ＴＴＩ長による伝送の制御チャネルと第２ＴＴＩ長による伝送の制御チャネルの同時検出がサポートされると確定し、前記端末が、現在のサブフレームで、現在の搬送波で前記第１ＴＴＩ長による伝送の制御チャネルと前記第２ＴＴＩ長による伝送の制御チャネルを同時に検出すること、
または、
同一のサブフレームで第１ＴＴＩ長による伝送の制御チャネルと第２ＴＴＩ長による伝送の制御チャネルの同時検出がサポートされると確定し、前記端末が、現在のサブフレームで前記第１ＴＴＩ長による伝送の制御チャネルと前記第２ＴＴＩ長による伝送の制御チャネルを同時に検出することを含む請求項１に記載のデータ伝送方法。
【請求項６】
前記端末が、第１ＴＴＩ長による伝送のデータまたは第２ＴＴＩ長による伝送のデータを、構成シグナリングまたは所定のルールに基づいて選択的に処理することは、具体的に、
前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示すること、または、
前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決めること、または、
前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決めること、または、
前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの受信および／または処理を中止し、前記第１ＴＴＩ長による伝送のデータを受信および／または処理すると取り決めること、または、
前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決めること、または、
前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決めることを含み、
または、
前記端末が、前記第１ＴＴＩ長による伝送の制御チャネルまたは前記第２ＴＴＩ長による伝送の制御チャネルを、構成シグナリングまたは所定のルールに基づいて選択的に検出することは、具体的に、
前記構成シグナリングは、第１ＴＴＩ長による伝送の制御チャネルと第２ＴＴＩ長による伝送の制御チャネルのうちの１つを選択的に検出することを前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択することを前記端末に指示すること、または、
前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決めること、または、
前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、
前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めること、または、
前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、
前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めることを含む請求項３に記載のデータ伝送方法。
【請求項７】
前記端末が、構成シグナリングまたは所定のルールに基づいて、前記第１ＴＴＩ長による伝送のデータと前記第２ＴＴＩ長による伝送のデータのうちの一部データを選択的に処理することは、具体的に、
前記構成シグナリングは、第１ＴＴＩ長による伝送のデータと第２ＴＴＩ長による伝送のデータのうちの１つを選択的に処理することを前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択すること、
または、前記構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、
または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択すること、
または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択すること、
または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、
または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択することを含む請求項３に記載のデータ伝送方法。
【請求項８】
同一の搬送波の同一のサブフレームの異なる周波数領域リソースで、前記第１ＴＴＩ長による伝送のデータと前記第２ＴＴＩ長による伝送のデータを送信または受信すること、または、
同一の搬送波の同一のサブフレームで前記第１ＴＴＩ長による伝送のデータと前記第２ＴＴＩ長による伝送のデータに用いられる周波数領域リソースがオーバーラップすると、ダウンリンク伝送について、前記端末が、基地局によってオーバーラップ部分で前記第１ＴＴＩ長による伝送のデータで前記第２ＴＴＩ長による伝送のデータを上書きすると確定し、アップリンク伝送について、オーバーラップ部分で前記第１ＴＴＩ長による伝送のデータで前記第２ＴＴＩ長による伝送のデータを上書きすること、または、
アップリンク伝送について、同一の搬送波の同一のサブフレームで、第２ＴＴＩ長による伝送のデータのうち、第１ＴＴＩ長による伝送のデータに対応するシンボル上のデータを穿孔することをさらに含む請求項１に記載のデータ伝送方法。
【請求項９】
基地局が、端末から報告される能力または予め取り決められたルールに基づいて、共有チャネルおよび／または制御チャネルを含んで前記端末によって同一のサブフレームで処理されるデータであって、第１ＴＴＩ長による伝送のデータおよび／または前記第１ＴＴＩ長より大きい第２ＴＴＩ長による伝送のデータを確定することを含むデータ伝送方法。
【請求項１０】
前記基地局が、端末から報告される能力に基づいて、前記端末によって同一のサブフレームで処理される第１ＴＴＩ長による伝送のデータおよび／または第２ＴＴＩ長による伝送のデータを確定することは、具体的に、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１と、
前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定する方式２と、
前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定する方式３と、
のうちの少なくとも１つを含む請求項９に記載のデータ伝送方法。
【請求項１１】
前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定する方式３は、具体的に、
前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、前記端末が現在のサブフレームで前記第１ＴＴＩ長による伝送のデータと前記第２ＴＴＩ長による伝送のデータを同時に処理すると確定し、または、前記端末によって同一のサブフレームで処理される第１ＴＴＩ長による伝送のデータおよび／または第２ＴＴＩ長による伝送のデータを、前記端末が前記方式１または前記方式２に基づいて確定すると確定すること、
前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定すること、および／または、
前記端末から報告される能力によって、同一のサブフレームで第１ＴＴＩ長による伝送の制御チャネルと第２ＴＴＩ長による伝送の制御チャネルの同時検出が前記端末にサポートされると指示される場合、前記端末が現在のサブフレームで前記第１ＴＴＩ長による伝送の制御チャネルと第２ＴＴＩ長による伝送の制御チャネルを同時に検出すると確定すること、
前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、前記端末が現在のサブフレームで構成シグナリングまたは所定のルールに基づいて前記第１ＴＴＩ長による伝送の制御チャネルまたは前記第２ＴＴＩ長による伝送の制御チャネルを選択的に検出すると確定することを含み、
前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定する方式２は、具体的に、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、前記端末が現在のサブフレームで前記第１ＴＴＩ長による伝送のデータと前記第２ＴＴＩ長による伝送のデータを同時に処理すると確定すること、
それ以外の場合に、前記端末が構成シグナリングまたは所定のルールに基づいて前記第１ＴＴＩ長による伝送のデータと前記第２ＴＴＩ長による伝送のデータのうちの一部データを選択的に処理すると確定することを含み、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１は、具体的に、
キャリアアグリゲーションが前記端末にサポートされない場合、同一のサブフレームで第１ＴＴＩ長による伝送のデータと第２ＴＴＩ長による伝送のデータの同時処理が前記端末にサポートされないと確定すること、
現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定することを含み、
または、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１は、具体的に、
アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理すると確定すること、
前記端末が、前記第１ＴＴＩ長による伝送のデータの処理前に、前記第２ＴＴＩ長による伝送のデータの符号化を完成していないのであれば、現在のサブフレームで前記第１ＴＴＩ長による伝送のデータと前記第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することを含み、
または、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１は、具体的に、
キャリアアグリゲーションが前記端末にサポートされないものの、ＭＩＭＯがサポートされるのであれば、前記端末から報告されるＭＩＭＯ能力に基づいて、サポートされる伝送ブロック総数を取得すること、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、前記端末が現在のサブフレームで前記第１ＴＴＩ長による伝送のデータと前記第２ＴＴＩ長による伝送のデータを同時に処理すると確定すること、
それ以外の場合に、方式Ａ：現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定すること、および／または、
方式Ｂ：アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することを含み、
または、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定する方式１は、具体的に、
キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定すること、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、前記端末が現在のサブフレームで前記第１ＴＴＩ長による伝送のデータと前記第２ＴＴＩ長による伝送のデータを同時に処理すると確定すること、
それ以外の場合に、方式Ａ：前記端末が構成シグナリングまたは所定のルールに基づいて前記第１ＴＴＩ長による伝送のデータと前記第２ＴＴＩ長による伝送のデータのうちの一部データを選択的に処理すると確定すること、および／または、
方式Ｂ：アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定し、または、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータと前記第２ＴＴＩ長による伝送のデータのうち一部データを選択的に処理すると確定することを含む請求項１０に記載のデータ伝送方法。
【請求項１２】
前記端末から報告される能力であって、同一のサブフレームで第１ＴＴＩ長による伝送のデータと第２ＴＴＩ長による伝送のデータの同時処理をサポートするかを指示する能力は、具体的に、
アップリンク伝送とダウンリンク伝送について、前記能力は、一括または独立に報告され、および／または、
キャリアアグリゲーションをサポートする端末について、前記能力は、全ての集約搬送波に対し一括で報告されるか、集約搬送波毎に独立に報告されることを含み、
前記端末から報告される能力であって、同一のサブフレームで同時処理可能な伝送ブロックの数上限値またはＴＴＩの数上限値を指示する能力は、具体的に、
アップリンク伝送とダウンリンク伝送について、前記能力は、一括または独立に報告されることを含む請求項１０に記載のデータ伝送方法。
【請求項１３】
同一のサブフレームで処理されるデータであって、第１ＴＴＩ長による伝送のデータおよび／または第２ＴＴＩ長による伝送のデータを、予め取り決められたルールに基づいて確定することは、具体的に、
アップリンク伝送で、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定すること、
または、
アップリンク伝送で、搬送波毎に、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで当該搬送波で前記第１ＴＴＩ長による伝送のデータと前記第２ＴＴＩ長による伝送のデータを同時に処理すると確定し、前記第１ＴＴＩ長による伝送のデータの処理前に、前記第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて当該搬送波での前記第１ＴＴＩ長による伝送のデータまたは前記第２ＴＴＩ長による伝送のデータを選択的に処理すると確定すること、
または、
アップリンクおよび／またはダウンリンク伝送で、同一の搬送波の同一のサブフレームで第１ＴＴＩ長による伝送のデータと第２ＴＴＩ長による伝送のデータの同時処理がサポートされないと確定し、現在のサブフレームで、同一の搬送波で第１ＴＴＩ長による伝送のデータと第２ＴＴＩ長による伝送のデータが同時にスケジューリングされると、前記端末が構成シグナリングまたは所定のルールに基づいて、当該搬送波での前記第１ＴＴＩ長による伝送のデータまたは前記第２ＴＴＩ長による伝送のデータを選択的に処理すると確定すること、
または、
アップリンクおよび／またはダウンリンク伝送で、同一のサブフレームで第１ＴＴＩ長による伝送のデータと第２ＴＴＩ長による伝送のデータの同時処理がサポートされないと確定し、現在のサブフレームで第１ＴＴＩ長による伝送のデータと第２ＴＴＩ長による伝送のデータが同時に存在すると、前記端末が構成シグナリングまたは所定のルールに基づいて、前記第１ＴＴＩ長による伝送のデータまたは前記第２ＴＴＩ長による伝送のデータを選択的に処理すること、
または、
同一の搬送波の同一のサブフレームで第１ＴＴＩ長による伝送の制御チャネルと第２ＴＴＩ長による伝送の制御チャネルの同時検出が前記端末にサポートされないと確定し、前記端末が、現在のサブフレームで、現在の搬送波で構成シグナリングまたは所定のルールに基づいて、前記第１ＴＴＩ長による伝送の制御チャネルまたは前記第２ＴＴＩ長による伝送の制御チャネルを選択的に検出すること、
または、
同一のサブフレームで第１ＴＴＩ長による伝送の制御チャネルと第２ＴＴＩ長による伝送の制御チャネルの同時検出が前記端末にサポートされないと確定し、前記端末が、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出すること、
または、
同一の搬送波の同一のサブフレームで第１ＴＴＩ長による伝送の制御チャネルと第２ＴＴＩ長による伝送の制御チャネルの同時検出が前記端末にサポートされると確定し、前記端末が、現在のサブフレームで、現在の搬送波で前記第１ＴＴＩ長による伝送の制御チャネルと前記第２ＴＴＩ長による伝送の制御チャネルを同時に検出すること、
または、
同一のサブフレームで第１ＴＴＩ長による伝送の制御チャネルと第２ＴＴＩ長による伝送の制御チャネルの同時検出が前記端末にサポートされると確定し、前記端末が、現在のサブフレームで前記第１ＴＴＩ長による伝送の制御チャネルと前記第２ＴＴＩ長による伝送の制御チャネルを同時に検出することを含む請求項９に記載のデータ伝送方法。
【請求項１４】
前記端末が、第１ＴＴＩ長による伝送のデータまたは第２ＴＴＩ長による伝送のデータを、構成シグナリングまたは所定のルールに基づいて選択的に処理することは、具体的に、
前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示すること、または、
前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決めること、または、
前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決めること、または、
前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで前記第２ＴＴＩ長による伝送のデータの受信および／または処理を中止し、前記第１ＴＴＩ長による伝送のデータを受信および／または処理すると取り決めること、または、
前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決めること、または、
前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決めることを含み、
または、
前記端末が、前記第１ＴＴＩ長による伝送の制御チャネルまたは前記第２ＴＴＩ長による伝送の制御チャネルを、構成シグナリングまたは所定のルールに基づいて選択的に検出することは、具体的に、
前記構成シグナリングは、第１ＴＴＩ長による伝送の制御チャネルと第２ＴＴＩ長による伝送の制御チャネルのうちの１つを選択的に検出すると前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると前記端末に指示すること、または、
前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決めること、または、
前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、
前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めること、または、
前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決めること、または、
前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決めることを含む請求項１１に記載のデータ伝送方法。
【請求項１５】
前記端末が、構成シグナリングまたは所定のルールに基づいて、前記第１ＴＴＩ長による伝送のデータと前記第２ＴＴＩ長による伝送のデータのうちの一部データを選択的に処理することは、具体的に、
前記構成シグナリングは、第１ＴＴＩ長による伝送のデータと第２ＴＴＩ長による伝送のデータのうちの１つを選択的に処理すると前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理すると前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択すること、
または、前記構成シグナリングは、Ａ１個の第１ＴＴＩ長による伝送のデータおよび／またはＡ２個の第２ＴＴＩ長による伝送のデータを選択すると指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、
または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択すること、
または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択すること、
または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択すること、
または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択することを含む請求項１１に記載のデータ伝送方法。
【請求項１６】
同一の搬送波の同一のサブフレームの異なる周波数領域リソースで、前記第１ＴＴＩ長による伝送のデータと前記第２ＴＴＩ長による伝送のデータの前記端末による送信または受信をスケジューリングすること、または、
同一の搬送波の同一のサブフレームで前記第１ＴＴＩ長による伝送のデータと前記第２ＴＴＩ長による伝送のデータに用いられる周波数領域リソースがオーバーラップするとスケジューリングすると、ダウンリンク伝送について、前記基地局が、オーバーラップ部分で前記第１ＴＴＩ長による伝送のデータで前記第２ＴＴＩ長による伝送のデータを上書きし、アップリンク伝送について、前記基地局が、前記端末によってオーバーラップ部分で前記第１ＴＴＩ長による伝送のデータで前記第２ＴＴＩ長による伝送のデータを上書きすると確定すること、または、
アップリンク伝送について、前記端末が同一の搬送波の同一のサブフレームで、第２ＴＴＩ長による伝送のデータのうち、第１ＴＴＩ長による伝送のデータに対応するシンボル上のデータを穿孔すると確定することをさらに含む請求項９に記載のデータ伝送方法。
【請求項１７】
端末であって、
共有チャネルおよび／または制御チャネルを含んで同一のサブフレームで処理されるデータであって、第１ＴＴＩ長による伝送のデータおよび／または前記第１ＴＴＩ長より大きい第２ＴＴＩ長による伝送のデータを、前記端末から報告される能力または予め取り決められたルールに基づいて確定することに用いられる第１確定モジュールを含む端末。
【請求項１８】
前記第１確定モジュールは、具体的に、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することに用いられる第１確定サブモジュール、および／または、
前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定することに用いられる第２確定サブモジュール、および／または、
前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定することに用いられる第３確定サブモジュールを含む請求項１７に記載の端末。
【請求項１９】
前記第３確定サブモジュールは、具体的に、
前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、現在のサブフレームで第１ＴＴＩ長による伝送のデータと第２ＴＴＩ長による伝送のデータを同時に処理し、または、前記端末によって同一のサブフレームで処理される第１ＴＴＩ長による伝送のデータおよび／または第２ＴＴＩ長による伝送のデータを、前記第２確定サブモジュールまたは第３確定サブモジュールを用いて確定することに用いられる第１処理ユニットと、
前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、および／または、
前記端末から報告される能力によって、同一のサブフレームで第１ＴＴＩ長による伝送の制御チャネルと第２ＴＴＩ長による伝送の制御チャネルの同時検出が前記端末にサポートされると指示される場合、現在のサブフレームで前記第１ＴＴＩ長による伝送の制御チャネルと第２ＴＴＩ長による伝送の制御チャネルを同時に検出することに用いられる第１５処理ユニットと、
前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、現在のサブフレームで、構成シグナリングまたは所定のルールに基づいて、前記第１ＴＴＩ長による伝送の制御チャネルまたは前記第２ＴＴＩ長による伝送の制御チャネルを選択的に検出することに用いられる第１６処理ユニットを含み、
前記第２確定サブモジュールは、具体的に、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、現在のサブフレームで前記第１ＴＴＩ長による伝送のデータと前記第２ＴＴＩ長による伝送のデータを同時に処理することに用いられる第３処理ユニットと、
それ以外の場合に、構成シグナリングまたは所定のルールに基づいて、前記第１ＴＴＩ長による伝送のデータと前記第２ＴＴＩ長による伝送のデータのうちの一部データを選択的に処理することに用いられる第２処理ユニットを含み、
前記第１確定サブモジュールは、具体的に、
キャリアアグリゲーションが前記端末にサポートされない場合、同一のサブフレームで第１ＴＴＩ長による伝送のデータと第２ＴＴＩ長による伝送のデータの同時処理をサポートしないと確定することに用いられる第１確定ユニットと、
現在のサブフレームで第１ＴＴＩ長による伝送のデータと第２ＴＴＩ長による伝送のデータが同時にスケジューリングされるのであれば、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、
または、
前記第１確定サブモジュールは、具体的に、
アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理することに用いられる第４処理ユニットと、
前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、
または、
前記第１確定サブモジュールは、具体的に、
キャリアアグリゲーションが前記端末にサポートされないものの、ＭＩＭＯがサポートされるのであれば、前記端末から報告されるＭＩＭＯ能力に基づいて、サポートされる伝送ブロック総数を取得することに用いられる第１取得ユニットと、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、現在のサブフレームで前記第１ＴＴＩ長による伝送のデータと前記第２ＴＴＩ長による伝送のデータを同時に処理することに用いられる第５処理ユニットと、
それ以外の場合に、方式Ａ：現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理すること、および／または、
方式Ｂ：アップリンク伝送で、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理し、
前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時処理をサポートしないと確定するとともに、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、
または、
前記第１確定サブモジュールは、具体的に、
キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定することに用いられる第２確定ユニットと、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、現在のサブフレームで前記第１ＴＴＩ長による伝送のデータと前記第２ＴＴＩ長による伝送のデータを同時に処理することに用いられる第６処理ユニットと、
それ以外の場合に、方式Ａ：構成シグナリングまたは所定のルールに基づいて、前記第１ＴＴＩ長による伝送のデータと前記第２ＴＴＩ長による伝送のデータのうちの一部データを選択的に処理すること、および／または、
方式Ｂ：アップリンク伝送で、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理し、
前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理し、または、
前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータと前記第２ＴＴＩ長による伝送のデータのうちの一部データを選択的に処理することに用いられる第２処理ユニットを含む請求項１８に記載の端末。
【請求項２０】
前記端末から報告される能力であって、同一のサブフレームで第１ＴＴＩ長による伝送のデータと第２ＴＴＩ長による伝送のデータの同時処理をサポートするかを指示する能力は、具体的に、
アップリンク伝送とダウンリンク伝送について、前記能力は、一括または独立に報告され、および／または、
キャリアアグリゲーションをサポートする端末について、前記能力は、全ての集約搬送波に対し一括で報告されるか、集約搬送波毎に独立に報告されることを含み、
前記端末から報告される能力であって、同一のサブフレームで同時処理可能な伝送ブロックの数上限値またはＴＴＩの数上限値を指示する能力は、具体的に、
アップリンク伝送とダウンリンク伝送について、前記能力は、一括または独立に報告されることを含む請求項１８に記載の端末。
【請求項２１】
前記第１確定モジュールは、具体的に、
アップリンク伝送で、現在のサブフレームで第１ＴＴＩ長による伝送のデータと第２ＴＴＩ長による伝送のデータが同時にスケジューリングされるのであれば、前記第１ＴＴＩ長による伝送のデータの処理前に、前記第２ＴＴＩ長による伝送のデータの符号化が完成された場合、現在のサブフレームで前記第１ＴＴＩ長による伝送のデータと前記第２ＴＴＩ長による伝送のデータを同時に処理することに用いられる第７処理ユニットと、
前記第１ＴＴＩ長による伝送のデータの処理前に、前記第２ＴＴＩ長による伝送のデータの符号化が完成されていない場合、現在のサブフレームで第１ＴＴＩ長による伝送のデータと第２ＴＴＩ長による伝送のデータの同時伝送をサポートしないと確定するとともに、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、
または、
アップリンク伝送で、搬送波毎に、現在のサブフレームで第１ＴＴＩ長による伝送のデータと第２ＴＴＩ長による伝送のデータが同時にスケジューリングされるのであれば、前記第１ＴＴＩ長による伝送のデータの処理前に、前記第２ＴＴＩ長による伝送のデータの符号化が完成された場合、現在のサブフレームで、当該搬送波で前記第１ＴＴＩ長による伝送のデータと前記第２ＴＴＩ長による伝送のデータを同時に処理することに用いられる第８処理ユニットと、
前記第１ＴＴＩ長による伝送のデータの処理前に、前記第２ＴＴＩ長による伝送のデータの符号化が完成されていない場合、当該搬送波では、現在のサブフレームで第１ＴＴＩ長による伝送のデータと第２ＴＴＩ長による伝送のデータの同時伝送がサポートされないと確定するとともに、構成シグナリングまたは所定のルールに基づいて、当該搬送波での前記第１ＴＴＩ長による伝送のデータまたは前記第２ＴＴＩ長による伝送のデータを選択的に処理することに用いられる第２処理ユニットを含み、
または、
アップリンクおよび／またはダウンリンク伝送で、同一の搬送波の同一のサブフレームで第１ＴＴＩ長による伝送のデータと第２ＴＴＩ長による伝送のデータの同時処理がサポートされないと確定することに用いられる第９処理ユニットと、
現在のサブフレームで、同一の搬送波で第１ＴＴＩ長による伝送のデータと第２ＴＴＩ長による伝送のデータが同時にスケジューリングされると、構成シグナリングまたは所定のルールに基づいて、当該搬送波での前記第１ＴＴＩ長による伝送のデータまたは前記第２ＴＴＩ長による伝送のデータを選択的に処理することに用いられる第２処理ユニットを含み、
または、
アップリンクおよび／またはダウンリンク伝送で、同一のサブフレームで第１ＴＴＩ長による伝送のデータと第２ＴＴＩ長による伝送のデータの同時処理がサポートされないと確定することに用いられる第１０処理ユニットと、
現在のサブフレームで第１ＴＴＩ長による伝送のデータと第２ＴＴＩ長による伝送のデータが同時に存在すると、構成シグナリングまたは所定のルールに基づいて、前記第１ＴＴＩ長による伝送のデータまたは前記第２ＴＴＩ長による伝送のデータを選択的に処理することに用いられる第２処理ユニットを含み、
または、
同一の搬送波の同一のサブフレームで第１ＴＴＩ長による伝送の制御チャネルと第２ＴＴＩ長による伝送の制御チャネルの同時検出がサポートされないと確定することに用いられる第１１処理ユニットと、
現在のサブフレームで、現在の搬送波で構成シグナリングまたは所定のルールに基づいて、前記第１ＴＴＩ長による伝送の制御チャネルまたは前記第２ＴＴＩ長による伝送の制御チャネルを選択的に検出することに用いられる第１６処理ユニットを含み、
または、
同一のサブフレームで第１ＴＴＩ長による伝送の制御チャネルと第２ＴＴＩ長による伝送の制御チャネルの同時検出がサポートされないと確定することに用いられる第１２処理ユニットと、
現在のサブフレームで、構成シグナリングまたは所定のルールに基づいて、前記第１ＴＴＩ長による伝送の制御チャネルまたは前記第２ＴＴＩ長による伝送の制御チャネルを選択的に検出することに用いられる第１６処理ユニットを含み、
または、
同一の搬送波の同一のサブフレームで第１ＴＴＩ長による伝送の制御チャネルと第２ＴＴＩ長による伝送の制御チャネルの同時検出がサポートされると確定することに用いられる第１３処理ユニットと、
現在のサブフレームで、現在の搬送波で前記第１ＴＴＩ長による伝送の制御チャネルと前記第２ＴＴＩ長による伝送の制御チャネルを同時に検出することに用いられる第１６処理ユニットを含み、
または、
同一のサブフレームで第１ＴＴＩ長による伝送の制御チャネルと第２ＴＴＩ長による伝送の制御チャネルの同時検出がサポートされると確定することに用いられる第１４処理ユニットと、
現在のサブフレームで前記第１ＴＴＩ長による伝送の制御チャネルと前記第２ＴＴＩ長による伝送の制御チャネルを同時に検出することに用いられる第１６処理ユニットを含む請求項１７に記載の端末。
【請求項２２】
前記第２処理ユニットにおいて、具体的に、
前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示し、または、
前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決め、または、
前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決め、または、
前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの受信および／または処理を中止し、前記第１ＴＴＩ長による伝送のデータを受信および／または処理すると取り決め、または、
前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決め、または、
前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決め、
または、
前記第２処理ユニットにおいて、具体的に、
前記構成シグナリングは、第１ＴＴＩ長による伝送のデータと第２ＴＴＩ長による伝送のデータのうちの１つを選択的に処理することを前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択し、
または、前記構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、
または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択し、
または、前記所定のルールは、前記端末が第１ＴＴＩ長による伝送のデータと第２ＴＴＩ長による伝送のデータのうちの１つを選択的に処理することを取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択し、
または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、
または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または、現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または、現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択し、
または、
前記第１６処理ユニットにおいて、具体的に、
前記構成シグナリングは、第１ＴＴＩ長による伝送の制御チャネルと第２ＴＴＩ長による伝送の制御チャネルのうちの１つを選択的に検出することを前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択することを前記端末に指示し、または、
前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決め、または、
前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、
前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決め、または、
前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、
前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決める請求項１８に記載の端末。
【請求項２３】
同一の搬送波の同一のサブフレームの異なる周波数領域リソースで、前記第１ＴＴＩ長による伝送のデータと前記第２ＴＴＩ長による伝送のデータを送信または受信することに用いられる第１処理モジュールをさらに含み、または、
同一の搬送波の同一のサブフレームで前記第１ＴＴＩ長による伝送のデータと前記第２ＴＴＩ長による伝送のデータに用いられる周波数領域リソースがオーバーラップすると、ダウンリンク伝送について、基地局によってオーバーラップ部分で前記第１ＴＴＩ長による伝送のデータで前記第２ＴＴＩ長による伝送のデータを上書きすると確定し、アップリンク伝送について、オーバーラップ部分で前記第１ＴＴＩ長による伝送のデータで前記第２ＴＴＩ長による伝送のデータを上書きすることに用いられる前記第１処理モジュールをさらに含み、または、
アップリンク伝送について、同一の搬送波の同一のサブフレームで、第２ＴＴＩ長による伝送のデータのうち、第１ＴＴＩ長による伝送のデータに対応するシンボル上のデータを穿孔することに用いられる前記第１処理モジュールをさらに含む請求項１７に記載の端末。
【請求項２４】
端末から報告される能力または予め取り決められたルールに基づいて、共有チャネルおよび／または制御チャネルを含んで前記端末によって同一のサブフレームで処理されるデータであって、第１ＴＴＩ長による伝送のデータおよび／または前記第１ＴＴＩ長より大きい第２ＴＴＩ長による伝送のデータを確定することに用いられる第２確定モジュールを含む基地局。
【請求項２５】
前記第２確定モジュールは、具体的に、
前記端末から報告されるキャリアアグリゲーション能力および／またはＭＩＭＯ能力に基づいて、前記端末によって同一のサブフレームで処理される第１ＴＴＩ長による伝送のデータおよび／または第２ＴＴＩ長による伝送のデータを確定することに用いられる第４確定サブモジュール、および／または、
前記端末から報告される能力であって、同一のサブフレームで同時処理可能な伝送ブロックの数上限値またはＴＴＩの数上限値を指示する能力に基づいて、前記端末によって同一のサブフレームで処理される第１ＴＴＩ長による伝送のデータおよび／または第２ＴＴＩ長による伝送のデータを確定することに用いられる第５確定サブモジュール、および／または、
前記端末から報告される能力であって、同一のサブフレームで第１ＴＴＩ長による伝送のデータと第２ＴＴＩ長による伝送のデータの同時処理をサポートするかを指示する能力に基づいて、前記端末によって同一のサブフレームで処理される第１ＴＴＩ長による伝送のデータおよび／または第２ＴＴＩ長による伝送のデータを確定することに用いられる第６確定サブモジュールを含む請求項２４に記載の基地局。
【請求項２６】
前記第６確定サブモジュールは、具体的に、
前記端末から報告される能力によって、同一のサブフレームで第１ＴＴＩ長による伝送のデータと第２ＴＴＩ長による伝送のデータの同時処理が前記端末にサポートされると指示される場合、現在のサブフレームで第１ＴＴＩ長による伝送のデータと第２ＴＴＩ長による伝送のデータが同時にスケジューリングされるのであれば、現在のサブフレームで前記第１ＴＴＩ長による伝送のデータと前記第２ＴＴＩ長による伝送のデータが前記端末によって同時に処理されると確定し、または、前記端末によって同一のサブフレームで処理される第１ＴＴＩ長による伝送のデータおよび／または第２ＴＴＩ長による伝送のデータを、第５確定サブモジュールまたは第６確定サブモジュールで確定すると確定することに用いられる第３確定ユニットと、
前記端末から報告される能力によって、同一のサブフレームで第１ＴＴＩ長による伝送のデータと第２ＴＴＩ長による伝送のデータの同時処理が前記端末にサポートされないと指示される場合、現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含み、および／または、
前記端末から報告される能力によって、同一のサブフレームで第１ＴＴＩ長による伝送の制御チャネルと第２ＴＴＩ長による伝送の制御チャネルの同時検出が前記端末にサポートされると指示される場合、前記端末が現在のサブフレームで前記第１ＴＴＩ長による伝送の制御チャネルと第２ＴＴＩ長による伝送の制御チャネルを同時に検出すると確定することに用いられる第１９確定ユニットと、
前記端末から報告される能力によって、同一のサブフレームで第１ＴＴＩ長による伝送の制御チャネルと第２ＴＴＩ長による伝送の制御チャネルの同時検出が前記端末にサポートされないと指示される場合、前記端末が現在のサブフレームで構成シグナリングまたは所定のルールに基づいて前記第１ＴＴＩ長による伝送の制御チャネルまたは前記第２ＴＴＩ長による伝送の制御チャネルを選択的に検出すると確定することに用いられる第２０確定ユニットを含み、
前記第５確定サブモジュールは、具体的に、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、報告される前記伝送ブロックの数上限値以下になり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が、報告される前記ＴＴＩの数上限値以下になるのであれば、前記端末が現在のサブフレームで前記第１ＴＴＩ長による伝送のデータと前記第２ＴＴＩ長による伝送のデータを同時に処理すると確定することに用いられる第５確定ユニットと、
それ以外の場合に、前記端末が構成シグナリングまたは所定のルールに基づいて前記第１ＴＴＩ長による伝送のデータと前記第２ＴＴＩ長による伝送のデータのうちの一部データを選択的に処理すると確定することに用いられる第４確定ユニットを含み、
前記第４確定サブモジュールは、具体的に、
キャリアアグリゲーションが前記端末にサポートされない場合、同一のサブフレームで第１ＴＴＩ長による伝送のデータと第２ＴＴＩ長による伝送のデータの同時処理が前記端末にサポートされないと確定することに用いられる第６確定ユニットと、
現在のサブフレームで第１ＴＴＩ長による伝送のデータと第２ＴＴＩ長による伝送のデータが同時にスケジューリングされるのであれば、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含み、
または、
前記第４確定サブモジュールは、具体的に、
アップリンク伝送で、キャリアアグリゲーションが前記端末にサポートされず、かつ現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、現在のサブフレームで前記第１ＴＴＩ長による伝送のデータと前記第２ＴＴＩ長による伝送のデータを同時に処理すると確定することに用いられる第７確定ユニットと、
前記端末が、前記第１ＴＴＩ長による伝送のデータの処理前に、前記第２ＴＴＩ長による伝送のデータの符号化を完成していないのであれば、現在のサブフレームで前記第１ＴＴＩ長による伝送のデータと前記第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含み、
または、
前記第４確定サブモジュールは、具体的に、
キャリアアグリゲーションが前記端末にサポートされないものの、ＭＩＭＯがサポートされるのであれば、前記端末から報告されるＭＩＭＯ能力に基づいて、サポートされる伝送ブロック総数を取得することに用いられる第２取得ユニットと、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が、前記サポートされる伝送ブロック総数以下であると、前記端末が現在のサブフレームで前記第１ＴＴＩ長による伝送のデータと前記第２ＴＴＩ長による伝送のデータを同時に処理すると確定することに用いられる第８確定ユニットと、
それ以外の場合に、方式Ａ：現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定すること、および／または、
方式Ｂ：アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含み、
または、
前記第４確定サブモジュールは、具体的に、
キャリアアグリゲーションが前記端末にサポートされるのであれば、前記端末にサポートされる集約搬送波上限値に基づいて、同一のサブフレームで前記端末によって同時処理可能な伝送ブロックの数上限値またはＴＴＩの数上限値を確定し、または、キャリアアグリゲーションが前記端末にサポートされるのであれば、前記端末にサポートされる集約搬送波上限値および各集約搬送波のＭＩＭＯ能力に基づいて、同一のサブフレームで前記端末によって同時処理可能な伝送ブロックの数上限値を確定し、または、前記端末のキャリアアグリゲーション能力およびＭＩＭＯ能力に基づいて、同一のサブフレームで前記端末によって同時処理可能な伝送ブロックの数上限値を確定することに用いられる第９確定ユニットと、
現在のサブフレームで、第２ＴＴＩ長による伝送のデータ、および、時間領域で開始位置が揃えたり時間領域でオーバーラップしたりする第１ＴＴＩ長による伝送のデータの伝送ブロック総数が前記伝送ブロックの数上限値以下であり、または、現在のサブフレームで、第２ＴＴＩ長による伝送のデータ、および、時間領域で開始位置が揃えたり時間領域でオーバーラップしたりする第１ＴＴＩ長による伝送のデータのＴＴＩ総数が前記ＴＴＩの数上限値以下であれば、前記端末が現在のサブフレームで前記第１ＴＴＩ長による伝送のデータと前記第２ＴＴＩ長による伝送のデータを同時に処理すると確定することに用いられる第１０確定ユニットと、
それ以外の場合に、方式Ａ：前記端末が構成シグナリングまたは所定のルールに基づいて前記第１ＴＴＩ長による伝送のデータと前記第２ＴＴＩ長による伝送のデータのうちの一部データを選択的に処理すると確定すること、および／または、
方式Ｂ：アップリンク伝送で、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定し、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定し、または、前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時処理が前記端末にサポートされないと確定するとともに、前記端末が構成シグナリングまたは所定のルールに基づいて前記第１ＴＴＩ長による伝送のデータと前記第２ＴＴＩ長による伝送のデータのうち一部データを選択的に処理すると確定することに用いられる第４確定ユニットを含む請求項２５に記載の基地局。
【請求項２７】
前記端末から報告される能力であって、同一のサブフレームで第１ＴＴＩ長による伝送のデータと第２ＴＴＩ長による伝送のデータの同時処理をサポートするかを指示する能力は、具体的に、
アップリンク伝送とダウンリンク伝送について、前記能力は、一括または独立に報告され、および／または、
キャリアアグリゲーションをサポートする端末について、前記能力は、全ての集約搬送波に対し一括で報告されるか、集約搬送波毎に独立に報告されることを含み、
前記端末から報告される能力であって、同一のサブフレームで同時処理可能な伝送ブロックの数上限値またはＴＴＩの数上限値を指示する能力は、具体的に、
アップリンク伝送とダウンリンク伝送について、前記能力は、一括または独立に報告されることを含む請求項２５に記載の基地局。
【請求項２８】
前記第２確定モジュールは、具体的に、
アップリンク伝送で、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで前記第１ＴＴＩ長による伝送のデータと前記第２ＴＴＩ長による伝送のデータを同時に処理すると確定することに用いられる第１１確定ユニットと、
前記端末が、前記第１ＴＴＩ長による伝送のデータの処理前に、前記第２ＴＴＩ長による伝送のデータの符号化を完成していない場合、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて前記第１ＴＴＩ長による伝送のデータまたは前記第２ＴＴＩ長による伝送のデータを選択的に処理すると確定することに用いられる第４確定ユニットを含み、
または、
アップリンク伝送で、搬送波毎に、現在のサブフレームで第１ＴＴＩ長による伝送のデータと第２ＴＴＩ長による伝送のデータが同時にスケジューリングされるのであれば、前記端末が、前記第１ＴＴＩ長による伝送のデータの処理前に、前記第２ＴＴＩ長による伝送のデータの符号化を完成した場合、前記端末が現在のサブフレームで当該搬送波で前記第１ＴＴＩ長による伝送のデータと前記第２ＴＴＩ長による伝送のデータを同時に処理すると確定することに用いられる第１２確定ユニットと、
前記端末が、前記第１ＴＴＩ長による伝送のデータの処理前に、前記第２ＴＴＩ長による伝送のデータの符号化を完成していない場合、当該搬送波では、現在のサブフレームで第１ＴＴＩ長による伝送のデータと第２ＴＴＩ長による伝送のデータの同時伝送が前記端末にサポートされないと確定するとともに、前記端末が構成シグナリングまたは所定のルールに基づいて当該搬送波での前記第１ＴＴＩ長による伝送のデータまたは前記第２ＴＴＩ長による伝送のデータを選択的に処理すると確定することに用いられる第４確定ユニットを含み、
または、
アップリンクおよび／またはダウンリンク伝送で、同一の搬送波の同一のサブフレームで第１ＴＴＩ長による伝送のデータと第２ＴＴＩ長による伝送のデータの同時処理が前記端末にサポートされないと確定することに用いられる第１３確定ユニットと、
現在のサブフレームで、同一の搬送波で第１ＴＴＩ長による伝送のデータと第２ＴＴＩ長による伝送のデータが同時にスケジューリングされると、前記端末が構成シグナリングまたは所定のルールに基づいて当該搬送波での前記第１ＴＴＩ長による伝送のデータまたは前記第２ＴＴＩ長による伝送のデータを選択的に処理すると確定することに用いられる第４確定ユニットを含み、
または、
アップリンクおよび／またはダウンリンク伝送で、同一のサブフレームで第１ＴＴＩ長による伝送のデータと第２ＴＴＩ長による伝送のデータの同時処理が前記端末にサポートされないと確定ことに用いられる第１４確定ユニットと、
現在のサブフレームで第１ＴＴＩ長による伝送のデータと第２ＴＴＩ長による伝送のデータが同時に存在すると、前記端末が構成シグナリングまたは所定のルールに基づいて、前記第１ＴＴＩ長による伝送のデータまたは前記第２ＴＴＩ長による伝送のデータを選択的に処理すると確定することに用いられる第４確定ユニットを含み、
または、
同一の搬送波の同一のサブフレームで第１ＴＴＩ長による伝送の制御チャネルと第２ＴＴＩ長による伝送の制御チャネルの同時検出が前記端末にサポートされないと確定することに用いられる第１５確定ユニットと、
前記端末が現在のサブフレームで現在の搬送波で、構成シグナリングまたは所定のルールに基づいて、前記第１ＴＴＩ長による伝送の制御チャネルまたは前記第２ＴＴＩ長による伝送の制御チャネルを選択的に検出すると確定することに用いられる第２０確定ユニットを含み、
または、
同一のサブフレームで第１ＴＴＩ長による伝送の制御チャネルと第２ＴＴＩ長による伝送の制御チャネルの同時検出が前記端末にサポートされないと確定することに用いられる第１６確定ユニットと、
前記端末が現在のサブフレームで、構成シグナリングまたは所定のルールに基づいて、前記第１ＴＴＩ長による伝送の制御チャネルまたは前記第２ＴＴＩ長による伝送の制御チャネルを選択的に検出すると確定することに用いられる第２０確定ユニットを含み、
または、
同一の搬送波の同一のサブフレームで第１ＴＴＩ長による伝送の制御チャネルと第２ＴＴＩ長による伝送の制御チャネルの同時検出が前記端末にサポートされると確定することに用いられる第１７確定ユニットと、
前記端末が現在のサブフレームで現在の搬送波で、前記第１ＴＴＩ長による伝送の制御チャネルと前記第２ＴＴＩ長による伝送の制御チャネルを同時に検出すると確定することに用いられる第２０確定ユニットを含み、
または、
同一のサブフレームで第１ＴＴＩ長による伝送の制御チャネルと第２ＴＴＩ長による伝送の制御チャネルの同時検出が前記端末にサポートされると確定することに用いられる第１８確定ユニットと、
前記端末が現在のサブフレームで前記第１ＴＴＩ長による伝送の制御チャネルと前記第２ＴＴＩ長による伝送の制御チャネルを同時に検出すると確定することに用いられる第２０確定ユニットを含む請求項２４に記載の基地局。
【請求項２９】
前記第４確定ユニットにおいて、具体的に、
前記構成シグナリングは、第１ＴＴＩ長による伝送のデータと第２ＴＴＩ長による伝送のデータのうちの１つに対する選択的処理を前記端末に指示し、または、第１ＴＴＩ長による伝送のデータと第２ＴＴＩ長による伝送のデータのうち、１つの伝送ブロックを含むデータまたは２つの伝送ブロックを含むデータの選択を前記端末に指示し、または、
前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択すると取り決め、または、
前記所定のルールは、ダウンリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの受信および／または処理を放棄し、前記第１ＴＴＩ長による伝送のデータのみを受信および／または処理すると取り決め、または、
前記所定のルールは、ダウンリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで前記第２ＴＴＩ長による伝送のデータの受信および／または処理を中止し、前記第１ＴＴＩ長による伝送のデータを受信および／または処理すると取り決め、または、
前記所定のルールは、アップリンク伝送について、前記端末が、第２ＴＴＩ長による伝送のデータの位置するサブフレームより前に、前記サブフレームで第１ＴＴＩ長による伝送のデータのスケジューリング情報を受信したのであれば、前記サブフレームで前記第２ＴＴＩ長による伝送のデータの処理および／または送信を放棄し、前記第１ＴＴＩ長による伝送のデータのみを処理および／または送信すると取り決め、または
前記所定のルールは、アップリンク伝送について、前記端末が、第２ＴＴＩ長による伝送のデータの位置するサブフレームで、前記サブフレームまたは前記サブフレームの直後のサブフレームで第１ＴＴＩ長による伝送のデータのスケジューリング情報を受信したのであれば、前記サブフレームで第２ＴＴＩ長による伝送のデータの処理および／または送信を中止し、前記第１ＴＴＩ長による伝送のデータを処理および／または送信すると取り決め、
または、
前記第４確定ユニットにおいて、具体的に、
前記構成シグナリングは、第１ＴＴＩ長による伝送のデータと第２ＴＴＩ長による伝送のデータのうちの１つを選択的に処理することを前記端末に指示し、または、第１ＴＴＩ長による伝送のデータと第２ＴＴＩ長による伝送のデータのうち、１つの伝送ブロックを含むデータまたは２つの伝送ブロックを含むデータを選択的に処理することを前記端末に指示し、現在のサブフレームで前記構成シグナリングに基づいて選択したデータの伝送ブロック総数が前記伝送ブロックの数上限値を超え、または現在のサブフレームで前記構成シグナリングに基づいて選択したデータのＴＴＩ総数が前記ＴＴＩの数上限値を超えると、さらに搬送波番号に基づいて選択し、
または、前記構成シグナリングは、Ａ１個の第１ＴＴＩ長による伝送のデータおよび／またはＡ２個の第２ＴＴＩ長による伝送のデータを選択することを指示し、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、
または、前記構成シグナリングは、前記伝送ブロックの数上限値または前記ＴＴＩの数上限値の、第１ＴＴＩ長による伝送のデータと第２ＴＴＩ長による伝送のデータでの割当割合を指示し、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択し、
または、前記所定のルールは、前記端末が第１ＴＴＩ長による伝送のデータと第２ＴＴＩ長による伝送のデータのうちの１つを選択的に処理すると取り決め、または、前記端末が第１ＴＴＩ長による伝送のデータと第２ＴＴＩ長による伝送のデータのうち、１つの伝送ブロックを含むデータまたは２つの伝送ブロックを含むデータを選択的に処理すると取り決め、現在のサブフレームで前記所定のルールに基づいて選択したデータの伝送ブロック総数が前記伝送ブロックの数上限値を超え、または選択したデータのＴＴＩ総数が前記ＴＴＩの数上限値を超えると、さらに搬送波番号に基づいて選択し、
または、前記所定のルールは、Ａ１個の第１ＴＴＩ長による伝送のデータおよび／またはＡ２個の第２ＴＴＩ長による伝送のデータを選択すると取り決め、現在のサブフレームで時間領域で開始位置が揃えたり時間領域でオーバーラップしたりする第１ＴＴＩ長による伝送のデータの総数が前記Ａ１の値を超え、および／または、現在のサブフレームで第２ＴＴＩ長による伝送のデータの総数が前記Ａ２の値を超えると、さらに搬送波番号に基づいて選択し、
または、前記所定のルールは、前記伝送ブロックの数上限値または前記ＴＴＩの数上限値の、第１ＴＴＩ長による伝送のデータと第２ＴＴＩ長による伝送のデータでの割当割合を取り決め、現在のサブフレームで時間領域で開始位置が揃えたり時間領域でオーバーラップしたりする第１ＴＴＩ長による伝送のデータの伝送ブロックの総数が、前記割当割合に基づいて確定したサポート可能な第１ＴＴＩ長による伝送のデータの伝送ブロックの総数を超え、または現在のサブフレームで時間領域で開始位置が揃えたり時間領域でオーバーラップしたりする第１ＴＴＩ長による伝送のデータのＴＴＩ総数が、前記割当割合に基づいて確定したサポート可能な第１ＴＴＩ長による伝送のデータのＴＴＩ総数を超え、および／または、現在のサブフレームで第２ＴＴＩ長による伝送のデータの伝送ブロックの総数が、前記割当割合に基づいて確定したサポート可能な第２ＴＴＩ長による伝送のデータの伝送ブロックの総数を超え、または現在のサブフレームで第２ＴＴＩ長による伝送のデータのＴＴＩ総数が、前記割当割合に基づいて確定したサポート可能な第２ＴＴＩ長による伝送のデータのＴＴＩ総数を超えると、さらに搬送波番号に基づいて選択し、
前記第２０確定ユニットにおいて、具体的に、
前記構成シグナリングは、第１ＴＴＩ長による伝送の制御チャネルと第２ＴＴＩ長による伝送の制御チャネルのうちの１つを選択的に検出すると前記端末に指示し、または、第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると前記端末に指示し、または、
前記所定のルールは、前記端末が第１ＴＴＩ長による伝送の制御チャネルと第２ＴＴＩ長による伝送の制御チャネルのうちの１つを選択的に検出すると取り決め、または、前記端末が第１ＴＴＩ長による伝送の制御チャネルと第２ＴＴＩ長による伝送の制御チャネルのうち、１つの伝送ブロックを含む制御チャネルまたは２つの伝送ブロックを含む制御チャネルを選択すると取り決め、または、
前記所定のルールは、ダウンリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、
前記所定のルールは、ダウンリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決め、または、
前記所定のルールは、アップリンク伝送について、前記端末が、第２ＴＴＩ長による伝送の制御チャネルの位置するサブフレームより前に、前記サブフレームで第１ＴＴＩ長による伝送の制御チャネルのスケジューリング情報を受信したのであれば、前記サブフレームで前記第２ＴＴＩ長による伝送の制御チャネルの検出を放棄し、前記第１ＴＴＩ長による伝送の制御チャネルのみを検出すると取り決め、または、
前記所定のルールは、アップリンク伝送について、前記端末が、第２ＴＴＩ長による伝送の制御チャネルの位置するサブフレームで、前記サブフレームまたは前記サブフレームの直後のサブフレームで第１ＴＴＩ長による伝送の制御チャネルのスケジューリング情報を受信したのであれば、前記サブフレームで前記第２ＴＴＩ長による伝送の制御チャネルの検出を中止し、前記第１ＴＴＩ長による伝送の制御チャネルを検出すると取り決める請求項２６に記載の基地局。
【請求項３０】
同一の搬送波の同一のサブフレームの異なる周波数領域リソースで、前記第１ＴＴＩ長による伝送のデータと前記第２ＴＴＩ長による伝送のデータの前記端末による送信または受信をスケジューリングすることに用いられる第２処理モジュールをさらに含み、または、
同一の搬送波の同一のサブフレームで前記第１ＴＴＩ長による伝送のデータと前記第２ＴＴＩ長による伝送のデータに用いられる周波数領域リソースがオーバーラップするとスケジューリングすると、ダウンリンク伝送について、オーバーラップ部分で前記第１ＴＴＩ長による伝送のデータで前記第２ＴＴＩ長による伝送のデータを上書きし、アップリンク伝送について、前記端末によってオーバーラップ部分で前記第１ＴＴＩ長による伝送のデータで前記第２ＴＴＩ長による伝送のデータを上書きすることに用いられる前記第２処理モジュールをさらに含み、または、
アップリンク伝送について、前記端末が同一の搬送波の同一のサブフレームで、第２ＴＴＩ長による伝送のデータのうち、第１ＴＴＩ長による伝送のデータに対応するシンボル上のデータを穿孔すると確定することに用いられる前記第２処理モジュールをさらに含む請求項２４に記載の基地局。
【国際調査報告】
2019519979.tif 000041
2019519979.tif 000042
2019519979.tif 000043
2019519979.tif 000044